(57)【要約】ＰＫＤ１遺伝子を検査するために有用な組成物を提供する。加えて、ヒトにおける常染色体優性多発性嚢胞腎疾患に関連しうるＰＫＤ１遺伝子の変異を検出する方法を提供する。さらに、ＰＫＤ１関連障害に罹患した被験者を治療するための方法として、被験者における変異型ＰＫＤ１遺伝子配列の診断方法も提供する。【特許請求の範囲】
【請求項１】
５’領域および隣接する３’領域を含むプライマーであって、
該５’領域が、ＰＫＤ１遺伝子配列に対して、および任意でＰＫＤ１遺伝子の相同配列に対しても、選択的にハイブリダイズするヌクレオチド配列を含み、
該３’領域が、ＰＫＤ１遺伝子配列に対して選択的にハイブリダイズし、ＰＫＤ１遺伝子の相同配列に対して選択的にハイブリダイズしないヌクレオチド配列を含み、
該配列番号：１１、１８、５２または６０に記載の配列を含まないプライマー。
【請求項２】
５’領域が、少なくとも約１０個の連続するヌクレオチドを含み、
３’領域が、プライマーの５’領域がハイブリダイズ可能であるＰＫＤ１遺伝子のヌクレオチド配列の５’および隣接するヌクレオチドと同一である、少なくとも一つの３’末端ヌクレオチドを含み、
該３’末端ヌクレオチドが、該プライマーの５’領域がハイブリダイズ可能であるＰＫＤ１相同体のヌクレオチド配列の５’および隣接するヌクレオチドと異なっている、請求項１に記載のプライマー。
【請求項３】
３’領域が、約２から４個の３’末端ヌクレオチドを含む、請求項２に記載のプライマー。
【請求項４】
約１４から１８個のヌクレオチドの５’領域および約２から６個のヌクレオチドの３’領域を含む、請求項２に記載のプライマー。
【請求項５】
約２０４３位から４２０９位のヌクレオチド、
約１７９０７位から２２４８９位のヌクレオチド、
約２２２１８位から２６３６３位のヌクレオチド、
約２６２４６位から３０６１５位のヌクレオチド、
約３０６０６位から３３９５７位のヌクレオチド、
約３６８１９位から３７１４０位のヌクレオチド、
約３７３２９位から４１２５８位のヌクレオチド、および
約４１５０８位から４７３２０位のヌクレオチドから選択される配列番号：１の配列の約５０個のヌクレオチドならびにこれに隣接するヌクレオチド配列、または、
該配列番号：１の配列と相補的なヌクレオチド配列と、選択的にハイブリダイズできる、請求項１に記載のプライマー。
【請求項６】
配列番号：３から５１、および６１から１１３のいずれかと実質的に同一のヌクレオチド配列を含む、請求項５に記載のプライマー。
【請求項７】
約２０４３位から４２０９位のヌクレオチド、
約１７９０７位から２２４８９位のヌクレオチド、
約２２２１８位から２６３６３位のヌクレオチド、
約２６２４６位から３０６１５位のヌクレオチド、
約３０６０６位から３３９５７位のヌクレオチド、
約３６８１９位から３７１４０位のヌクレオチド、
約３７３２９位から４１２５８位のヌクレオチド、
約４１５０８位から４７３２０位のヌクレオチド、または
これらの組み合わせを含む、配列番号：１の部分の増幅が可能であるプライマー対。
【請求項８】
フォワードプライマーとリバースプライマーとを含み、それぞれが配列番号：３から１８から選択される、請求項７に記載のプライマー対。
【請求項９】
プライマー対が、
配列番号：３および４、
配列番号：５および６、
配列番号：７および８、
配列番号：９および１０、
配列番号：１１および１２、
配列番号：１３および１４、
配列番号：１５および１６、または、
配列番号：１７および１８を含む、請求項７に記載のプライマー対。
【請求項１０】
フォワードプライマーとリバースプライマーとを含み、それぞれが配列番号：１９から５１、および６１から１１３から選択される、請求項７に記載のプライマー対。
【請求項１１】
プライマー対が、
配列番号：１９および２０、
配列番号：２１および２２、
配列番号：２３および２４、
配列番号：２５および２６、
配列番号：２７および２８、
配列番号：２９および３０、
配列番号：３１および３２、
配列番号：３３および３４、
配列番号：３５および３６、
配列番号：３７および３８、
配列番号：３９および４０、
配列番号：４１および４２、
配列番号：４３および４４、
配列番号：４５および４６、
配列番号：４７および４８、
配列番号：４９および５０、
配列番号：５１および６１、
配列番号：６２および６３、
配列番号：６４および６５、
配列番号：６６および６７、
配列番号：６８および６９、
配列番号：７０および７１、
配列番号：７２および７３、
配列番号：７４および７５、
配列番号：７６および７７、
配列番号：７８および７９、
配列番号：８０および８１、
配列番号：８２および８３、
配列番号：８４および８５、
配列番号：８６および８７、
配列番号：８８および８９、
配列番号：９０および９１、
配列番号：９２および９３、
配列番号：９４および９５、
配列番号：９６および１１３、
配列番号：９７および９８、
配列番号：９９および１００、
配列番号：１０１および１０２、
配列番号：１０３および１０４、
配列番号：１０５および１０６、
配列番号：１０７および１０８、
配列番号：１０９および１１０、または、
配列番号：１１１および１１２を含む、請求項１０に記載のプライマー対。
【請求項１２】
少なくとも２つのプライマー対を含む複数のプライマー対であって、
該複数のうちの該プライマー対が、配列番号：１の部分の増幅が可能であり、
該配列番号：１の部分が、
約２０４３位から４２０９位のヌクレオチド、
約１７９０７位から２２４８９位のヌクレオチド、
約２２２１８位から２６３６３位のヌクレオチド、
約２６２４６位から３０６１５位のヌクレオチド、
約３０６０６位から３３９５７位のヌクレオチド、
約３６８１９位から３７１４０位のヌクレオチド、
約３７３２９位から４１２５８位のヌクレオチド、
約４１５０８位から４７３２０位のヌクレオチド、または
これらの組み合わせを含む、複数のプライマー対。
【請求項１３】
少なくとも１つのプライマー対が、配列番号：３および４、配列番号：５および６、配列番号：７および８、配列番号：９および１０、配列番号：１１および１２、配列番号：１３および１４、配列番号：１５および１６、ならびに配列番号：１７および１８から選択される、請求項１２に記載の複数のプライマー対。
【請求項１４】
プライマー対が、配列番号：３および４、配列番号：５および６、配列番号：７および８、配列番号：９および１０、配列番号：１１および１２、配列番号：１３および１４、配列番号：１５および１６、ならびに配列番号：１７および１８を含む、請求項１２に記載の複数のプライマー対。
【請求項１５】
少なくとも１つのプライマー対が、
配列番号：１９および２０、
配列番号：２１および２２、
配列番号：２３および２４、
配列番号：２５および２６、
配列番号：２７および２８、
配列番号：２９および３０、
配列番号：３１および３２、
配列番号：３３および３４、
配列番号：３５および３６、
配列番号：３７および３８、
配列番号：３９および４０、
配列番号：４１および４２、
配列番号：４３および４４、
配列番号：４５および４６、
配列番号：４７および４８、
配列番号：４９および５０、
配列番号：５１および６１、
配列番号：６２および６３、
配列番号：６４および６５、
配列番号：６６および６７、
配列番号：６８および６９、
配列番号：７０および７１、
配列番号：７２および７３、
配列番号：７４および７５、
配列番号：７６および７７、
配列番号：７８および７９、
配列番号：８０および８１、
配列番号：８２および８３、
配列番号：８４および８５、
配列番号：８６および８７、
配列番号：８８および８９、
配列番号：９０および９１、
配列番号：９２および９３、
配列番号：９４および９５、
配列番号：９６および１１３、
配列番号：９７および９８、
配列番号：９９および１００、
配列番号：１０１および１０２、
配列番号：１０３および１０４、
配列番号：１０５および１０６、
配列番号：１０７および１０８、
配列番号：１０９および１１０、ならびに、
配列番号：１１１および１１２から選択される、請求項１２に記載の複数のプライマー対。
【請求項１６】
請求項５に記載のプライマーを含み、該プライマーが、固体マトリックス上に固定されている固体マトリックス。
【請求項１７】
複数の固定化されたプライマーを含む、請求項１６に記載の固体マトリックス。
【請求項１８】
マトリックスが、複数のプライマーを含み、該プライマーは、配列番号：２に記載のアミノ酸配列を有するポリペプチドをコードする一種以上のコドンの縮重である、請求項１７に記載の固体マトリックス。
【請求項１９】
固体マトリックスが、マイクロチップである、請求項１６に記載の固体マトリックス。
【請求項２０】
配列番号：１のヌクレオチド配列またはその相補的ヌクレオチド配列と実質的に同一である少なくとも約１０個のヌクレオチドの連続する配列を含み、
該連続するヌクレオチド配列が、配列番号：１に関し、下記のヌクレオチドを含む単離ポリヌクレオチド：
４７４位がＴであるヌクレオチド、
４８７位がＡであるヌクレオチド、
３１１０位がＣであるヌクレオチド、
３３３６位のヌクレオチドが欠失した３３３６位のヌクレオチドに対応する位置、
３７０７位がＡであるヌクレオチド、
４１６８位がＴであるヌクレオチド、
４８８５位がＡであるヌクレオチド、
５１６８位がＴであるヌクレオチド、
６０５８位がＴであるヌクレオチド、
６０７８位がＡであるヌクレオチド、
６０８９位がＴであるヌクレオチド、
６１９５位がＡであるヌクレオチド、
６３２６位がＴであるヌクレオチド、
７２０５位から７２１１位のヌクレオチドが欠失した７２０５位から７２１１位のヌクレオチドに対応する位置、
７３７６位がＣであるヌクレオチド、
７５３５位と７５３６位の間にＧＣＧヌクレオチド配列が挿入された７５３５位から７５３６位のヌクレオチドに対応するヌクレオチド配列、
７４１５位がＴであるヌクレオチド、
７４３３位がＴであるヌクレオチド、
７６９６位がＴであるヌクレオチド、
７８８３位がＴであるヌクレオチド、
８０２１位がＡであるヌクレオチド、
８１５９位から８１６０位のヌクレオチドが欠失した８１５９位から８１６０位のヌクレオチドに対応するヌクレオチド配列、
８２９８位がＧであるヌクレオチド、
９１６４位がＧであるヌクレオチド、
９２１３位がＡであるヌクレオチド、
９３２６位がＴであるヌクレオチド、
９３６７位がＴであるヌクレオチド、
１００６４位がＡであるヌクレオチド、
１０１４３位がＧであるヌクレオチド、
１０２３４位がＣであるヌクレオチド、
１０２５５位がＴであるヌクレオチド、または、
これらの組み合わせ。
【請求項２１】
請求項２０に記載のポリヌクレオチドを含むベクター。
【請求項２２】
請求項２１に記載のベクターを含む宿主細胞。
【請求項２３】
請求項２０に記載のポリヌクレオチドを含み、該ポリヌクレオチドが、固体マトリックス上に固定化されている固体マトリックス。
【請求項２４】
ポリヌクレオチドが複数のポリヌクレオチドの一つを含み、それぞれのポリヌクレオチドが、固体マトリックス上に固定化されている請求項２３に記載の固体マトリックス。
【請求項２５】
試料中のＰＫＤ１ポリヌクレオチドの変異の有無を検出する方法であって、
試料中の核酸分子と、請求項７に記載の少なくとも１つのプライマー対とを、該プライマー対によりＰＫＤ１ヌクレオチドの増幅に適した条件下で接触させて、該条件下でＰＫＤ１に特異的な増幅産物を生産する段階、および
該ＰＫＤ１に特異的な増幅産物中の変異の有無を確認して、試料中の該ＰＫＤ１ポリヌクレオチド中の変異の有無を検出する段階を含む方法。
【請求項２６】
プライマー対が、配列番号：３および４、配列番号：５および６、配列番号：７および８、配列番号：９および１０、配列番号：１１および１２、配列番号：１３および１４、配列番号：１５および１６、配列番号：１７および１８、またはこれらの組み合わせを含む、請求項２５に記載の方法。
【請求項２７】
ＰＫＤ１に特異的な増幅産物を生産する段階において、該ＰＫＤ１に特異的な増幅産物と、
配列番号：１９および２０、
配列番号：２１および２２、
配列番号：２３および２４、
配列番号：２５および２６、
配列番号：２７および２８、
配列番号：２９および３０、
配列番号：３１および３２、
配列番号：３３および３４、
配列番号：３５および３６、
配列番号：３７および３８、
配列番号：３９および４０、
配列番号：４１および４２、
配列番号：４３および４４、
配列番号：４５および４６、
配列番号：４７および４８、
配列番号：４９および５０、
配列番号：５１および６１、
配列番号：６２および６３、
配列番号：６４および６５、
配列番号：６６および６７、
配列番号：６８および６９、
配列番号：７０および７１、
配列番号：７２および７３、
配列番号：７４および７５、
配列番号：７６および７７、
配列番号：７８および７９、
配列番号：８０および８１、
配列番号：８２および８３、
配列番号：８４および８５、
配列番号：８６および８７、
配列番号：８８および８９、
配列番号：９０および９１、
配列番号：９２および９３、
配列番号：９４および９５、
配列番号：９６および１１３、
配列番号：９７および９８、
配列番号：９９および１００、
配列番号：１０１および１０２、
配列番号：１０３および１０４、
配列番号：１０５および１０６、
配列番号：１０７および１０８、
配列番号：１０９および１１０、
配列番号：１１１および１１２、ならびにこれらの組み合わせから選択される少なくとも１つの第２のプライマー対とを、
該第２のプライマー対による、該ＰＫＤ１に特異的な増幅産物のネスティド増幅に適した条件下で接触させて、ネスティド増幅産物を生産する段階、および
該ネスティド増幅産物中の変異の有無を確認して、試料中の該ＰＫＤ１ポリヌクレオチド中の変異の有無を検出する段階をさらに含む、請求項２５に記載の方法。
【請求項２８】
増幅が、ポリメラーゼ連鎖反応により行われる、請求項２５に記載の方法。
【請求項２９】
ＰＫＤ１ポリヌクレオチドが、変異型ＰＫＤ１ポリヌクレオチドである、請求項２５に記載の方法。
【請求項３０】
変異型ＰＫＤ１ポリヌクレオチドが、配列番号：１と実質的に同一のヌクレオチド配列を含み、
４７４位のヌクレオチドがＴであり、
４８７位のヌクレオチドがＡであり、
４８８４位のヌクレオチドがＡであり、
６０５８位のヌクレオチドがＴであり、
６１９５位のヌクレオチドがＡであり、
７３７６位のヌクレオチドがＣであり、
７６９６位のヌクレオチドがＴであり、
８０２１位のヌクレオチドがＡであり、
９３６７位のヌクレオチドがＴであり、
１０１４３位のヌクレオチドがＧであり、
１０２３４位のヌクレオチドがＣであり、または、
１０２５５位のヌクレオチドがＴである、請求項２９に記載の方法。
【請求項３１】
増幅産物中の変異の有無の確認が、増幅産物のヌクレオチド配列決定を含む、請求項２５に記載の方法。
【請求項３２】
増幅産物中の変異の有無の確認が、増幅産物の融解温度の決定および該融解温度と対応する配列番号：１のヌクレオチド配列の融解温度との比較を含む、請求項２５に記載の方法。
【請求項３３】
増幅産物中の変異の有無の確認が、変性高速液体クロマトグラフィーを用いて行われる、請求項２５に記載の方法。
【請求項３４】
増幅産物中の変異の有無の確認が、マトリックス支援レーザー脱離飛行時間型質量分析計（ｍａｔｒｉｘ−ａｓｓｉｓｔｅｄ ｌａｓｅｒ ｄｅｓｏｒｐｔｉｏｎ ｔｉｍｅ ｏｆ ｆｌｉｇｈｔ ｍａｓｓ ｓｐｅｃｔｒｏｍｅｔｒｙ）を用いて行われる、請求項２５に記載の方法。
【請求項３５】
増幅産物中の変異の有無の確認が、ハイスループット立体配座感度型ゲル電気泳動を用いて行われる、請求項２５に記載の方法。
【請求項３６】
増幅産物中の変異の有無の確認が、一本鎖立体配座分析、変性勾配ゲル電気泳動、リボヌクレアーゼ保護アッセイ法、対立遺伝子特異型オリゴヌクレオチド検出、対立遺伝子特異型ポリメラーゼ連鎖反応およびオリゴヌクレオチド連結反応アッセイ法から選択される方法により行われる、請求項２５に記載の方法。
【請求項３７】
増幅産物中の変異の有無の確認が、プライマー伸張反応アッセイ法を用いて行われる方法であり、
該プライマー伸張反応が、検出可能に標識されたプライマーならびにデオキシヌクレオチドおよびジデオキシヌクレオチドの混合物を用いて行われ、
該プライマーと混合物が、変異型ＰＫＤ１ポリヌクレオチドと比較される野生型ＰＫＤ１ポリヌクレオチドの存在下で、該プライマーが異なる様式で伸張可能となるようにして選択される、請求項２５に記載の方法。
【請求項３８】
複数のプライマー対を用いて行われる、請求項２５に記載の方法。
【請求項３９】
複数の試料を用いるハイスループット型で行われる、請求項２５に記載の方法。
【請求項４０】
複数の試料がアレイ中にある、請求項３９に記載の方法。
【請求項４１】
アレイがマイクロタイタープレートを含む、請求項４０に記載の方法。
【請求項４２】
アレイがマイクロチップ上にある、請求項４０に記載の方法。
【請求項４３】
増幅産物中の変異の有無の確認が、
該増幅産物と、請求項２０に記載のポリヌクレオチドとを、該ポリヌクレオチドと該ポリヌクレオチドと同一のヌクレオチド配列との選択的なハイブリダイゼーションに適した条件下で接触させる段階、および
該増幅産物に対する該ポリヌクレオチドの選択的ハイブリダイゼーションの有無を検出する段階を含み、
該選択的ハイブリダイゼーションの存在が、試料中のＰＫＤ１ポリヌクレオチドの変異の存在を確認するものであり、
該選択的ハイブリダイゼーションの不在が、試料中のＰＫＤ１ポリヌクレオチドの変異の不在を確認する、請求項２５に記載の方法。
【請求項４４】
ＰＫＤ１関連障害のリスクを有する被験者を確認する方法であって、
被験者から得られる試料中の核酸分子と、請求項７に記載の少なくとも１つのプライマー対とを、該プライマー対によりＰＫＤ１ヌクレオチドの増幅に適した条件下で接触させて、増幅産物を生産する段階、および
該増幅産物中のＰＫＤ１関連障害を示す変異の有無を検出する段階を含み、
該変異の不在が、ＰＫＤ１関連障害のリスクがない該被験者を確認するものであり、
該変異の存在が、ＰＫＤ１関連障害のリスクがある該被験者を確認するものである方法。
【請求項４５】
少なくとも一つのプライマー対が、配列番号：３および４、配列番号：５および６、配列番号：７および８、配列番号：９および１０、配列番号：１１および１２、配列番号：１３および１４、配列番号：１５および１６、ならびに配列番号：１７および１８から選択される、請求項４４に記載の方法。
【請求項４６】
ＰＫＤ１関連障害が、常染色体優性多発性嚢胞腎疾患である、請求項４４に記載の方法。
【請求項４７】
ＰＫＤ１関連障害が、後天性嚢胞疾患である、請求項４４に記載の方法。
【請求項４８】
ハイスループット型で行われる、請求項４４に記載の方法。
【請求項４９】
増幅産物中のＰＫＤ１関連障害を示す変異の有無の検出が、該変異の有無の蓄積データ標本を含む、請求項４４に記載の方法。
【請求項５０】
データが、被験者がＰＫＤ１関連障害のリスクを有するかどうかを示す記録として形式化される、請求項４９に記載の方法。
【請求項５１】
ユーザーへの記録の送付をさらに含む、請求項５０に記載の方法。
【請求項５２】
記録の送付が、インターネット、ファクシミリまたは郵便により該記録を送付することを含む、請求項５１に記載の方法。
【請求項５３】
さらに、
増幅産物と少なくとも１つの第２のプライマー対とを、第２のプライマー対による該増幅産物のネスティド増幅に適した条件下で接触させて、ネスティド増幅産物を生産する段階、および
該ネスティド増幅産物中のＰＫＤ１関連障害を示す変異の有無を検出する段階を含む、請求項４４に記載の方法。
【請求項５４】
第２のプライマー対が、
配列番号：１９および２０、
配列番号：２１および２２、
配列番号：２３および２４、
配列番号：２５および２６、
配列番号：２７および２８、
配列番号：２９および３０、
配列番号：３１および３２、
配列番号：３３および３４、
配列番号：３５および３６、
配列番号：３７および３８、
配列番号：３９および４０、
配列番号：４１および４２、
配列番号：４３および４４、
配列番号：４５および４６、
配列番号：４７および４８、
配列番号：４９および５０、
配列番号：５１および６１、
配列番号：６２および６３、
配列番号：６４および６５、
配列番号：６６および６７、
配列番号：６８および６９、
配列番号：７０および７１、
配列番号：７２および７３、
配列番号：７４および７５、
配列番号：７６および７７、
配列番号：７８および７９、
配列番号：８０および８１、
配列番号：８２および８３、
配列番号：８４および８５、
配列番号：８６および８７、
配列番号：８８および８９、
配列番号：９０および９１、
配列番号：９２および９３、
配列番号：９４および９５、
配列番号：９６および１１３、
配列番号：９７および９８、
配列番号：９９および１００、
配列番号：１０１および１０２、
配列番号：１０３および１０４、
配列番号：１０５および１０６、
配列番号：１０７および１０８、
配列番号：１０９および１１０、
配列番号：１１１および１１２、ならびにこれらの組み合わせから選択される、請求項５３に記載の方法。
【請求項５５】
変異の有無の検出が、増幅産物のヌクレオチド配列を決定する段階、および該ヌクレオチド配列を配列番号：１の対応するヌクレオチド配列と比較する段階を含む、請求項５３に記載の方法。
【請求項５６】
変異の有無の検出が、増幅産物の融解温度の決定および該融解温度と配列番号：１の対応するヌクレオチド配列の融解温度との比較を含む、請求項５３に記載の方法。
【請求項５７】
変異の有無の検出が、変性高速液体クロマトグラフィーを用いて行われる、請求項５３に記載の方法。
【請求項５８】
ＰＫＤ１関連障害を示す変異が、
３１１０位のヌクレオチドがＣであり、
８２９８位のヌクレオチドがＧであり、
９１６４位のヌクレオチドがＧであり、
９２１３位のヌクレオチドがＡであり、
９３２６位のヌクレオチドがＴであり、または、
１００６４位のヌクレオチドがＡである、配列番号：１と実質的に同一のヌクレオチド配列を含む、請求項４４に記載の方法。
【請求項５９】
ＰＫＤ１関連障害を示す変異が、
３３３６位のヌクレオチドが欠失し、
３７０７位のヌクレオチドがＡであり、
５１６８位のヌクレオチドがＴであり、
６０７８位のヌクレオチドがＡであり、
６０８９位のヌクレオチドがＴであり、
６３２６位のヌクレオチドがＴであり、
７２０５位から７２１１位のヌクレオチドが欠失し、
７４１５位のヌクレオチドがＴであり、
７４３３位のヌクレオチドがＴであり、
７８８３位のヌクレオチドがＴであり、
８１５９位から８１６０位のヌクレオチドが欠失し、または、
７５３５位と７５３６位のヌクレオチドの間にＧＣＧのヌクレオチド配列が挿入されている、配列番号：１と実質的に同一のヌクレオチド配列を含む、請求項４４に記載の方法。
【請求項６０】
被験者のＰＫＤ１関連障害を診断する方法であって、
少なくとも１つの第１のプライマー対により、被験者から得られた核酸試料中のＰＫＤ１ポリヌクレオチド部分を増幅して、第１の増幅産物を得る段階（ただし、該第１のプライマー対は請求項７に記載のプライマー対である）、
少なくとも１つの第２のプライマー対により、第１の増幅産物を増幅して、ネスティド増幅産物を得る段階（ただし、該第２のプライマー対は第１の増幅産物のネスティド増幅の実施に適したものである）、
および、
該ネスティド増幅産物が、ＰＫＤ１関連障害に関係する変異を有するかどうかを決定する段階を含む方法であり、
該ＰＫＤ１関連障害に関係する変異の存在が、ＰＫＤ１関連障害を示すもので、その結果、被験者のＰＫＤ１関連障害を診断する方法。
【請求項６１】
複数の核酸試料を用いるハイスループット型の方法である、請求項６０に記載の方法。
【請求項６２】
試料中の変異型ＰＫＤ１ポリヌクレオチドの存在を検出する方法であって、
変異型ＰＫＤ１ヌクレオチドを含有することが疑われる試料と、請求項２０に記載のポリヌクレオチドとを、該ポリヌクレオチドが変異型ＰＫＤ１ポリヌクレオチドと選択的にハイブリダイズするのを許容する条件下で接触させる段階、および
該ポリヌクレオチドと変異型ＰＫＤ１ポリヌクレオチドの選択的ハイブリダイゼーションを検出して、該試料中の変異型ＰＫＤ１ポリヌクレオチド配列の存在を検出する段階を含む方法。
【請求項６３】
ＰＫＤ１遺伝子中の変異の有無を検出するキットであって、該キットが、プライマーを含み、該プライマーが、５’領域および隣接する３’領域を含み、
該５’領域が、ＰＫＤ１遺伝子配列に対して、および任意でＰＫＤ１遺伝子の相同配列に対しても、選択的にハイブリダイズするヌクレオチド配列を含み、
該３’領域が、ＰＫＤ１遺伝子配列に対して選択的にハイブリダイズし、ＰＫＤ１遺伝子の相同配列に対して選択的にハイブリダイズしないヌクレオチド配列を含み、
該プライマーが、配列番号：１１、１８、５２または６０に記載の配列を含まないキット。
【請求項６４】
複数のプライマーを含む請求項６３に記載のキット。
【請求項６５】
ＰＫＤ１遺伝子中の変異の有無を検出するキットであって、該キットが、プライマー対を含み、該プライマー対が、フォワードプライマーとリバースプライマーとを含み、
該プライマー対が、
約２０４３位から４２０９位のヌクレオチド、
約１７９０７位から２２４８９位のヌクレオチド、
約２２２１８位から２６３６３位のヌクレオチド、
約２６２４６位から３０６１５位のヌクレオチド、
約３０６０６位から３３９５７位のヌクレオチド、
約３６８１９位から３７１４０位のヌクレオチド、
約３７３２９位から４１２５８位のヌクレオチド、
約４１５０８位から４７３２０位のヌクレオチド、または
これらの組み合わせを含む、配列番号：１の部分の増幅が可能であるキット。
【請求項６６】
ＰＫＤ１遺伝子中の変異の有無を検出するキットであって、該キットが、単離ポリヌクレオチドを含み、該ポリヌクレオチドが、配列番号：１のヌクレオチド配列またはその相補的ヌクレオチド配列と実質的に同一である少なくとも約１０個のヌクレオチドの連続する配列を含み、
該連続するヌクレオチド配列が、配列番号：１に関し、下記のヌクレオチドを含むキット：
４７４位がＴであるヌクレオチド、
４８７位がＡであるヌクレオチド、
３１１０位がＣであるヌクレオチド、
３３３６位がヌクレオチドが欠失した３３３６位に対応する位置、
３７０７位がＡであるヌクレオチド、
４１６８位がＴであるヌクレオチド、
４８８５位がＡであるヌクレオチド、
５１６８位がＴであるヌクレオチド、
６０５８位がＴであるヌクレオチド、
６０７８位がＡであるヌクレオチド、
６０８９位がＴであるヌクレオチド、
６１９５位がＡであるヌクレオチド、
６３２６位がＴであるヌクレオチド、
７２０５位から７２１１位のヌクレオチドが欠失した７２０５位から７２１１位のヌクレオチドに対応する位置、
７３７６位がＣであるヌクレオチド、
７５３５位と７５３６位の間にＧＣＧヌクレオチド配列が挿入された７５３５位から７５３６位のヌクレオチドに対応するヌクレオチド配列、
７４１５位がＴであるヌクレオチド、
７４３３位がＴであるヌクレオチド、
７６９６位がＴであるヌクレオチド、
７８８３位がＴであるヌクレオチド、
８０２１位がＡであるヌクレオチド、
８１５９位から８１６０位のヌクレオチドが欠失した８１５９位から８１６０位のヌクレオチドに対応するヌクレオチド配列、
８２９８位がＧであるヌクレオチド、
９１６４位がＧであるヌクレオチド、
９２１３位がＡであるヌクレオチド、
９３２６位がＴであるヌクレオチド、
９３６７位がＴであるヌクレオチド、
１００６４位がＡであるヌクレオチド、
１０１４３位がＧであるヌクレオチド、
１０２３４位がＣであるヌクレオチド、
１０２５５位がＴであるヌクレオチド、または、
これらの組み合わせ。
【請求項６７】
ＰＫＤ１遺伝子中の変異の有無を検出するキットであって、変異型ＰＫＤ１ポリペプチドと特異的に結合する抗体を含むキット。
【発明の詳細な説明】
発明の背景
発明の分野
本発明は、多発性嚢胞腎疾患の診断と処置に関する。より詳細には、多発性嚢胞腎疾患および関連障害の診断と処置に有効なプローブおよび物質に関する。
【０００１】
背景情報
常染色体優性多発性嚢胞腎疾患（ＡＤＰＫＤ）（成人発症性多発性嚢胞腎疾患とも呼ばれる）は、最もありふれたヒトの遺伝疾患の一つであり、おおよそ１０００人に１人が罹っている。合衆国における有病率は、５００，０００以上であり、毎年６，０００から７，０００の新しい症例が見つけられている。（Ｓｔｒｉｋｅｒら、Ａｍ． Ｊ． Ｎｅｐｈｒｏｌ． ６：１６１〜１６４、１９８６；Ｉｇｌｅｓｉａｓら、Ａｍ． Ｊ． Ｋｉｄ． Ｄｉｓ． ２：６３０〜６３９、１９８３）この疾患は、全身性疾患であると考えられており、腎臓、肝臓およびすい臓のような管器官における嚢胞形成、あるいは、結腸憩室炎、しょう果状動脈瘤、ヘルニアおよび僧帽弁逸脱症を含む、胃腸、心臓血管および筋骨格の異常により特徴付けられる。（Ｇａｂｏｗら、Ａｄｖ． Ｎｅｐｈｒｏｌ． １８：１９〜３２、１９８９；Ｇａｂｏｗ、Ｎｅｗ Ｅｎｇ． Ｊ． Ｍｅｄ． ３２９：３３２〜３４２、１９９３）
【０００２】
ＡＤＰＫＤのうち最も有病性で、明確な症状があるのは、腎臓嚢胞の形成であり、腎臓の肥大化および腎臓の濃縮能力を低下がおこる。ＡＤＰＫＤ患者のおおよそ半数において、腎臓疾患の最終段階にまで疾患が進行し、合衆国とヨーロッパでは、ＡＤＰＫＤの４〜８％が腎臓透析および腎臓移植に至っている。（Ｐｒｏｃ． Ｅｕｒ． Ｄｉａｌｙｓｉｓ ａｎｄ Ｔｒａｎｓｐｌａｎｔ Ａｓｓｎ．、ＲｏｂｉｎｓｏｎおよびＨａｗｋｉｎｓ編、１７：２０、１９８１）
【０００３】
ところでこのような診断結果は、ヒトの１６番染色体に位置するＰＫＤ１遺伝子の変異の同定および特性付けにはほとんど利用できない。このＰＫＤ１遺伝子の変異を同定し特性付けることが困難となっている主たる要因は、ＰＫＤ１遺伝子の長さの７０％以上が、１６番染色体上および他の場所で複製されており、このため、少なくとも６つのＰＫＤ１相同体が存在している。特に、ＰＫＤ１相同体は、ＰＫＤ１遺伝子と、高い割合で配列の同一性を共有しており、ＰＫＤ１遺伝子と９５％以上の配列の同一性を有する。したがって、特異的なプローブとしてまたは増幅プライマーとして用いて試験に供されているＰＫＤ１遺伝子配列のオリゴヌクレオチドは、ＰＫＤ１相同体と交差ハイブリダイズすることが確認されており、ＰＫＤ１遺伝子座の特定のプローブを同定できないために、ＰＫＤ１遺伝子の変異の正確な分析が妨げられているのである。
【０００４】
ＰＫＤ１遺伝子の転写により、極めてＧＣリッチな１４ｋｂのｍＲＮＡが生産されるため、ＰＫＤ１遺伝子の変異の同定と特性付けが、部分的には一層妨げられている。加えて、極めてコンパクト（約３０ｋｂゲノムＤＮＡの範囲内でコードされた約１３．５ｋｂのｍＲＮＡ）なＰＫＤ１遺伝子の残余部分と異なり、エクソン１は約１９ｋｂのイントロンにより残りの遺伝子から分離される。このため、これまでは、第１のイントロンの範囲内に単に５’アンカープライマーを置き、より後ろの３’配列の部分と結合させるために用いる。エクソン１は、極めて高いＧＣ含量（約８５％）であり、増幅の主たる障害となるとともに、ＰＫＤ１相同体を高い忠実度で複製しうるなど、いくつかの他の特徴を有している。さらに、ＰＫＤ１遺伝子のエクソン２２（ポリピリミジン路の長さを含むイントロンにより両末端に隣接している）についてのＤＮＡを基にした分析には有効な方法はない。したがって、複製されたセグメントと隣接するエクソン２２内には、ＰＫＤ１特異的プライマーを設計するのに適した位置がほとんどない。
【０００５】
ヒトのＰＫＤ１遺伝子の領域研究に有用な２から３のオリゴヌクレオチドも開示されている。例えば、米国特許第６，０１７，７１７号には、配列番号：１１に記載されたプライマーが記載され、Ｗａｔｎｉｃｋら（Ｈｕｍ． Ｍｏｌ． Ｇｅｎｅｔ． ６：１４７３〜１４８１、１９９７）により配列番号：１８に記載されたプライマーが開示されている。また、Ｗａｔｎｉｃｋら（Ａｍ． Ｊ． Ｈｕｍ． Ｇｅｎｅｔ． ６５：１５６１〜１５７１、１９９９）により、配列番号：９、１０、４９〜５１、および６１〜１０５に記載されたプライマーが開示されている。配列番号：９および１０ならびに配列番号：１１および１２に記載されたプライマーセットも、つい最近Ｐｈａｋｄｅｅｋｉｔｃｈａｒｏｅｎら（Ｋｉｄｎｅｙ Ｉｎｔｅｒｎａｔｉｏｎａｌ ５８：１４００〜１４１２、２０００）により開示された。さらに、米国特許第６，０１７，７１７号中の配列番号：１３に記載されたプライマーは、配列番号：１０に記載された配列と実質的に同一であるヌクレオチド配列を有し、Ｗａｔｎｉｃｋら（Ｍｏｌ． Ｃｅｌｌ ２：２４７〜２５１、１９９８）により命名されたＴＷＲ２プライマーは、配列番号：１２に記載された配列と実質的に同一である。
【０００６】
ＰＫＤ１遺伝子の変異に関係する疾患を有する多くの家族、突然変異研究の臨床的および科学的に可能性のある効果、およびゲノム構造の利用可能性にもかかわらず、相対的には少数のＰＫＤ１の変異しか開示されておらず、ＰＫＤ１遺伝子の複雑なゲノム構造に係るデータは相対的に不足している。このため、ＰＫＤ１遺伝子の研究およびＰＫＤ１遺伝子の変異に関係する疾患の同定に適した診断方法の出現が望まれている。本発明は、このような要求を満足するものであり、さらなる利益を提供するものである。
【０００７】
発明の概要
本発明は、ヒトＰＫＤ１遺伝子の選択的検査（ＰＫＤ１遺伝子の変異の検出と同定を含む）に用いうる、組成物および方法を提供するものである。例えば、本発明に係る組成物は、ＰＫＤ１遺伝子の領域を選択的に増幅するのに有用なオリゴヌクレオチドプライマーを含むが、ＰＫＤ１相同体の対応する部分は含まない。したがって、本発明は、ＰＫＤ１遺伝子特異的プライマーに関係するものであり、また、このプライマーは、プライマー対の一つともなりうる。本発明に係るプライマーは、５’領域および隣接するＰＫＤ１特異的３’領域を含むプライマーであって、５’領域は、ＰＫＤ１遺伝子配列に対して、および任意にＰＫＤ１相同配列に対してもハイブリダイズしうるヌクレオチド配列を有し、３’領域は、ＰＫＤ１遺伝子配列に対してのみ選択的にハイブリダイズし、特に、ＰＫＤ１遺伝子の相同配列に対して選択的にハイブリダイズすることはないヌクレオチド配列を有する。ただし、本発明に係るプライマーは、配列番号：１１、１８、５２または６０に記載の配列を有していない。本発明のプライマーの５’領域は、通常、少なくとも約１０個の連続するヌクレオチドを含み、３’領域は、少なくとも一つの３’末端ヌクレオチドを含み、少なくとも一つの３’末端ヌクレオチドは、プライマーの５’領域がハイブリダイズ可能であるＰＫＤ１遺伝子のヌクレオチド配列の５’および隣接するヌクレオチドと同一であり、プライマーの５’領域がハイブリダイズ可能であるＰＫＤ１相同体のヌクレオチド配列の５’および隣接するヌクレオチドと異なっている。通常、プライマーは、約１４個から１８個のヌクレオチドの５’領域、および約２個から６個、特に２個から４個のヌクレオチドの３’領域を含む。例えば、本発明に係るプライマーは、配列番号：３から１０、１２から１７、１９から５１および６１から１１３に記載されるいずれかの配列を有することができる。
【０００８】
本発明はさらに、単離された変異型ＰＫＤ１ポリヌクレオチド、またはそのオリゴヌクレオチド部分に関する。本発明のポリヌクレオチドとしては、配列番号：１の変異によるものが例示され、これらは、ＰＫＤ１関連障害に関係しない正常な変種である。例えば、ポリヌクレオチドまたはオリゴヌクレオチドは、４７４位がＴであるヌクレオチド；４８７位がＡであるヌクレオチド；９３６７位がＴであるヌクレオチド；１０１４３位がＧであるヌクレオチド；１０２３４位がＣであるヌクレオチド；１０２５５位がＴであるヌクレオチド；またはその組み合わせを含む。ＰＫＤ１関連障害に関係する配列番号：１の変異により、ポリヌクレオチドまたはオリゴヌクレオチドは、配列番号：１において３１１０位がＣであるヌクレオチド；配列番号：１において８２９８位がＧであるヌクレオチド；配列番号：１において９１６４位がＧであるヌクレオチド；配列番号：１において９２１３位がＡであるヌクレオチド；配列番号：１において９３２６位がＴであるヌクレオチド；配列番号：１において１００６４位がＡであるヌクレオチド；またはその組み合わせを含む。本発明は、このようなポリヌクレオチドまたはオリゴヌクレオチド部分を含むベクターを提供するものであるとともに、このようなポリヌクレオチドもしくはオリゴヌクレオチド、またはベクターを含む宿主細胞を提供するものである。
【０００９】
本発明に係るＰＫＤ１特異的プライマーとしては、配列番号：１において、約２０４３位から４２０９位のヌクレオチド；約１７９０７位から２２４８９位のヌクレオチド；約２２２１８位から２６３６３位のヌクレオチド；約２６２４６位から３０６１５位のヌクレオチド；約３０６０６位から３３９５７位のヌクレオチド；約３６８１９位から３７１４０位のヌクレオチド；約３７３２９位から４１２５８位のヌクレオチド；および約４１５０８位から４７３２０位のヌクレオチドから選択されるヌクレオチド配列の約５０個のヌクレオチドおよびこれに隣接するヌクレオチド配列と選択的にハイブリダイズできるオリゴヌクレオチドが例示される。プライマー対の一つともなりうるプライマーは、配列番号：３から１８のいずれかと実質的に同一のヌクレオチド配列を有し、プライマーがプライマー対の一つでない場合には、プライマーは、配列番号：１１、１８、５２または６０に記載された配列を有していない。したがって本発明は、さらに、例えば配列番号：１に記載の野生型ＰＫＤ１遺伝子などの、ＰＫＤ１遺伝子の部分の増幅が可能なプライマー対に関する発明であって、増幅産物は、約２０４３位から４２０９位のヌクレオチド；約１７９０７位から２２４８９位のヌクレオチド；約２２２１８位から２６３６３位のヌクレオチド；約２６２４６位から３０６１５位のヌクレオチド；約３０６０６位から３３９５７位のヌクレオチド；約３６８１９位から３７１４０位のヌクレオチド；約３７３２９位から４１２５８位のヌクレオチド；約４１５０８位から４７３２０位のヌクレオチド；またはこれらの組み合わせを含むことができる。本発明のプライマー対は、ＰＫＤ１遺伝子の部分のＰＫＤ１特異的増幅の実施に有効である。
【００１０】
本発明のプライマー対としては、配列番号：３〜１８に記載されたオリゴヌクレオチドまたはこれらと実質的に同一の配列の、少なくとも１つのフォワードプライマーおよび少なくとも１つのリバースプライマーを含む対が例示される。１つの態様において、プライマー対は、配列番号：３および４；配列番号：５および６；配列番号：７および８；配列番号：９および１０；配列番号：１１および１２；配列番号：１３および１４；配列番号：１５および１６；配列番号：１７および１８；または配列番号：９および１１３を含む。さらに、ＰＫＤ１遺伝子のＰＫＤ１特異的増幅産物のネスティド（ｎｅｓｔｅｄ）増幅の実施に有効なプライマー対としては、例えば、配列番号：１９および２０；配列番号：２１および２２；配列番号：２３および２４；配列番号：２５および２６；配列番号：２７および２８；配列番号：２９および３０；配列番号：３１および３２；配列番号：３３および３４；配列番号：３５および３６；配列番号：３７および３８；配列番号：３９および４０；配列番号：４１および４２；配列番号：４３および４４；配列番号：４５および４６；配列番号：４７および４８；配列番号：４９および５０；配列番号：５１および６１；配列番号：６２および６３；配列番号：６４および６５；配列番号：６６および６７；配列番号：６８および６９；配列番号：７０および７１；配列番号：７２および７３；配列番号：７４および７５；配列番号：７６および７７；配列番号：７８および７９；配列番号：８０および８１；配列番号：８２および８３；配列番号：８４および８５；配列番号：８６および８７；配列番号：８８および８９；配列番号：９０および９１；配列番号：９２および９３；配列番号：９４および９５；配列番号：９６および１１３；配列番号：９７および９８；配列番号：９９および１００；配列番号：１０１および１０２；配列番号：１０３および１０４；配列番号：１０５および１０６；配列番号：１０７および１０８；配列番号：１０９および１１０；または配列番号：１１１および１１２に記載のプライマー対が提供される。さらに、他の態様として、本発明は複数のプライマー対に関し、ＰＫＤ１遺伝子の２つまたはそれ以上のＰＫＤ１特異的増幅産物の生産に有効な２つまたはそれ以上のプライマー対を含むか、または、ＰＫＤ１遺伝子のＰＫＤ１特異的増幅産物の生産およびＰＫＤ１特異的増幅産物のネスティド増幅産物の生産に有効な２つまたはそれ以上のプライマー対を含みうる。
【００１１】
本発明はまた、配列番号：２の変異体のアミノ酸配列を含む、精製された変異型ＰＫＤ１ポリペプチドまたはそのペプチド部分に関する。変異型ＰＫＤ１ポリペプチドまたはそのペプチド部分は、配列番号：２の配列と実質的に同一であってもよく、例えば、配列番号：２においてＶである８８位のアミノ酸残基；配列番号：２においてＲである９６７位の残基；配列番号：２においてＲである２６９６位の残基；配列番号：２においてＧである２９８５位の残基；配列番号：２においてＣである３０３９位の残基；配列番号：２においてＩである３２８５位の残基；配列番号：２においてＲである３３１１位の残基を含む；または配列番号：２に関し、３０００位のアミノ酸残基において、切断された変異型ＰＫＤ１ポリペプチド末端の３０００位の残基を含むことができ、コードされた変異型ＰＫＤ１ポリヌクレオチドの停止コドンの存在により、３００１位の残基が欠失される（および変異型ＰＫＤ１ポリペプチドが切断される）；またはこれら変異の組み合わせを含むことができる。さらに、本発明は、変異型ＰＫＤ１ポリペプチドまたはそのペプチドに特異的に結合する精製抗体を提供する。
【００１２】
また、本発明は固体支持体に固定化された、本発明に係るプライマーまたはオリゴヌクレオチドに関する。加えて、プライマーまたはオリゴヌクレオチドは、複数のプライマー、オリゴヌクレオチド、またはこれらの組み合わせのうちの一つとすることができ、それぞれは固体支持体に固定化されている。固体支持体は、例えばマイクロチップなどを含む任意の支持体であってもよく、この場合、プライマー、オリゴヌクレオチドまたはこれらの組み合わせを、アレイ、特に位置決め可能な（ａｄｄｒｅｓｓａｂｌｅ）アレイ中に配置することができる。プライマー、オリゴヌクレオチド、またはこれらの組み合わせは、互いに変性されていてもよく、野生型ＰＫＤ１ポリヌクレオチド、変種を含む変異型ＰＫＤ１ポリヌクレオチド、またはこれらの組み合わせに対して特異的であってもよく、したがって、多数の分析手段が提供される。すなわち、本発明は、１つまたは複数の固定化されたプライマー、本発明のヌクレオチド、またはこれらの組み合わせを含む組成物を提供するものである。
【００１３】
本発明は、試料中のＰＫＤ１ポリヌクレオチドの検出方法に関し、このＰＫＤ１ポリヌクレオチドは、配列番号：１に記載された配列を有する野生型ＰＫＤ１ポリヌクレオチド、または、配列番号：１と異なる配列を有するがＰＫＤ１関連障害に関係しない配列を有する変種ＰＫＤ１ポリヌクレオチドでありうる変異型ＰＫＤ１ポリヌクレオチド、もしくはＰＫＤ１関連障害に関係する変異型ＰＫＤ１ポリヌクレオチドでありうる。本発明に係る方法は、例えば、ＰＫＤ１ポリヌクレオチドを含むことが疑われる試料中の核酸分子と、少なくとも１つのプライマー対とを、プライマー対によりＰＫＤ１ポリヌクレオチドの増幅に適した条件下で接触させる段階、該条件下でＰＫＤ１に特異的な増幅産物を生産し、それによって試料中のＰＫＤ１ポリヌクレオチドを検出する段階を含む方法である。プライマー対は本明細書に開示されたいかなるプライマー対であってもよく、例えば、配列番号：３および４；配列番号：５および６；配列番号：７および８；配列番号：９および１０；配列番号：１１および１２；配列番号：１３および１４；配列番号：１５および１６；配列番号：１７および１８；もしくは配列番号：９および１１３；またはこれらの組み合わせでありうる。
【００１４】
ＰＫＤ１ポリヌクレオチドを検出する方法では、ＰＫＤ１特異的増幅産物を生産する段階において、該増幅産物と、少なくとも１つの第２のプライマー対とを、第２のプライマー対によるＰＫＤ１特異的増幅産物のネスティド増幅に適した条件下で接触させる段階、およびネスティド増幅産物を生産する段階がさらに含まれうる。第２のプライマー対は、ＰＫＤ１特異的増幅産物のネスティド増幅産物を生産できるいかなるプライマー対であってもよく、例えば、第２のプライマー対としては、配列番号：１９および２０、配列番号：２１および２２、配列番号：２３および２４、配列番号：２５および２６、配列番号：２７および２８、配列番号：２９および３０、配列番号：３１および３２、配列番号：３３および３４、配列番号：３５および３６、配列番号：３７および３８、配列番号：３９および４０、配列番号：４１および４２、配列番号：４３および４４、配列番号：４５および４６、配列番号：４７および４８、配列番号：４９および５０、配列番号：５１および６１のプライマー対；表２において配列番号：６２から９６、１１３、および９７から１１２に記載された連続するプライマーを用いて形成されるプライマー対；またはこれらの組み合わせが挙げられる。
【００１５】
本発明に係る方法に従って、試料中のＰＫＤ１ポリヌクレオチドを検出する段階において、配列番号：１の対応するヌクレオチド配列と比較して、試料中のＰＫＤ１ポリヌクレオチドの増幅産物中の変異の有無を検出する段階を加えることができる。このように、本発明に係る方法は、試料中のＰＫＤ１ポリヌクレオチドが、変異型ＰＫＤ１ポリヌクレオチドまたは野生型ＰＫＤ１ポリヌクレオチドであることを同定する手段を提供し、この場合、増幅産物中の変異の不在を検出する段階は、試料中のＰＫＤ１ポリヌクレオチドが野生型ＰＫＤ１ポリヌクレオチドであることを同定するものであり、増幅産物中の変異の存在を検出する段階は、試料中のＰＫＤ１ポリヌクレオチドが変異型ＰＫＤ１ポリヌクレオチドであることを同定するものであり、これらは、変種ＰＫＤ１ポリヌクレオチドまたはＰＫＤ１関連障害に関係する変異型ＰＫＤ１ポリヌクレオチドであってもよく、後者としては、例えば、少なくとも４７４位がＴであるポリヌクレオチド、４８７位がＡであるヌクレオチド、３１１０位がＣであるヌクレオチド、８２９８位がＧであるヌクレオチド、９１６４位がＧであるヌクレオチド、９２１３位がＡであるヌクレオチド、９３２６位がＴであるヌクレオチド、９３６７位がＴであるヌクレオチド、１００６４位がＡであるヌクレオチド、１０１４３位がＧであるヌクレオチド、１０２３４位がＣであるヌクレオチド、または１０２５５位がＴであるヌクレオチドである、配列番号：１と実質的に同一であるポリヌクレオチドが例示される。
【００１６】
本発明の方法に従って生産される増幅産物中の変異の有無は、変異の検出に有効ないかなる方法においても検出可能である。例えば、増幅産物のヌクレオチド配列を決定することができ、配列番号：１に記載の対応するヌクレオチド配列と比較することができる。増幅産物の融解温度も決定することができ、配列番号：１に記載の対応する二本鎖ヌクレオチド配列の融解温度と比較することができる。融解温度は、変性高速液体クロマトグラフィーのような方法を用いて決定することができる。
【００１７】
本発明に係る方法の利点は、多くの数の試料を連続的にまたは並行して分析できる点にある。したがって、本発明によれば、複数試料の実施が可能であり、例えば、アレイがマイクロチップ上にあるようなアレイ中に複数試料の試料を構成することにより、ハイスループット型で実施することもできる。本発明では、増幅産物の融解温度を決定し、変性高速液体クロマトグラフィーのような方法を用いて、配列番号：１の対応するヌクレオチド配列の融解温度と比較することによって、複数試料中の試料の増幅産物中の変異の有無を検出する段階をさらに含むことができ、または、変異の有無は、このような目的に有効な任意の方法を用いて行うことができる。例えば、マトリックス支援レーザー脱離飛行時間型質量分析計またはハイスループット立体感受性ゲル電気泳動を用いることができ、これらは、それぞれハイスループット分析型に容易に適合される。
【００１８】
他の態様としては、増幅産物中の変異の有無は、増幅産物と、本発明のオリゴヌクレオチドとを、同一のヌクレオチド配列とのオリゴヌクレオチドの選択的なハイブリダイゼーションに適した条件下で接触させる段階、および増幅産物に対するオリゴヌクレオチドの選択的ハイブリダイゼーションの有無を検出する段階により検出されうる。選択的ハイブリダイゼーションの存在を検出する方法を用いることにより、試料中のＰＫＤ１ポリヌクレオチドが変異型ＰＫＤ１ポリヌクレオチドとして同定され、選択的ハイブリダイゼーションの不在を検出することにより、ＰＫＤ１ポリヌクレオチドが野生型ＰＫＤ１ポリヌクレオチドとして同定されうる。変異の不在が確認される場合、試料中のＰＫＤ１ポリヌクレオチドが野生型ＰＫＤ１ポリヌクレオチドであると同定される。これに対し、変異の存在が確認される場合、同定された変異型ＰＫＤ１ポリヌクレオチドは、変異型ＰＫＤ１ポリヌクレオチドが、変種ＰＫＤ１ポリヌクレオチドであるかどうか決定すべくさらに検査され、これらは、例えば増幅産物が、Ｃ４７４Ｔ、Ｇ４８７Ａ、Ｇ４８８５Ａ、Ｃ６０５８Ｔ、Ｇ６１９５Ａ、Ｔ７３７６Ｃ、Ｃ７６９６Ｔ、Ｇ８０２１Ａ、Ｃ９３６７Ｔ、Ａ１０１４３Ｇ、Ｔ１０２３４Ｃ、またはこれらの組み合わせを含む配列番号：１と実質的に同一のヌクレオチド配列を有する場合に、ＰＫＤ１の一般的表現型に関係するものであり、または例えば増幅産物が、Ｔ３１１０Ｃ、Ｇ３７０７Ａ、Ｔ６０７８Ａ、Ｃ７４３３Ｔ、Ｔ８２９８Ｇ、Ａ９１６４Ｇ、Ｇ９２１３Ａ、Ｃ９３２６Ｔ、Ｇ１００６４Ａ、Ｇ７５３５とＡ７５３６のヌクレオチドの間へのＧＣＧの挿入、またはこれらの組み合わせを含む配列番号：１と実質的に同一のヌクレオチド配列を有する場合に、ＰＫＤ１関連障害に関係する変異型ＰＫＤ１ポリヌクレオチドであり、これらはそれぞれＡＤＰＫＤに関連している（実施例２参照；参照として本明細書に組み入れられるＰｈａｋｄｅｅｋｉｔｃｈａｒｏｅｎら、Ｋｉｄｎｅｙ Ｉｎｔｅｒｎａｔｉｏｎａｌ ５８：１４００〜１４１２、２０００参照）。
【００１９】
本発明は、さらに、試料中の変異型ＰＫＤ１ポリヌクレオチドの存在を検出する方法に関する。一つの態様としては、本発明に係る方法は、本発明のプライマー対、例えば、配列番号：３および４；配列番号：５および６；配列番号：７および８；配列番号：９および１０；配列番号：１１および１２；配列番号：１３および１４；配列番号：１５および１６；配列番号：１７および１８；または配列番号：９および１１３から選択されるプライマー対を用いて変異型ＰＫＤ１ポリヌクレオチドを含有することが疑われる試料中の核酸配列を増幅することによって、ＰＫＤ１遺伝子配列のＰＫＤ１特異的増幅産物を得る段階、および増幅産物中の変異型ＰＫＤ１ポリヌクレオチドを検出する段階により行うことができる。増幅産物中の変異型ＰＫＤ１ヌクレオチドの検出には、ポリヌクレオチド中の変異を検出するのに有効な任意の方法を用いてもよく、例えば、変性高速液体クロマトグラフィーを用いることができる。他の態様としては、本発明の方法は、変異型ＰＫＤ１ポリヌクレオチドを含有することが疑われる試料と、本発明の単離ポリヌクレオチド、またはそのオリゴヌクレオチド部分を含むプローブとを、プローブが変異型ＰＫＤ１ポリヌクレオチドと選択的にハイブリダイズするような条件下で接触させる段階、およびプローブとＰＫＤ１ポリヌクレオチドの特異的ハイブリダイゼーションを検出することによって、試料中の変異型ＰＫＤ１ポリヌクレオチド配列の存在を検出する段階により実施される。
【００２０】
本発明はさらに、ＰＫＤ１関連障害を有するか、またはそのリスクを有する被験者を同定する方法に関する。このような方法は、例えば、被験者から得られた試料中の核酸分子と、本発明の少なくとも１つのプライマー対とを、プライマー対によるＰＫＤ１ポリヌクレオチドの増幅に適した条件下で接触させることによって、増幅産物を生産する段階、およびＰＫＤ１関連障害を示す変異の有無に対する増幅産物の試験を行う段階により実施される。本明細書中に開示するように、そのような変異の不在により、ＰＫＤ１関連障害を有していないかまたは有するリスクがない被験者を同定することができ、そのような変異の存在により、例えば、ＡＤＰＫＤまたは後天的嚢胞性疾患のようなＰＫＤ１関連障害を有しているかまたは有するリスクのある被験者を同定することができる。
【００２１】
本発明の診断方法において有効なプライマー対としては、配列番号：３および４；配列番号：５および６；配列番号：７および８；配列番号：９および１０；配列番号：１１および１２；配列番号：１３および１４；配列番号：１５および１６；配列番号：１７および１８；ならびに配列番号：９および１１３から選択される少なくとも１つのプライマー対が含まれる。被験者としては、ＰＫＤ１遺伝子を有し、且つＰＫＤ１関連障害を有することが疑われる被験者であればいかなる被験者であってもよく、脊椎動物被験者、特に、ネコまたはヒトなどの哺乳動物被験者が含まれる。加えて、診断方法は、ハイスループット型で行うことができ、したがって、コスト効率の良好な方法で大量数の試料の検査が可能となる。
【００２２】
診断方法では、さらに、上述のようにして生産された増幅産物と、少なくとも１つの第２のプライマー対とを、第２のプライマー対による増幅産物のネスティド増幅に適した条件下で接触させることによって、ネスティド増幅産物を生産する段階を含むことができる。第２のプライマー対としては、例えば、配列番号：１９および２０、配列番号：２１および２２、配列番号：２３および２４、配列番号：２５および２６、配列番号：２７および２８、配列番号：２９および３０、配列番号：３１および３２、配列番号：３３および３４、配列番号：３５および３６、配列番号：３７および３８、配列番号：３９および４０、配列番号：４１および４２、配列番号：４３および４４、配列番号：４５および４６、配列番号：４７および４８、配列番号：４９および５０、ならびに配列番号：５１および６１から選択されるプライマー対；表２に記載される配列番号：６２から９６、１１３、９７から１１２に記載される２つの連続するプライマーを用いて形成されるプライマー対（即ち、配列番号：６２および６３、配列番号：６４および６５など）；またはこれらの組み合わせであってもよく、それぞれの場合に、変異の有無に対して増幅産物を試験する段階は、ネスティド増幅産物を試験する段階を含む。ネスティド増幅に対するプライマー対の選択は、ネスティド増幅のための鋳型として用いられるＰＫＤ１特異的増幅産物の配列を基に行うべきことが認識され、即ち、ネスティドプライマー対は、標的とするＰＫＤ１特異的増幅産物とハイブリダイズ可能であり、且つ標的配列の増幅が可能なプライマーから選択される。
【００２３】
増幅産物に対し、例えば下記の段階により、変異の有無の試験をすることができる：増幅産物のヌクレオチド配列を決定する段階、および配列番号：１に記載の対応するヌクレオチド配列を比較する段階；例えば、変性高速液体クロマトグラフィーを用いて、増幅産物の融解温度を決定する段階、およびこの増幅産物の融解温度と配列番号：１に記載の対応するヌクレオチド配列の融解温度とを比較する段階；増幅産物と、配列番号：１において４７４位がＴであるヌクレオチド、配列番号：１において４８７位がＡであるヌクレオチド、配列番号：１において３１１０位がＣであるヌクレオチド、配列番号：１において８２９８位がＧであるヌクレオチド、配列番号：１において９１６４位がＧであるヌクレオチド、配列番号：１において９２１３位がＡであるヌクレオチド、配列番号：１において９３２６位がＴであるヌクレオチド、配列番号：１において９３６７位がＴであるヌクレオチド、配列番号：１において１００６４位がＡであるヌクレオチド、配列番号：１において１０１４３位がＧであるヌクレオチド、配列番号：１において１０２４３位がＣであるヌクレオチド、および配列番号：１において１０２５５位がＴであるヌクレオチドを含むオリゴヌクレオチドプローブとを、変異型ＰＫＤ１ポリペプチド（この場合、正常な変種であってもよく、またはＰＫＤ１関連障害に関係する変異型ＰＫＤ１ポリヌクレオチドであってもよい）に対するプローブの選択的ハイブリダイゼーションに適した条件下で接触させる段階。
【００２４】
本発明は、さらに、ＰＫＤ１関連障害を有することが疑われる被験者におけるＰＫＤ１関連障害の診断方法に関する。このような方法は、ＰＫＤ１遺伝子配列のＰＫＤ１特異的増幅に適したプライマー対、例えば、配列番号：３および４、配列番号：５および６、配列番号：７および８、配列番号：９および１０、配列番号：１１および１２、配列番号：１３および１４、配列番号：１５および１６、配列番号：１７および１８、または配列番号：９および１１３のようなプライマー対を用いて被験者から得られた試料中の核酸配列を増幅することによって、ＰＫＤ１特異的な第１の増幅産物を得る段階；およびＰＫＤ１特異的な第１の増幅産物中のＰＫＤ１遺伝子配列の変異であって、ＰＫＤ１関連障害であることを示す変異を検出することにより、被験者のＰＫＤ１関連障害を診断する段階により行われる。
【００２５】
ある態様では、診断方法は、さらにネスティド増幅産物を得るために、第２のプライマー対セットを用いて第１の増幅産物を増幅する段階；およびネスティド増幅産物中のＰＫＤ１遺伝子変異を検出する段階を含む。第２のプライマー対セットは、ＰＫＤ１特異的な第１の増幅産物の増幅に有効なプライマー対ならばいずれでもよく、例えば、このようなプライマー対としては、配列番号：１９および２０、配列番号：２１および２２、配列番号：２３および２４、配列番号：２５および２６、配列番号：２７および２８、配列番号：２９および３０、配列番号：３１および３２、配列番号：３３および３４、配列番号：３５および３６、配列番号：３７および３８、配列番号：３９および４０、配列番号：４１および４２、配列番号：４３および４４、配列番号：４５および４６、配列番号：４７および４８、配列番号：４９および５０、ならびに配列番号：５１および６１に例示される任意のプライマー対；または表２に記載される配列番号：６２から９６、１１３、９７から１１２に記載される連続するプライマーを用いて形成される任意のプライマー対が含まれる。
【００２６】
他の方法としては、診断方法は、ＰＫＤ１特異的な第１の増幅産物または第２の増幅産物と、配列番号：１の変異体を含む、単離したポリヌクレオチドまたはそのオリゴヌクレオチド部分を含むプローブとを、プローブが変異型ＰＫＤ１ポリヌクレオチドと選択的にハイブリダイズしうるような条件下で接触させる段階；および第１の増幅産物へのプローブの選択的ハイブリダイゼーションを検出することによって、被験者のＰＫＤ１関連障害を診断する段階を含む。このようなプローブとしては、例えば、４７４位がＴであるヌクレオチド、４８７位がＡであるヌクレオチド、３１１０位がＣであるヌクレオチド、８２９８位がＧであるヌクレオチド、９１６４位がＧであるヌクレオチド、９２１３位がＡであるヌクレオチド、９３２６位がＴであるヌクレオチド、９３６７位がＴであるヌクレオチド、１００６４位がＡであるヌクレオチド、１０１４３位がＧであるヌクレオチド、１０２３４位がＣであるヌクレオチド、または１０２５５位がＴであるヌクレオチドのうちの１つまたは複数を含む、配列番号：１に記載のオリゴヌクレオチド部分でありうる。
【００２７】
本発明はさらに試料中の変異型ＰＫＤ１ポリペプチドの存在を検出する方法に関する。このような方法は、例えば、変異型ＰＫＤ１ポリペプチドを含有することが疑われる試料と、変異型ＰＫＤ１ポリペプチドに特異的に結合する抗体とを、抗体が変異型ＰＫＤ１ポリペプチドに結合することが可能な条件下で接触させる段階、および抗体と試料中の変異型ＰＫＤ１ポリペプチドとの特異的な結合を検出する段階により実施される。抗体と変異型ＰＫＤ１ポリペプチドの免疫複合体が検出された場合は、例えば、試料中の変異型ＰＫＤ１ポリペプチドの存在が示される。１つの態様において、本方法は、例えば、ＰＫＤ１ポリペプチドを含有することが疑われる被験者から得られる組織試料と、変異型ＰＫＤ１ポリペプチドに特異的に結合する抗体とを、抗体がＰＫＤ１ポリペプチドに相互作用可能な条件下で接触させる段階、および抗体と組織中のＰＫＤ１ポリペプチドとの特異的結合を検出する段階により実施される。
【００２８】
本発明は、さらに、ＰＫＤ１関連障害に関係する変種ＰＫＤ１ポリヌクレオチドまたは変異型ＰＫＤ１ポリヌクレオチドでありうる変異型ＰＫＤ１ポリヌクレオチドを検出するキットに関する。このようなキットは、例えば、１つまたは複数の容器を含む担体を含み、第１の容器が、野生型または変異型ＰＫＤ１ポリヌクレオチドの検出に有効なヌクレオチド配列を含む。本発明のキットに有用なヌクレオチド配列としては、４７４位がＴであるヌクレオチド、４８７位がＡであるヌクレオチド、３１１０位がＣであるヌクレオチド、３３３６位のヌクレオチドが欠失した３３３６位のヌクレオチドに対応する位置、３７０７位がＡであるヌクレオチド、４１６８位がＴであるヌクレオチド、４８８５位がＡであるヌクレオチド、５１６８位がＴであるヌクレオチド、６０５８位がＴであるヌクレオチド、６０７８位がＡであるヌクレオチド、６０８９位がＴであるヌクレオチド、６１９５位がＡであるヌクレオチド、６３２６位がＴであるヌクレオチド、７２０５位から７２１１位のヌクレオチドが欠失した７２０５位から７２１１位のヌクレオチドに対応する位置、７３７６位がＣであるヌクレオチド、７５３５位と７５３６位の間にＧＣＧヌクレオチド配列が挿入された７５３５位から７５３６位のヌクレオチドに対応するヌクレオチド配列、７４１５位がＴであるヌクレオチド、７４３３位がＴであるヌクレオチド、７６９６位がＴであるヌクレオチド、７８８３位がＴであるヌクレオチド、８０２１位がＡであるヌクレオチド、８１５９位から８１６０位のヌクレオチドが欠失した８１５９位から８１６０位のヌクレオチドに対応するヌクレオチド配列、８２９８位がＧであるヌクレオチド、９１６４位がＧであるヌクレオチド、９２１３位がＡであるヌクレオチド、９３２６位がＴであるヌクレオチド、９３６７位がＴであるヌクレオチド、１００６４位がＡであるヌクレオチド、１０１４３位がＧであるヌクレオチド、１０２３４位がＣであるヌクレオチド、または１０２５５位がＴであるヌクレオチドのうちの少なくとも１つを含む、配列番号：１に記載の少なくとも１０個の連続するヌクレオチドを含むオリゴヌクレオチドでありうる。本発明のキットに有用なヌクレオチド配列は、プライマー対、特に配列番号：３から１８に記載の少なくとも一つのフォワードプライマーおよびリバースプライマーの１つまたは両方を含んでもよく、且つ、キットは、配列番号：１９から５１および６１から１１３に記載されたフォワードプライマーおよびリバースプライマーを含む少なくとも１つの第２のプライマー対を含んでもよい。さらに本発明は、変異型ＰＫＤ１ポリペプチドまたはそのペプチド部分に特異的に結合する抗体を含むキットに関する。
【００２９】
発明の詳細な説明
本発明は多発性嚢胞腎疾患関連タンパク質−１（ＰＫＤ１）遺伝子変種および変異体を同定する組成物および方法、ならびに被験者中のＰＫＤ１関連障害を診断する組成物および方法を提供するものである。本発明の開示以前には、変異に対して完全なＰＫＤ１遺伝子を選択的に試験する可能性は、ヒトの１６番染色体上にＰＫＤ１遺伝子が存在することを含む、ＰＫＤ１遺伝子およびＰＫＤ１遺伝子相同体の高い配列相同性のために妨げられていた。本明細書に開示するように、完全なＰＫＤ１遺伝子の試験に対してプローブおよびプライマーとして有用となるポリヌクレオチドが、現在開発されている。従って、本発明は、ＰＫＤ１変異の検出に有用であり、且つＰＫＤ１関連障害の診断が可能な、ＰＫＤ１遺伝子およびＰＫＤ１遺伝子変異体のポリヌクレオチドおよびそのオリゴヌクレオチド部分を提供するものである。
【００３０】
常染色体優性多発性嚢胞腎疾患（ＡＤＰＫＤ）は、常染色体優性遺伝に典型的な伝達様式を示し、影響を受けた個体のそれぞれの子孫は、典型的には、原因遺伝子を遺伝する確率を５０％有する。関連する研究により、原因遺伝子は、αグロブリン群の近傍の１６番染色体の短いアーム上に存在することが示され、この遺伝子座はＰＫＤ１と命名された（Ｒｅｅｄｅｒｓら、Ｎａｔｕｒｅ、３１７：５４２、１９８５）。他のＰＫＤ関連遺伝子（例えばＰＫＤ２）も存在するが、ＰＫＤ１の欠失により、影響を受けたファミリーの約８５〜９０％において、ＡＤＰＫＤが引き起こされると推測される（Ｐａｒｆｒｅｙら、Ｎｅｗ Ｅｎｇ． Ｊ． Ｍｅｄ． ３２３：１０８５〜１０９０、１９９０；Ｐｅｔｅｒｓら、Ｃｏｎｔｒｉｂ Ｎｅｐｈｒｏｌ． ９７：１２８〜１３９、１９９２）。
【００３１】
ＰＫＤ１遺伝子は、具体的には、染色体の１６ｐ１３．３位に、特に、マーカーのＡＴＰＬとＣＭＭ６５（Ｄ１６Ｓ８４）の間にある約６００ｋｂの間隔を有して位置している。この領域は、しばしば転写された配列に隣接するＣｐＧ島に富み、この領域には、少なくとも２０個の遺伝子が含まれると想定されている。ＰＫＤ１遺伝子の正確な位置は、この領域に関係する１４ｋｂ ＲＮＡ転写を妨害する転座を有する、影響を受けたメンバーを有するＡＤＰＫＤファミリーを見出すことにより正確に示されていた（ヨーロッパＰＫＤコンソーシアム、Ｃｅｌｌ、７７：８８１、１９９４）。
【００３２】
図１に図示されたＰＫＤ１遺伝子のゲノム構造（配列番号：１；付録Ａ参照；参照として本明細書に組み入れられるＧｅｎＢａｎｋアクセッション番号Ｌ３９８９１も参照）は、約５０ｋｂ以上にわたって広がり、４６個のエクソンを有し、イントロン２１および２２（図１において「ＣＣＴＣＣＴＣＣＴ」で示される）にそれぞれ対応する約２．５ｋｂおよび０．５ｋｂの２つの大きなポリピリミジン領域により二分されている。５’ＵＴＲの前に始まり、エクソン３４（図１、点線領域）で終了すると考えられる遺伝子の複製部分は、遺伝子の５’末端の約３分の２を占め、ヒトゲノムにおいて、高い類似性で転写される様式において数回重複している（Ｇｅｒｍｉｎｏら、Ｇｅｎｏｍｉｃｓ １３：１４４〜１５１、１９９２；Ｅｕｒｏｐｅａｎ Ｃｈｒｏｍｏｓｏｍｅ １６ Ｔｕｂｅｒｏｕｓ Ｓｃｌｅｒｏｓｉｓ Ｃｏｎｓｏｒｔｉｕｍ、１９９３、Ｃｅｌｌ ７５：１３０５〜１３１５）。コードされたＰＫＤ１ポリペプチドを配列番号：２に示す（付録Ａ参照；参照として本明細書に組み入れられるＧｅｎＢａｎｋアクセッション番号Ｐ９８１６１も参照）。配列番号：２は、ＧｅｎＢａｎｋアクセッション番号Ｌ３９８９１（ＧｅｎＢａｎｋ ＡＡＢ５９４８８参照）をコードするアミノ酸配列とは同一ではなく、おそらく、ＰＫＤ１遺伝子配列に由来するコードされたＰＫＤ１ポリペプチドを推定する際のエラーによると認識される。一方、野生型ＰＫＤ１ポリペプチド配列を、配列番号：２に示す（ＧｅｎＢａｎｋアクセッション番号Ｐ９８１６１）。
【００３３】
本発明は、プライマー対の一つになりうる、ＰＫＤ１遺伝子特異的プライマーを提供するものである。本発明のプライマーは、５’領域および隣接するＰＫＤ１特異的３’領域を含み、５’領域はＰＫＤ１遺伝子配列またはＰＫＤ１遺伝子配列およびＰＫＤ１遺伝子相同配列とハイブリダイズしうるヌクレオチド配列を有し、且つ３’領域はＰＫＤ１遺伝子配列のみと選択的にハイブリダイズし、ＰＫＤ１遺伝子相同配列とは特にハイブリダイズしないヌクレオチド配列を有する。ただし、本発明のプライマーは、配列番号：１１、１８、５２または６０に記載の配列を有してはいない。このように、本発明のプライマーは、配列番号：３、４、５、６、７、８、９、１０、１２、１３、１４、１５、１６、１７、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２および１１３のいずれかに記載の配列、ならびに配列番号：３〜５１および配列番号：６１〜１１３のいずれかと実質的に同一である配列を有することができ、配列は、５’領域がＰＫＤ１遺伝子配列またはＰＫＤ１遺伝子配列およびＰＫＤ１遺伝子相同配列とハイブリダイズすることができ、３’領域がＰＫＤ１遺伝子配列と選択的にハイブリダイズするが、ＰＫＤ１遺伝子相同配列とハイブリダイズせず、且つ、本明細書において配列は、他の配列を特に排除するものではない。
【００３４】
本発明で開示するとおり、本発明のプライマーは、配列番号：１を、ＧｅｎＢａｎｋアクセッション番号ＡＣ００２０３９、ＡＣ０１０４８８、ＡＣ０４０１５８、ＡＦ３２０５９３、およびＡＦ３２０５９４（各々が参照として本明細書に組み入れられる；Ｂｏｇｄａｎｏｖａら、Ｇｅｎｏｍｉｃｓ ７４：３３３〜３４１、２００１参照）に含まれるＰＫＤ１遺伝子相同体とともに整列させる段階、および配列が相違する可能性を有する領域を同定する段階、さらに、少なくとも約１０個のヌクレオチドと対合（ｍａｔｃｈ）し、対合した領域の３’末端またはその隣接部分と誤対合（ｍｉｓｍａｔｃｈ）し、ＰＫＤ１特異的プライマーとして選択する段階により、調製することができる（実施例１参照；Ｐｈａｋｄｅｅｋｉｔｃｈａｒｏｅｎら、前記、２０００も参照）。このようなプライマーはＰＫＤ１遺伝子およびＰＫＤ１遺伝子相同体とハイブリダイズすることができるが、プライマーがＰＫＤ１遺伝子相同体にハイブリダイズする場合に３’領域の１つまたは複数のヌクレオチドとは誤対合するため、伸張産物はＰＫＤ１遺伝子にハイブリダイズして生産されるのみであるので、このようなプライマーを「ＰＫＤ１特異的プライマー」という。選択されたオリゴヌクレオチドがＰＫＤ１特異的プライマーであることの確証は、本明細書で開示した方法（実施例１）または当技術分野に公知の方法を用いて行うことができる。例えば、プライマーが、本発明のＰＫＤ１特異的プライマーであることを決定するための単純で直接的な方法は、ＰＫＤ１遺伝子配列とＰＫＤ１遺伝子相同配列を含む、推定ＰＫＤ１特異的プライマーおよび鋳型を用いて、プライマーの伸張または増幅反応を行い、ＰＫＤ１遺伝子相同体の鋳型ではなく、ＰＫＤ１遺伝子の鋳型から生産される単一の伸張産物または増幅産物を検出することである。この方法または他の方法を用いてＰＫＤ１特異的プライマーとして同定される配列は、Ｗａｔｎｉｃｋら（前記、１９９９）により記載される各種の対照実験を実施することにより確かめることができ、例えば、ＰＫＤ１遺伝子を有する細胞から得られる増幅産物と、必要な場合には、ＰＫＤ１遺伝子を有していないがＰＫＤ１遺伝子相同体を有する放射線雑種細胞系、１４５．１９を用いて生産される産物と比較することにより行うことができる。
【００３５】
ＰＫＤ１特異的プライマーとして有用であると考えられるヌクレオチド配列が、本明細書で定義するＰＫＤ１特異的プライマーの条件に合致するヌクレオチド配列であることを確証するため、例えば、ＢＬＡＳＴサーチ、または他のアルゴリズムを用いてヒトゲノムＤＮＡデータベースと比較することもできる。例えば、推定ＰＫＤ１特異的プライマーは、国立バイオテクノロジー情報センター（Ｎａｔｉｏｎａｌ Ｃｅｎｔｅｒ ｆｏｒ Ｂｉｏｔｅｃｈｎｏｌｏｇｙ Ｉｎｆｏｒｍａｔｉｏｎ（ＮＣＢＩ））において調査することができる。すなわち、ｗｗｗ（ｗｏｒｌｄ ｗｉｄｅ ｗｅｂ）にアクセスし、「Ｂｌａｓｔ」をオプションで選択し、その後、「Ｓｅａｒｃｈ ｆｏｒ ｓｈｏｒｔ ｎｅａｒｌｙ ｅｘａｃｔ ｍａｔｃｈｅｓ」を選択し、調査すべき配列に入り、さらに、デフォルトサーチアルゴリズム（ワードサイズ７）を用い、すべての非重複性のＧｅｎＢａｎｋ＋ＥＭＢＬ＋ＤＤＢＪ＋ＰＤＢ配列を含み、ＥＳＴ、ＳＳＴ、ＧＳＳまたはＨＴＧＳ配列を含まない「ｎｒ」データベースを探索する。アウトプットは、上位から１０番目までの適合のみを示すように制限することができる。
【００３６】
本発明のＰＫＤ１特異的プライマーでは、５’領域は、少なくとも約１０個の連続するヌクレオチド、一般的には少なくとも約１２個のヌクレオチド、通常では約１４個から約１８個のヌクレオチドを有する。加えて、プライマーの３’領域は、少なくとも一つの３’末端ヌクレオチドを含み、少なくとも約２〜６個のヌクレオチド、特に約２〜４個のヌクレオチドの配列を含むことができる。３’領域が単一の３’末端ヌクレオチドである場合、プライマーは、プライマーの５’領域とハイブリダイズすることができるＰＫＤ１遺伝子のヌクレオチド配列の５’および隣接するヌクレオチドと同一であり、プライマーの５’領域とハイブリダイズすることができるＰＫＤ１相同体のヌクレオチド配列の５’および隣接するヌクレオチドと異なるように選択され、即ち、誤対合ヌクレオチドが挙げられる。ＰＫＤ１特異的プライマーの３’領域が２つまたはそれ以上のヌクレオチドを含む場合、１つまたは複数のヌクレオチドは誤対合しうる。誤対合ヌクレオチドは、３’末端ヌクレオチドを含むことができるが、含む必要はなく、１つまたは複数の誤対合ヌクレオチドが３’末端ヌクレオチドを含まないときは、プライマーは、ＰＫＤ１遺伝子相同体にハイブリダイズしない場合に伸張されない。
【００３７】
本発明のＰＫＤ１特異的プライマーとしては、約２０４３位から４２０９位のヌクレオチド、約１７９０７位から２２４８９位のヌクレオチド、約２２２１８位から２６３６３位のヌクレオチド、約２６２４６位から３０６１５位のヌクレオチド、約３０６０６位から３３９５７位のヌクレオチド、約３６８１９位から３７１４０位のヌクレオチド、約３７３２９位から４１２５８位のヌクレオチド、および約４１５０８位から４７３２０位のヌクレオチドから選択される配列番号：１に記載のヌクレオチド配列の、約５０個のヌクレオチドおよびそれに隣接するヌクレオチドのヌクレオチド配列と選択的にハイブリダイズすることができるプライマーが例示される。本発明のプライマーとしては、配列番号：３〜１０、１２〜１７、１９〜５１、および６１〜１１３のいずれかが例示され、配列番号：３〜５１および６１〜１１３のいずれかと実質的に同一の配列を有していてもよく、且つ配列は、本明細書で開示されたＰＫＤ１特異的プライマーの条件に合致し、配列番号：１１、１８、５２および６０のいずれかに記載の配列ではない。
【００３８】
プライマーが、配列番号：３〜５１および６１〜１１３の一つと、少なくとも約８０％または約８５％、一般的には少なくとも約９０％、通常では少なくとも約９５％、特に少なくとも約９９％の配列の同一性を有し、且つプライマーが５’領域および隣接するＰＫＤ１特異的３’領域を含み、５’領域はＰＫＤ１遺伝子配列またはＰＫＤ１遺伝子配列およびＰＫＤ１遺伝子相同配列とハイブリダイズしうるヌクレオチド配列を有し、３’領域はＰＫＤ１遺伝子配列のみと選択的にハイブリダイズし、ＰＫＤ１遺伝子相同配列とは特にハイブリダイズしないヌクレオチド配列を含み、ただし、本明細書に定義されるように、本発明のプライマーは、配列番号：１１、１８、５２または６０に記載の配列を含まない場合に、プライマーは、配列番号：３〜５１および６１〜１１３のいずれかと「実質的に同一である」と考えられる。このように、本発明のプライマーは、１または２〜３であるが、４または５以下であって、配列番号：３〜５１および６１〜１１３に記載のプライマーより多いか、より少数のヌクレオチドを含むことができる。ただし、プライマーが、本発明で定義する機能条件に合致している必要がある。
【００３９】
本発明はさらにプライマー対を提供するものである。一つの態様としては、本発明のプライマー対は、本明細書で開示するフォワードおよびリバースＰＫＤ１特異的プライマーを含む。例えば、本発明のプライマー対は、約２０４３位から４２０９位のヌクレオチド、約１７９０７位から２２４８９位のヌクレオチド、約２２２１８位から２６３６３位のヌクレオチド、約２６２４６位から３０６１５位のヌクレオチド、約３０６０６位から３３９５７位のヌクレオチド、約３６８１９位から３７１４０位のヌクレオチド、約３７３２９位から４１２５８位のヌクレオチド、約４１５０８位から４７３２０位のヌクレオチド、またはこれらの組み合わせを含む、配列番号：１の部分を増幅させることができる。通常、本発明に係るプライマー対は、約１０キロベースまたはそれより短く、一般的には約７５００ベースまたはそれより短く、特定に約６キロベースまたはそれより短い増幅産物を生産することができる。本発明のプライマー対としては、配列番号：３〜１８から選択されるフォワードプライマーおよびリバースプライマーが例示され、約０．３キロベース〜約５．８キロベースのＰＫＤ１特異的増幅産物を生産するのに用いられうる、例えば配列番号：３および４、配列番号：５および６、配列番号：７および８、配列番号：９および１０、配列番号：１１および１２、配列番号：１３および１４、配列番号：１５および１６、配列番号：１７および１８、ならびに配列番号：９および１１３のいずれかである。
【００４０】
本明細書に記載するように、８つのポリメラーゼ連鎖反応（ＰＣＲ）プライマー対のセットは、ＰＫＤ１遺伝子の複製領域内のエクソンとこれらに隣接するイントロンのすべてを含む、ＰＫＤ１特異的増幅産物を調製するのに用いることができる。開示されたプライマーのヌクレオチド配列、および配列番号：１から、以下のことが認識できる：ＰＫＤ１特異的な第１の増幅産物の調製に有用な付加的なＰＣＲプライマー対は、例示されたプライマーおよびプライマー対を基にすることができるが、例示されたプライマーの片方または両方の末端で１つまたは数個の付加的なヌクレオチド（配列番号：１に基づく）を含むことができ、または、例示されたプライマーにおいて１つまたは数個のヌクレオチドを欠失していてもよく、および、これらのプライマー対の有用性は、本明細書で開示されているＰＫＤ１特異的増幅産物に由来するプライマーまたは改変したプライマーを用いて生産された増幅産物を比較することで決定することができる。このように、例えば、配列番号：３および４に基づくプライマー対は、配列番号：２に記載の約２０４３〜４２０９位のヌクレオチドを含むＰＫＤ１特異的増幅産物を生産するのに用いることができ、「配列番号：２に記載の約２０４３〜４２０９位のヌクレオチド」の「約」とは、増幅に用いるプライマー対が、配列番号：３および４と同一または実質的に同一であることを意味する。
【００４１】
したがって、本発明は、配列番号：３〜１８に記載のヌクレオチド配列を有するフォワードプライマーおよびリバースプライマーを含むプライマー対；配列番号：３および４、配列番号：５および６、配列番号：７および８、配列番号：９および１０、配列番号：１１および１２、配列番号：１３および１４、配列番号：１５および１６、配列番号：１７および１８、ならびに配列番号９および１１３に例示されたプライマー対；ならびにＰＫＤ１特異的増幅産物の調製に有用なプライマー対である、例示されたプライマーに基づくプライマーまたは例示されたプライマーに由来するプライマーを含む実質的に同一のプライマーを提供するものである。配列番号：９および１０、ならびに配列番号：１１および１２に示されるプライマー対は、これらのプライマーを用いて生産されるＰＫＤ１特異的増幅産物を有するとされ、Ｐｈａｋｄｅｅｋｉｔｃｈａｒｏｅｎら（前記、２０００）に記載されている。
【００４２】
例示された特定のプライマーおよび特定のプライマー対は、本発明の範囲に含まれるとは考えないことを認識しなければならない。例えば、配列番号：１１に記載のプライマーは、米国特許第６，０１７，７１７号に記載され（参照として本明細書に組み入れられる；２４段、配列番号：１５）。および、配列番号：１８に記載のプライマーは、Ｗａｔｎｉｃｋら（参照として本明細書に組み入れられるＨｕｍ． Ｍｏｌ． Ｇｅｎｅｔ． ６：１４７３〜１４８１、１９９７、１４７９頁；ＫＧ８Ｒ２５）に記載され、したがって、これらはいずれも本発明のプライマーではない。しかし、配列番号：１１および１８に記載のプライマーセットは、本発明のプライマー対の範囲に含まれ、また、各種の開示または例示されたプライマー対、例えば、配列番号：１１および１２、配列番号：１７および１８に記載のプライマー対セット、ならびに２つまたはそれ以上のプライマー対の組み合わせ、例えば、配列番号：１１および１２並びに配列番号：１３および１４の組み合わせを含む。
【００４３】
配列番号：９および１０に記載のプライマーは、Ｗａｔｎｉｃｋら（本明細書に参照として組み入れられるＡｍ． Ｊ． Ｈｕｍ． Ｇｅｎｅｔ． ６５：１５６１〜１５７１、１９９９）に記載されており、このため、望ましい場合には、例えば、本発明のプライマーの範囲内のプライマーとして、本発明の特定な態様から特に除外されうる。しかしながら、プライマー対として、配列番号：９および１０の組み合わせは、Ｗａｔｎｉｃｋら（前記、１９９９）に記載はないことを認識すべきである。また、配列番号：４９〜５１および６１〜１０５は、Ｗａｔｎｉｃｋら（前記、１９９９）に記載されているが、本発明の特定の態様からは特に除外しうる。
【００４４】
ここに提供されたものを除き、本発明に係るプライマーは、配列番号：３〜５１および６１〜１１３のいずれかに例示され、ならびに配列番号：３〜５１および６１〜１１３に基づくかまたは由来するオリゴヌクレオチドプライマーと実質的に同一であるものも同様である。しかしながら、配列番号：１２に記載されたプライマーは、Ｗａｔｎｉｃｋら（本明細書に参照として組み入れられるＭｏｌ． Ｃｅｌｌ ２：２４７〜２５１、１９９８、２５０頁
2004504038.tif 000002
にＴＷＲ２と命名されたプライマーと実質的に類似し、さらに、配列番号：１０に記載されたプライマーは、米国特許第６，０７１，７１７号
2004504038.tif 000003
における配列番号：１３と実質的に同一である。このように、配列番号：５２または６０のヌクレオチド配列を有するプライマーは、それぞれ、配列番号：１２または１０に記載されたプライマーの配列と実質的に同一の配列を有するプライマーの範囲に含まれるプライマーから、特に除外される。
【００４５】
本発明は、さらに、本明細書に記載された変異を含む単離された変異型ＰＫＤ１ポリヌクレオチド、またはそのオリゴヌクレオチド部分を提供するものである。ここで、ポリヌクレオチド、オリゴヌクレオチド、またはポリペプチドに対して用いられる「単離された」または「精製された」という用語は、物質が普通に天然に見出されたもの以外の形態であることを意味している。このように、ポリヌクレオチドまたはポリペプチドが細胞中に天然に存在している場合、単離ポリヌクレオチドまたは精製ポリペプチドは、通常結合している物質から、少なくとも一部分が分離されものでりうる。一般的には、単離ポリヌクレオチドまたは精製ポリペプチドでは、組成物成分が少なくとも約５〜１０％、通常では２０〜５０％、特に約５０〜７５％、好ましくは約９０〜９５％またはそれ以上の割合で含まれた状態で存在する。ポリヌクレオチドまたはポリペプチドを単離する方法は、当技術分野に公知の通常用いられる方法である。
【００４６】
単離中またはそれに引き続いて、ポリヌクレオチドは、例えば融合タンパク質を形成するための突然変異生成研究、または宿主中のポリヌクレオチドの増幅もしくは発現のため、ＤＮＡ分子のような他のポリヌクレオチドと結合することができる。単独で、またはベクターのような他のポリヌクレオチドと結合した単離ポリヌクレオチドを、培養物または生体全体中の宿主細胞中に導入することができる。培養物または生物全体中の宿主細胞に導入した場合、このようなポリヌクレオチドは、天然に存在する形態ではないため、やはり「単離された」と考える。同様に、ポリヌクレオチド、オリゴヌクレオチド、およびポリペプチドは、培地配合物（ポリヌクレオチド、オリゴヌクレオチド、またはポリペプチドを、例えば細胞もしくは組成物中に導入するための溶液、または天然には存在しない組成物の化学反応もしくは酵素反応のための溶液）のような組成物中に存在することができ、本明細書で用いられる用語の意味の範囲内で、依然として単離ポリヌクレオチド、オリゴヌクレオチド、またはポリペプチドである。単離ヌクレオチド配列は、ゲノムまたは他の天然に存在する細胞中のＤＮＡ分子に直接に連続的であるヌクレオチド配列と連続していないポリヌクレオチドでありうる。したがって、組換えポリヌクレオチドとは、ベクター、自立的に複製するプラスミドもしくはウイルス中、またはＰＫＤ１ポリペプチドを通常発現しない原核生物もしくは真核生物のゲノムＤＮＡ中に組み込まれたポリヌクレオチドを含むことができる。
【００４７】
本明細書で用いられる「ポリヌクレオチド」、「オリゴヌクレオチド」、「ヌクレオチド配列」等の用語は、２つまたはそれ以上のヌクレオチドまたはヌクレオチド類似体の重合体を意味している。ポリヌクレオチドは、リボ核酸（ＲＮＡ）もしくはデオキシリボ核酸（ＤＮＡ）であってもよく、一本鎖もしくは二本鎖のＤＮＡまたはＲＮＡであってもよく、または二本鎖のＤＮＡ：ＲＮＡハイブリッドであってもよい。ポリヌクレオチドまたはオリゴヌクレオチドは、例えば、イノシンまたはトリチル化塩基のような１つまたは複数の修飾された塩基を含むことができる。重合体中でヌクレオチドに連結する結合は、通常、ホスホジエステル結合であるが、例えば、ホスホロチオエート結合、チオエステル結合などを含むヌクレオチドと連結するのに通常用いられる他の結合であってもよい。ポリヌクレオチドは化学的、酵素的、または代謝的に修飾された形態であってもよい。
【００４８】
本明細書で用いられる「変異型ＰＫＤ１ポリヌクレオチド」という用語は、配列番号：１に記載のヌクレオチド配列と比較したきに１または２〜３個のヌクレオチドが変化したヌクレオチド配列を意味する。ヌクレオチドの変化は、欠失、挿入、置換であってもよく、ＰＫＤ１ポリヌクレオチドによりコードされたポリペプチドの読み枠中に変化がないようなサイレントであってもよく、またはアミノ酸変化もしくはポリヌクレオチド中への停止コドンの挿入の結果により生じる変化であってもよく、またはＰＫＤ１ポリヌクレオチドの転写もしくは翻訳によるヌクレオチド配列の変化、例えば、ｍＲＮＡへのＰＫＤ１遺伝子の転写における改変されたスプライシングの結果による変化（実施例２参照）であってもよい。本明細書に記載するように、変異型ＰＫＤ１ポリヌクレオチドは、多型変種であってもよく、これは配列番号：１に関し、１または２〜３個のヌクレオチド以外が変化し、ＰＫＤ１ポリペプチドをコードしたものであり、特にＡＤＰＫＤなどのＰＫＤ１関連障害と相互関係はないか、またはＡＤＰＫＤなどのＰＫＤ１関連障害と相互関係のある１つまたは複数の変異を含む変異型ＰＫＤ１ポリヌクレオチドであってもよい（実施例２参照）。
【００４９】
議論の便宜および参考文献のフレームとして用いるため、配列番号：１に記載のＰＫＤ１ヌクレオチド配列は、「野生型ＰＫＤ１ポリヌクレオチド」または「野生型ＰＫＤ１遺伝子」配列と呼び、同様に、配列番号：２に記載のポリペプチドは「野生型ＰＫＤ１ポリペプチド」と呼ぶ。しかしながら、個体における野生型ＰＫＤ１遺伝子配列（即ち配列番号：１）の存在が個体中のＡＤＰＫＤの不在と関係しているので、配列番号：１の多型変種も、ＡＤＰＫＤまたは他のＰＫＤ１関連障害を示さない個体中に見出されることに留意する必要がある。「変種（ｖａｒｉａｎｔ）」または「多型変種」は、ＡＤＰＫＤのようなＰＫＤ１関連障害の徴候または症状の性質と関係のない変異型ＰＫＤ１ヌクレオチド配列（配列番号：１に関する）を意味するものとして使用される。変種ＰＫＤ１ポリヌクレオチドは、例えば、コードされたアミノ酸における変化により生じたものではないヌクレオチド置換、例えば、野生型および変異体コドンがともにスレオニン（Ｔ１５５８Ｔ）をコードするＧ４８８５Ａ、野生型および変異体コドンがともにセリン（Ｓ１９４９Ｓ；実施例２参照、Ｐｈａｋｄｅｅｋｉｔｃｈａｒｏｅｎら、前記、２０００参照）をコードするＣ６０５８Ｔのようなサイレント変異が含まれる。これらは、疾患と分離されないものであるか、または影響を受けていない個体のパネル中に見出されるものである。このように、「変異型ＰＫＤ１ポリヌクレオチド」という用語は、ＰＫＤ１関連障害に関係しないＰＫＤ１変種を含むとともに、ＰＫＤ１関連障害に関連するもしくは関係する変異型ＰＫＤ１ポリヌクレオチドを広く含むと認識すべきである。
【００５０】
変種ＰＫＤ１ポリヌクレオチド配列を含む、変異型ＰＫＤ１ポリヌクレオチド配列としては、例えば、配列番号：１に記載される配列を実質的に含むが、４７４位がＴであるヌクレオチド、４８７位がＡであるヌクレオチド、３１１０位がＣであるヌクレオチド、３３３６位のヌクレオチドが欠失した３３３６位のヌクレオチドに対応する位置、３７０７位がＡであるヌクレオチド、４１６８位がＴであるヌクレオチド、４８８５位がＡであるヌクレオチド、５１６８位がＴであるヌクレオチド、６０５８位がＴであるヌクレオチド、６０７８位がＡであるヌクレオチド、６０８９位がＴであるヌクレオチド、６１９５位がＡであるヌクレオチド、６３２６位がＴであるヌクレオチド、７２０５位から７２１１位のヌクレオチドが欠失した７２０５位から７２１１位のヌクレオチドに対応する位置、７３７６位がＣであるヌクレオチド、７５３５位と７５３６位の間にＧＣＧヌクレオチド配列が挿入された７５３５位から７５３６位のヌクレオチドに対応するヌクレオチド配列、７４１５位がＴであるヌクレオチド、７４３３位がＴであるヌクレオチド、７６９６位がＴであるヌクレオチド、７８８３位がＴであるヌクレオチド、８０２１位がＡであるヌクレオチド、８１５９位から８１６０位のヌクレオチドが欠失した８１５９位から８１６０位のヌクレオチドに対応するヌクレオチド配列、８２９８位がＧであるヌクレオチド、９１６４位がＧであるヌクレオチド、９２１３位がＡであるヌクレオチド、９３２６位がＴであるヌクレオチド、９３６７位がＴであるヌクレオチド、１００６４位がＡであるヌクレオチド、１０１４３位がＧであるヌクレオチド、１０２３４位がＣであるヌクレオチド、もしくは１０２５５位がＴであるヌクレオチドにおいて変異を有するか、またはそれらの組み合わせ（実施例２参照、表３、４参照）で変異を有する。本発明の変異型ＰＫＤ１ポリヌクレオチドとしては、さらに、配列番号：２を実質的に有するＰＫＤ１ポリペプチドをコードするポリヌクレオチドを含むが、Ａ８８Ｖ、Ｗ９７６Ｒ、Ｇ１１６６Ｓ、Ｖ１９５６Ｅ、Ｒ１９９５Ｈ、Ｒ２４０８Ｃ、Ｄ２６０４Ｎ、Ｌ２６９６Ｒ、Ｒ２９８５Ｇ、Ｒ３０３９Ｃ、Ｖ３２８５Ｉ、Ｈ３３１１Ｒ変異またはそれらの組み合わせを含み、さらに、例えば、挿入による配列番号：２の２４４１位および２４４２位のアミノ酸残基の間のＧｌｙ残基の付加を有し、または、そうでなければ３００１位のアミノ酸をコードしていた配列番号：１の位置に停止コドンが存在することにより配列番号：２の３０００位のアミノ酸を終結させるポリペプチドを含む（表４、実施例２参照）。
【００５１】
本発明に係る変異型ＰＫＤ１ポリヌクレオチドの更なる例としては、例えば、本明細書に記載されるポリヌクレオチド配列の相補体またはそのオリゴヌクレオチド部分と、高ストリンジェントな条件下（例えば、０．５Ｍ　ＮａＨＰＯ４、７％ドデシル硫酸ナトリウム（ｓｏｄｉｕｍ ｄｏｄｅｃｙｌ ｓｕｌｆａｔｅ：ＳＤＳ）、１ｍＭ　ＥＤＴＡ中で、６５℃にてフィルターに結合性のＤＮＡをハイブリダイゼーションし、６８℃にて０．１×ＳＳＣ／０．１％ＳＤＳで洗浄する（Ａｕｓｕｂｅｌら、「分子生物学の最新プロトコール（Ｃｕｒｒｅｎｔ Ｐｒｏｔｏｃｏｌｓ ｉｎ Ｍｏｌｅｃｕｌａｒ Ｂｉｏｌｏｇｙ）」（Ｇｒｅｅｎ Ｐｕｂｌｉｓｈｉｎｇ Ａｓｓｏｃｉａｔｅｓ Ｉｎｃ．、およびＪｏｈｎ Ｗｉｌｅｙ ＆ Ｓｏｎｓ， Ｉｎｃ．、Ｎｅｗ Ｙｏｒｋ １９８９）、および補足ページ２．１０．３；Ｓａｍｂｒｏｏｋら、分子クローニング：実験マニュアル（Ｍｏｌｅｃｕｌａｒ Ｃｌｏｎｉｎｇ：Ｌａｂｏｒａｔｏｒｙ ｍａｎｕａｌ）」（Ｃｏｌｄ Ｓｐｒｉｎｇ Ｈａｒｂｏｒ Ｌａｂｏｒａｔｏｒｙ Ｐｒｅｓｓ、１９８９）、これらは、本明細書に参照として組み入れられる）で、選択的にハイブリダイズするポリヌクレオチド配列が挙げられ、または、配列番号：２に記載のＰＫＤ１ポリペプチドを実質的にコードするポリヌクレオチドであって、１つまたは複数の変異を有するもの、またはそのようなポリヌクレオチドに対応するＲＮＡが挙げられる。
【００５２】
配列番号：１に記載のＰＫＤ１ポリヌクレオチドまたは配列番号：２に記載のポリペプチド配列と「実質的に同一」なポリヌクレオチドまたはポリペプチド配列とは、配列番号：１または配列番号：２に記載のヌクレオチド配列またはアミノ酸配列と、それぞれ少なくとも８０％または８５％、通常では少なくとも約９０％、特に少なくとも約９５％、好ましくは少なくとも約９９％の同一性を有することをいう。しかしながら、ＰＫＤ１遺伝子配列中の変異は、切断されたＰＫＤ１ポリペプチドの発現、またはＰＫＤ１ポリペプチドの発現が完全に失われた結果起こりうることを認識すべきである。このように、変異型ＰＫＤ１ポリヌクレオチドは、配列番号：１と実質的に同一であるものとして同定される一方で、コードされたポリペプチドと同様の比較が必ずしも可能とならない場合がある。本発明の一つの局面においては、配列番号：１または２と実質的に同一であるポリヌクレオチドまたはポリペプチドは、変異を有する１つまたは複数の部位において変化すると考えられ、例えば、前述の段落に記載の変異型ＰＫＤ１ポリヌクレオチド中に存在する変異が挙げられる。配列の同定は、配列解析ソフトウェアを用いて行うことができる（例えば、ジェネティックコンピューターグループの配列解析ソフトウェアパッケージ（ウイスコンシン大学バイオテクノロジーセンター、１７１０　Ｕｎｉｖｅｒｓｉｔｙ Ａｖｅｎｕｅ、Ｍａｄｉｓｏｎ ＷＩ ５３７０５）が挙げられる）。
【００５３】
本発明のポリヌクレオチドまたはそのオリゴヌクレオチド部分は、例えば、増幅反応のためのプローブまたはプライマーとして有用でありうる。なお、変異型ＰＫＤ１ポリヌクレオチドにおける「オリゴヌクレオチド部分」とは、全長ポリヌクレオチドより短い変異型ＰＫＤ１ポリヌクレオチドのヌクレオチド配列を意味する。一般に、プローブまたはプライマーとして有用なポリヌクレオチドは、少なくとも約１０個、通常では約１５〜３０個、またはそれ以上のヌクレオチドを含む（実施例、表１、２参照）。ポリヌクレオチドは、適当な任意の方法で調製することができ、例えば、適当なポリヌクレオチドの制限酵素消化による方法；自動化合成法を含む、ホスホトリエステル法（Ｎａｒａｎｇら、１９７９、Ｍｅｔｈ． Ｅｎｚｙｍｏｌ． ６８：９０〜９９）、ホスホジエステル法（Ｂｒｏｗｎら、１９７９、Ｍｅｔｈ． Ｅｎｚｙｍｏｌ． ６８：１０９〜１５１）、ジエチルホスホラミダイト法（Ｂｅａｕｃａｇｅら、１９８１、Ｔｅｔｒａｈｅｄｒｏｎ Ｌｅｔｔ． ２２：１８５９〜１８６２）、トリエステル法（Ｍａｔｔｅｕｃｃｉら、１９８１、Ｊ． Ａｍ． Ｃｈｅｍ． Ｓｏｃ． １０３：３１８５〜３１９１）などの方法を用いる直接的な化学合成法；または固体担持法（例えば、米国特許第４，４５８，０６６号参照）が含まれる。これに加え、ポリヌクレオチドまたはオリゴヌクレオチドは、本明細書で開示され、または当技術分野において公知の組換えＤＮＡ法を用いて調製することもできる。
【００５４】
本発明のオリゴヌクレオチドは、配列番号：１に関し、４７４位のヌクレオチドがＴであるか、４８７位のヌクレオチドがＡであるか、３１１０位のヌクレオチドがＣであるか、８２９８位のヌクレオチドがＧであるか、９１６４位のヌクレオチドがＧであるか、９２１３位のヌクレオチドがＡであるか、９３２６位のヌクレオチドがＴであるか、９３６７位のヌクレオチドがＴであるか、１００６４位のヌクレオチドがＡであるか、１０１４３位のヌクレオチドがＧであるか、１０２４３位のヌクレオチドがＣであるか、もしくは１０２５５位のヌクレオチドがＴであることを除き、またはこれらの置換の組み合わせを含むオリゴヌクレオチドを除き、配列番号：１と実質的に同一の配列を含む、変異型ＰＫＤ１ポリヌクレオチド部分を含むことができる。このように、本明細書で開示するように、オリゴヌクレオチドは、いかなる長さであってもよく、１つまたは複数の上記変異を含むことができる。
【００５５】
本発明に係るオリゴヌクレオチドは、本明細書で記載のとおり、変異型ＰＫＤ１ポリヌクレオチド配列に選択的にハイブリダイズすることが可能である。このようなオリゴヌクレオチドは、野生型ＰＫＤ１ポリヌクレオチド（即ち、配列番号：１）には、実質的には全くハイブリダイズしない。本明細書中に記載の「選択的にハイブリダイズする」という用語は、オリゴヌクレオチド（またはポリヌクレオチド）プローブが、選択された配列にハイブリダイズするが、高い相関のあるヌクレオチド配列にはハイブリダイズしない能力を意味する。例えば、本発明のオリゴヌクレオチドは、変異型ＰＫＤ１ポリヌクレオチドと選択的にハイブリダイズするが、配列番号：１に記載の配列に対応する配列には実質的にハイブリダイズしない。このように、配列番号：１へのオリゴヌクレオチドのハイブリダイゼーションは、通常、前記の背景を有しておらず、また、いくつかのハイブリダイゼーションが起こるとしても、変異型ＰＫＤ１ポリヌクレオチドで起こるハイブリダイゼーションの少なくとも約１０分の１より少ない。
【００５６】
さらに、「ハイブリダイズ」という用語は、相補的に結合することができる２つのヌクレオチド配列であり、本明細書においても、通常理解されている意味で使用される。本明細書中でも記載のとおり、本発明のプライマーは、ＰＫＤ１遺伝子とハイブリダイズすることができ、ＰＫＤ１遺伝子相同体とハイブリダイズしてもよいが、通常、ＰＫＤ１遺伝子またはＰＫＤ１遺伝子相同体以外のヌクレオチド配列とは実質的にハイブリダイズしない。選択的なハイブリダイゼーションが可能な、望ましいハイブリダイゼーションの条件は、含まれる配列の長さ、相対的Ｇ：Ｃ含量、塩濃度等に部分的には基づいている、ハイブリダイゼーション条件のストリンジェンシーを変更することにより得ることができる（Ｓａｍｂｒｏｏｋら、前記、１９８９）。高ストリンジェントな条件であるハイブリダイゼーション条件は、選択的なハイブリダイゼーションを行う場合に適用され、本発明のプライマーまたはプライマー対のハイブリダイゼーションのために、ＰＫＤ１遺伝子またはＰＫＤ１遺伝子相同体に適用することができ、例えば、６×ＳＳＣ／０．０５％ピロリン酸ナトリウム中、約３７℃（１４個のヌクレオチドのＤＮＡプローブ）、約４８℃（１７個のヌクレオチドのＤＮＡプローブ）、約５５℃（２０個のヌクレオチドのＤＮＡプローブ）、および約６０℃（２３個のヌクレオチドのＤＮＡプローブ）で洗浄する段階を含む。本明細書に記載するように、変異型ＰＫＤ１ポリヌクレオチドと選択的にハイブリダイズするポリヌクレオチドは、変異型ＰＫＤ１ポリヌクレオチドを野生型ＰＫＤ１ポリヌクレオチドと区別する手段を提供するものである。
【００５７】
本発明に係るポリヌクレオチドまたはオリゴヌクレオチドは、対象となる特定のＰＫＤ１変種またはＰＫＤ１変異体のスクリーニングのプローブとして用いることができる。また、本発明のオリゴヌクレオチドは、例えば、変異型ＰＫＤ１ポリヌクレオチド配列を含む、ＰＫＤ１ポリヌクレオチド配列のＰＫＤ１ポリヌクレオチド調節反応および増幅反応において有用なものとなりうる、ＰＫＤ１アンチセンス分子を含む。さらに、このようなオリゴヌクレオチドは、ＰＫＤ１遺伝子調節のためのリボザイムまたは３重らせん配列の一部として用いることもできる。またさらに、このようなオリゴヌクレオチドは、診断法に用いる構成要素として用いることができ、これにより、ＰＫＤ１転写レベルの決定、あるいは、ＡＤＰＫＤを誘発する対立遺伝子の存在を検出することができる。さらに、このようなオリゴヌクレオチドは、例えば、他の種からＰＫＤ１相同体をスクリーニングおよび同定するために用いることができる。
【００５８】
「プライマー」または「ＰＣＲプライマー」という用語は、プライマー伸張に適切な条件下に置かれたときに、ＤＮＡ合成の開始点として作用することができる単離された天然または合成オリゴヌクレオチドを意味する。プライマー伸張産物の合成は、適切な温度において適当な緩衝液中で、ヌクレオシド三リン酸およびポリメラーゼの存在下で開始される。プライマーは、複数のプライマーを含み、例えば、合成される標的領域の片方または両末端に関する情報には曖昧性（ａｍｂｉｇｕｉｔｙ）がある。例えば、核酸配列がタンパク質配列から決定される場合、このタンパク質配列をコードする核酸配列の合成のために調製したプライマーは、遺伝子コードの縮重を基にして、全ての可能なコドンの変化を表す配列を含むプライマーの集団を含むことができる。この集団中の１つまたは複数のプライマーは、標的配列または標的配列に隣接する配列に末端が相同性を有すると考えられる。同様に、保存領域が、集団において重要なレベルで多型を示す場合、プライマー混合物は、隣接する配列を増幅するように調製される。
【００５９】
ＰＣＲ増幅の間、対象となる標的配列に隣接するプライマー対は、標的配列の増幅に用いられる。プライマー対は、標的配列の５’末端にハイブリダイズするフォワードプライマー、および標的配列の３’末端にハイブリダイズするリバースプライマーを典型的に含有する。ここで記載されるものを除き、本発明のプライマーは、配列番号：３〜５１および６１〜１１３に記載の配列を有するものが例示される（表１、表２を参照のこと）。フォワードプライマーとしては、例えば、配列番号：３、５、７、９、１１、１３、１５、１７、１９、２１、２３、２５、２７、２９、３１、３３、３５、３７、３９、４１、４３、４５、４７および４９が例示され、リバースプライマーとしては、例えば、配列番号：４、６、８、１０、１２、１４、１６、１８、２０、２２、２４、２６、２８、３０、３２、３４、３６、３８、４０、４２、４４、４６、４８および５０が例示される。本発明に係るプライマー対は、増幅産物の産出を可能とする少なくとも１つのフォワードプライマーおよび少なくとも１つのリバースプライマーを含み、増幅産物が配列番号：３〜１８、配列番号：１９〜５１、および６１〜１１３に記載のフォワードプライマーおよびリバースプライマーを含む、長い範囲（ｌｏｎｇ−ｒａｎｇｅ）のＰＫＤ１特異的増幅産物またはこのような増幅産物のネスティド増幅産物でありうる。ここで、前記フォワードプライマーは、標的ポリヌクレオチド配列に関係するリバースプライマーの５’（上流）にあり、プライマーは、増幅産物が産生されるのに十分に近接している。
【００６０】
融合タンパク質をコードする核酸配列は、産生可能であり、発現制御配列に機能的に結合しうる。このような融合タンパク質および組成物は、抗体の開発、または対象となるペプチドおよびポリペプチドの産出と精製に有用である。「機能的に結合する」という用語は、記載された構成要素が、それらが意図する様式で、それらに機能を付与する関係にある場合の、近接した位置にあることをいう。例えば、コード配列に機能的に結合した発現制御配列は、コード配列の発現が発現制御配列に適合する条件下で行われるようにライゲーションされ、この場合、２つの機能的に結合したコード配列は同じ読み取り枠にあり、従って、これらは融合タンパク質をコードするようにライゲーションされる。
【００６１】
「発現制御配列」という用語は、機能的に結合された核酸配列の発現を制御する核酸配列を意味する。発現制御配列が転写および核酸配列の翻訳を適正なものとして、制御および調節する場合に、発現制御配列は、核酸配列に機能的に結合している。このように、発現制御配列は、適切なプロモーター、エンハンサー、転写ターミネーター、タンパク質コード遺伝子の直前の開始コドン（即ち、ＡＴＧ）、イントロンのスプライシングシグナル、遺伝子がｍＲＮＡに適切な翻訳を行うようにする正しい読取り枠の維持、および停止コドンを含みうる。制御配列は、最小限で、その存在が発現に影響を与える要素を含み、その存在が、例えば、リーダー配列および融合パートナー配列に有利である付加的な要素を含むこともできる。発現制御配列は、プロモーターを含むことができる。
【００６２】
本発明のポリヌクレオチドは、例えば、融合タンパク質をコードしうる組換え核酸分子部分を含むことができる。ポリヌクレオチドまたは組換え核酸分子は、発現ベクターとなりうるベクターであって、プラスミド、ウイルスなどに由来するベクターに挿入することができる。発現ベクターは、一般的には、複製起点、プロモーター、およびベクターを含む形質転換細胞の表現型を選択するための１つまたは複数の遺伝子を含む。本発明で用いるのに適したベクターとしては、特に制限されないが、例えば、細菌での発現のためのＴ７−ベース発現ベクター（Ｒｏｓｅｎｂｅｒｇら、Ｇｅｎｅ ５６：１２５、１９８７）、哺乳動物細胞での発現のためのｐＭＳＸＮＤ発現ベクター（ＬｅｅおよびＮａｔｈａｎｓ、Ｊ． Ｂｉｏｌ Ｃｈｅｍ． ２６３：３５２１、１９８８）、昆虫細胞での発現のためのバキュロウイルス由来ベクターなどが挙げられる。
【００６３】
ベクターの選択は、本発明の方法で用いられる、ポリヌクレオチド配列の大きさおよび宿主細胞に依存する。このように、本発明で用いられるベクターとしては、例えば、プラスミド、ファージ、コスミド、ファージミド、ウィルス（例えば、レトロウィルス、パラインフルエンザウィルス、ヘルペスウィルス、レオウイルス、パラミクソウィルスなど）、またはそれらの選択された部分（例えば、コートタンパク質、スパイクグリコタンパク質、キャプシドタンパク質など）が挙げられる。例えばコスミドとファージミドは、これらのベクターが、大きなポリヌクレオチドを安定的に増幅することができるので、分析あるいは修飾される特定の核酸配列が大きい場合でも一般に用いることができる。コスミドおよびファージミドは、配列番号：１に記載のＰＫＤ１ポリヌクレオチドまたは変異型ＰＫＤ１ポリヌクレオチドの発現または操作に特に適している。
【００６４】
酵母では、構成的または誘導性のプロモーターを含む多数のベクターが用いられうる（Ａｕｓｕｂｅｌら、前記、１９８９；Ｇｒａｎｔら、Ｍｅｔｈ． Ｅｎｚｙｍｏｌ． １５３：５１６〜５４４、１９８７； Ｇｌｏｖｅｒ、「ＤＮＡクローニング第ＩＩ巻（ＤＮＡ Ｃｌｏｎｉｎｇ、Ｖｏｌ． ＩＩ）」、ＩＲＬ Ｐｒｅｓｓ、Ｗｈａｓｈｉｎｇｔｏｎ Ｄ． Ｃ．、第３章、１９８６； Ｂｉｔｔｅｒ、Ｍｅｔｈ． Ｅｎｚｙｍｏｌ． １５２：６７３〜６８４、１９８７；および「酵母サッカロミセスの分子生物学（Ｔｈｅ Ｍｏｌｅｃｕｌａｒ Ｂｉｏｌｏｇｙ ｏｆ ｔｈｅ Ｙｅａｓｔ Ｓａｃｃｈａｒｏｍｙｃｅｓ）」、Ｓｔｒａｔｈｅｒｎら編、Ｃｏｌｄ Ｓｐｒｉｎｇ Ｈａｒｂｏｒ Ｐｒｅｓｓ、第Ｉ巻および第ＩＩ巻、１９８２）。ＡＤＨまたはＬＥＵ２のような構造的酵母プロモーター、またはＧＡＬのような誘導性プロモーターも用いることができる（「酵母のクローニング（Ｃｌｏｎｉｎｇ ｉｎ Ｙａｓｔ）」第３章、Ｒｏｔｈｓｔｅｉｎ、「ＤＮＡクローニング第ＩＩ巻、実践的方法（ＤＮＡ Ｃｌｏｎｉｎｇ Ｖｏｌ．ＩＩ、Ａ Ｐｒａｃｔｉｃａｌ Ａｐｐｒｏａｃｈ）」、Ｇｌｏｖｅｒ編、ＩＲＬ Ｐｒｅｓｓ、１９８６）。または、ベクターは、酵母染色体中への外来ＤＮＡ配列の組込みを促進するために用いることができる。発現ベクターの構築およびトランスフェクション細胞中の遺伝子の発現は、当技術分野において公知の分子クローニング技術を用いることができる（Ｓａｍｂｒｏｏｋら、前記、１９８９；Ａｕｓｕｂｅｌら、前記、１９８９参照）。これらの方法としては、例えば、インビトロ組換えＤＮＡ技術、合成技術、インビボ組換え／遺伝子組換えが含まれる。
【００６５】
ポリヌクレオチドまたはオリゴヌクレオチドは、ベクター中に含ませることができ、細胞の形質転換またはトランスフェクションにより、細胞中に導入することができる。「形質転換」または「トランスフェクション」とは、新規のＤＮＡの組み込みの後、細胞に引き起こされる永久的（安定的）または一過性の遺伝的変化を意味する。細胞が哺乳動物細胞の場合、永久的な遺伝的変化は、一般的に、細胞のゲノムへＤＮＡを導入することにより行われる。
【００６６】
形質転換細胞または宿主細胞としては、組換えＤＮＡ技術により、本発明のポリヌクレオチド配列またはその断片が導入された、いかなる原核細胞または真核細胞（またはその祖先）であってもよい。宿主細胞の形質転換は、当業者において公知の通常の技術により行うことができる。宿主が、大腸菌のような原核生物の場合、ＤＮＡの取り込み可能なコンピテント細胞は、指数増殖期後に回収され、その後、当技術分野に公知のＣａＣｌ２法もしくはＭｇＣｌ２、またはＲｂＣｌを用いて処理された細胞から調製することができる。形質転換は、宿主細胞のプロトプラスト形成またはエレクトロポレーションにより行うことができる。
【００６７】
宿主が真核生物の場合、トランスフェクション法としては、リン酸カルシウム共沈；マイクロインジェクション、エレクトロポレーション、リポソームに封入されたプラスミドの挿入、もしくはウィルスベクターの使用などの従来の機械的方法；または他の公知の方法が挙げられる。一つの方法としては、シミアンウィルス４０（ＳＶ４０）またはウシ乳頭腫ウィルスなどの、真核生物ウィルスベクターを一過性的に感染、または真核生物を形質転換させ、タンパク質を発現させる方法が使用される（真核生物ウィルスベクター（Ｅｕｋａｒｙｏｔｉｃ Ｖｉｒａｌ Ｖｅｃｔｏｒｓ）、Ｃｏｌｄ Ｓｐｒｉｎｇ Ｈａｒｂｏｒ Ｌａｂｏｒａｔｏｒｙ、Ｇｌｕｚｍａｎら、１９８２）。真核生物宿主は、本明細書で記載されるような宿主細胞として用いられることが好ましい。真核細胞としては、酵母細胞（例えば、サッカロミセス・セレビシエ（Ｓａｃｃｈａｒｏｍｙｃｅｓ ｃｅｒｅｖｉｓｉａｅ））またはヒト細胞を含む哺乳動物細胞であってもよい。
【００６８】
多様な宿主発現ベクター系が、配列番号：１のようなＰＫＤ１ポリヌクレオチド配列、配列番号：１をコードする配列、または変異型ＰＫＤ１ポリヌクレオチドを発現するために用いることができる。このような宿主発現系は、対象となるヌクレオチド配列が生産され、続いて精製される媒体となるものであり、至適なヌクレオチドコード配列で形質転換またはトランスフェクションされたときに、ＰＫＤ１変種、変異型ポリペプチド、またはインサイチューでそれらのペプチド部分を含む、ＰＫＤ１タンパク質を発現させることができる細胞ともなるものである。このような細胞としては特に限定されないが、例えば、以下のものが挙げられる：ＰＫＤ１ポリヌクレオチドまたはそのオリゴヌクレオチド部分（野生型、変種、または他の変異体）を含む、組換えバクテリオファージＤＮＡ、プラスミドＤＮＡ、またはコスミドＤＮＡ発現ベクターで形質転換された細菌（例えば、大腸菌、枯草菌（Ｂ．ｓｕｂｔｉｌｉｓ））；ＰＫＤ１ポリヌクレオチドまたはそのオリゴヌクレオチド部分（野生型、変種、または他のＰＫＤ１変異体）を含む、組換え酵母発現ベクターで形質転換された酵母（例えば、サッカロマイセス（Ｓａｃｃｈａｒｏｍｙｃｅｓ）、ピキア（Ｐｉｃｈｉａ））；ＰＫＤ１ポリヌクレオチドまたはそのオリゴヌクレオチド部分（野生型、ＰＫＤ１変種、または他の変異体）を含む、組換えウイルス発現ベクター（例えば、バキュロウイルス）を感染した昆虫細胞系；組換えウイルス発現ベクター（例えば、カリフラワーモザイクウイルスまたはタバコモザイクウイルス）を感染したか、または変異型ＰＫＤ１ポリヌクレオチドまたはそのオリゴヌクレオチド部分を含む、組換えプラスミド発現ベクター（例えば、Ｔｉプラスミド）で形質転換された植物細胞系；または哺乳動物細胞のゲノムに由来するプロモーター（例えば、メタロチオネインプロモーター）または哺乳動物ウイルスに由来するプロモーター（例えば、アデノウイルス後期プロモーター、ワクシニアウイルス７．５Ｋプロモーター）を含む組換え発現構築物を有する哺乳動物細胞系（例えばＣＯＳ、ＣＨＯ、ＢＨＫ、２９３、３Ｔ３）などが挙げられる。
【００６９】
細菌系では、多くの発現ベクターを、発現するＰＫＤ１タンパク質（野生型、変種、または他のＰＫＤ１変異体）に意図される用途に応じて、都合のよいように選択することができる。例えば、ＰＫＤ１関連疾患もしくは障害の同定もしくは診断に使用されうる抗体、またはペプチドライブラリーをスクリーニングするための抗体を産生するために、高レベルで容易に精製される融合タンパク質産物の発現を誘導するベクターが望ましい。このようなベクターとしては、特に限定されないが、例えば、融合タンパク質を製造するようなｌａｃＺコード領域のインフレームでベクターに個別にライゲーションされうるＰＫＤ１ポリヌクレオチドまたはそのオリゴヌクレオチド部分（野生型、変種、または他の変異体）における、大腸菌発現ベクターｐＵＲ２７８（Ｒｕｔｈｅｒら、１９８３、ＥＭＢＯ Ｊ． ２：１９７１）；ｐＩＮベクター（ＩｎｏｕｙｅおよびＩｎｏｕｙｅ、Ｎｕｃｌ． Ａｃｉｄｓ Ｒｅｓ． １３：３１０１〜３１０９、１９８５； Ｖａｎ ＨｅｅｋｅおよびＳｃｈｕｓｔｅｒ、Ｊ． Ｂｉｏｌ． Ｃｈｅｍ． ２６４：５５０３〜５５０９、１９８９）などが含まれる。ｐＧＥＸベクターはグルタチオンＳ−トランスフェラーゼ（ＧＳＴ）で融合タンパク質として外来ポリペプチドを発現するのに用いることもできる。通常、このような融合タンパク質は可溶性であり、グルタチオン−アガロースビーズへの吸着した後、遊離のグルタチオンの存在下に溶出して、溶解した細胞から容易に精製することができる。ｐＧＥＸベクターは、クローン化したＰＫＤ１タンパク質、変種、または変異体がＧＳＴ部分から解離するように、トロンビンまたはファクターＸａプロテアーゼ開裂部位を含むように設計される。
【００７０】
昆虫系では、オートグラファ・カリフォルニア（Ａｕｔｏｇｒａｐｈａ ｃａｌｉｆｏｒｎｉｃａ）核多核体ウイルス（ＡｃＮＰＶ）が外来遺伝子を発現するベクターとして用いられる。このウイルスは、スポドプテラ・フルギペラダ（Ｓｐｏｄｏｐｔｅｒａ ｆｒｕｇｉｐｅｒｄａ）細胞中で成長する。ＰＫＤ１ポリヌクレオチドまたはそのオリゴヌクレオチド部分は、ウイルスの非必須領域（例えば、ポリへドリン遺伝子）に個別にクローニングされ、ＡｃＮＰＶプロモーター（例えば、ポリへドリンプロモーター）の制御下に置かれる。ＰＫＤ１ポリヌクレオチドまたはそのオリゴヌクレオチド部分の挿入は、ポリへドリン遺伝子の不活性化および非閉塞組換えウイルス（即ち、ポリへドリン遺伝子によりコードされた蛋白様の外被（ｐｒｏｔｅｉｎａｃｅｏｕｓ ｃｏａｔ）を失ったウイルス）の製造により、成功させることができる。これらの組換えウイルスを、挿入された遺伝子が発現するスポドプテラ・フルギペラダ細胞に感染させるために用いる（Ｓｍｉｔｈら、１９８３、Ｊ． Ｖｉｒｏｌ． ４６：５８４；米国特許第４，２１５，０５１号を参照のこと）。
【００７１】
哺乳動物宿主細胞では、多くのウイルスを基にした発現系を用いることができる。アデノウイルスが発現ベクターとして用いられる場合は、ＰＫＤ１ポリヌクレオチドまたはそのオリゴヌクレオチド部分は、例えば、後期プロモーターおよび三部分リーダー配列（ｔｒｉｐａｒｔｉｔｅ ｌｅａｄｅｒ ｓｅｑｕｅｎｃｅ）などのアデノウイルス転写／翻訳制御複合体にライゲーションされうる。このキメラ遺伝子は、その後、インビトロまたはインビボでの組換えによりアデノウイルスゲノムに挿入することができる。Ｅ１またはＥ３領域のようなウイルス性ゲノムの非必須領域における挿入により、生存可能で、感染された宿主中のＰＫＤ１タンパク質（例えば、野生型、変種、またはその変異体）の発現可能な組換えウイルスが得られる（ＬｏｇａｎおよびＳｈｅｎｋ、Ｐｒｏｃ． Ｎａｔｌ． Ａｃａｄ． Ｓｃｉ． ＵＳＡ ８１：３６５５〜３６５９、１９８４）。挿入されたＰＫＤ１配列の有効な翻訳には、特定の開始シグナルが必要とされうる。これらのシグナルは、ＡＴＧ開始コドンおよび隣接配列を含む。自己の開始コドンおよび隣接配列を含む完全なＰＫＤ１ポリヌクレオチドが適切な発現ベクターに挿入される場合、付加的な翻訳制御シグナルは必要とされない。しかしながら、ＰＫＤ１配列の一部だけが挿入される場合、例えば、ＡＴＧ開始コドンを含む、外因性の翻訳制御シグナルが与えられなければならない。さらに、開始コドンは、完全な挿入物の翻訳を確実にする所望のコード配列の読み枠による段階になければならない。これらの外因性翻訳制御シグナルおよび開始コドンは天然および合成の多くの起源でありうる。発現の効率は、適当な転写エンハンサー要素、転写終結などの含有により強化することができる（Ｂｉｔｔｎｅｒら、Ｍｅｔｈ． Ｅｎｚｙｍｏｌ． １５３：５１６〜５４４、１９８７を参照のこと）。
【００７２】
これらに加えて、宿主細胞系統を、挿入された配列の発現を調節、または特定の様式で発現したポリペプチドを修飾し処理することで、選択することができる。このような、タンパク質産物の修飾（例えば、グリコシル化）および処理（例えば、開裂）は、タンパク質の機能にとって重要となりうる。異なる宿主細胞は、タンパク質の翻訳後の処理および修飾に対する特徴的で特異的なメカニズムを有している。適切な細胞系または宿主系を、発現された外来タンパク質の正しい修飾と処理を確実にするために選択することができる。このため、第１の転写、グリコシル化、およびポリペプチドのリン酸化を適切に処理するための、細胞機構有する真核生物宿主細胞が用いられる。このような哺乳動物宿主細胞は、特に限定されないが、ＣＨＯ、ＶＥＲＯ、ＢＨＫ、ＨｅＬａ、ＣＯＳ、ＭＤＣＫ、２９３、３Ｔ３、ＷＩ３８などが含まれる。
【００７３】
これまで長い間、組換えタンパク質の高収率生産、安定的発現が望まれていた。例えばＰＫＤ１の野生型、変種、または変異体を含むＰＫＤ１タンパク質を安定的に発現する細胞系を設計することができる。複製のウイルス性起点を含む発現ベクターを用いるよりは、宿主は、適切な発現制御要素（例えば、プロモーター、および／またはエンハンサー配列、転写終結因子、ポリアデニル化部位など）および選択マーカーにより制御されたＤＮＡにより形質転換可能である。外来ＤＮＡの導入の後、設計された細胞は、富化培地中で１〜２日間、その後、選択培地に切り換えて増殖させることができる。組換えプラスミド中の選択マーカーは、選択に対して耐性を与え、細胞は、プラスミドがその染色体に安定的に組み込まれることが可能となり、増殖して、細胞系でクローニングされ、増幅されうる病巣を形成する。この方法は、ＰＫＤ１変種または変異型ポリペプチドを発現する細胞系を設計するのに有効に用いられる。このような設計された細胞系は、変種または変異型ＰＫＤ１ポリペプチドの内因性の活性に影響を与える化合物のスクリーニングおよび評価に特に有用となりうる。このような設計された細胞系は、特定の影響または非特定の影響を有する因子における違いを識別するに有効となりうる。特に、変異型細胞系は、主要な機能を欠いており、種々の変異はインビボアッセイ法を用いる主要な機能のドメインを同定するのに用いることができる。
【００７４】
選択系には、特に限定されないが、単純ヘルペスウイルスチミジンキナーゼ（Ｗｉｇｌｅｒら、Ｃｅｌｌ １１：２２３、１９７７）、ヒポキサチン−グアニン　ホスホリボシルトランスフェラーゼ（ＳｚｙｂａｌｓｋａおよびＳｚｙｂａｌｓｋｉ、Ｐｒｏｃ． Ｎａｔｌ． Ａｃａｄ． Ｓｃｉ． ＵＳＡ ４８：２０２６、１９６２）、アデニン　ホスホリボシルトランフフェラーゼ（Ｌｏｗｙら、Ｃｅｌｌ ２２：８１７、１９８０）の遺伝子が含まれ、これらはそれぞれ、ｔｋ−、ｈｇｐｒｔ−またはａｐｒｔ−細胞に用いることができる。また、代謝拮抗物質耐性は、メトトレキサートに対して耐性を与えるｄｈｆｒ（Ｗｉｇｌｅｒら、Ｐｒｏｃ． Ｎａｔｌ． Ａｃａｄ． Ｓｃｉ． ＵＳＡ ７７： ３５６７、１９８０； Ｏ’Ｈａｒｅら、Ｐｒｏｃ． Ｎａｔｌ． Ａｃａｄ． Ｓｃｉ． ＵＳＡ ７８：１５７２、１９８１）；マイコフェノリック酸に対する耐性を与えるｇｐｔ（ＭｕｌｌｉｇａｎおよびＢｅｒｇ、Ｐｒｏｃ． Ｎａｔｌ． Ａｃａｄ． Ｓｃｉ． ＵＳＡ ７８：２０７２、１９８１）；アミノグリコシドＧ−４１８に対する耐性を与えるｎｅｏ（Ｃｏｌｂｅｒｒｅ−Ｇａｒａｐｉｎら、Ｊ． Ｍｏｌ． Ｂｉｏｌ． １５０：１、１９８１）、ハイグロマイシンに対する耐性を与えるｈｙｇｒｏ（Ｓａｎｔｅｒｒｅら、Ｇｅｎｅ ３０：１４７、１９８４）遺伝子に対する選択を基礎として用いることができる。したがって、本発明は、コード配列またはプライマーの発現を誘導する調節要素に関係して機能的に作用するいかなる先行配列をも含む発現ベクターを含む、変異型ＰＫＤ１ポリヌクレオチド、もしくはそのオリゴヌクレオチド部分、または、１つもしくは複数のプライマーまたはそれらの相補体を含むベクターを提供するものである。また適当な場合には、本発明は、先行配列のいずれかを単独で、またはポリヌクレオチドをコードしたポリペプチドの発現を誘導することができる調節要素を機能的に結合するものを含む宿主細胞を提供する。
【００７５】
本明細書に記載された変異型ＰＫＤ１ポリヌクレオチド配列に加えて、ヒト以外の種を含む、本発明の変異型ＰＫＤ１ポリヌクレオチドの相同体を、当技術分野に公知の分子生物学的技術により同定し、単離することができる。また、ヒトＰＫＤ１ポリヌクレオチドの、変異型ＰＫＤ１対立遺伝子および付加的な正常対立遺伝子は、本発明の方法を用いて同定することができる。さらに、ＰＫＤ１ポリペプチド（配列番号：２）の１つまたは複数のドメインと広範囲に相同性を有するタンパク質をコードする、ヒトゲノム中の遺伝子の他の遺伝子座に遺伝子を存在させることができる。このような遺伝子は、本発明に係る方法により関係する変種および変異体を含めて、同定されうる。
【００７６】
変異型ＰＫＤ１ポリヌクレオチド配列の相同体は、例えば、配列番号：３〜５１、好ましくは配列番号：３〜１８から選択するか、または配列番号：２に記載のＰＫＤ１ポリペプチドのアミノ酸配列もしくは本明細書に記載された変異体を基礎にして設計されたプライマープールを変性させた、２つのオリゴヌクレオチドプライマーを用いて、ポリメラーゼ連鎖反応（ＰＣＲ；米国特許第４，６８３，２０２号、参照として本明細書に組み入れられる）を行って単離することができる。反応のための鋳型は、ヒトもしくは非ヒト細胞系、またはＰＫＤ１対立遺伝子もしくはＰＫＤ１相同体を発現するものとして知られる組織から調製されたｍＲＮＡの逆転写により得られるｃＤＮＡとすることができる。ＰＣＲ産物は、増幅された配列が、ＰＫＤ１の配列またはＰＫＤ変異型ポリヌクレオチド配列であることを確認するため、多くの方法（例えば、ネスティドＰＣＲによりさらに操作する）でサブクローニングされ、配列決定または操作される。ＰＣＲ断片は、増幅された断片を標識し、核酸ライブラリー（例えば、バクテリオファージｃＤＮＡライブラリー）をスクリーニングして、全長ＰＫＤ１ ｃＤＮＡクローン（変異型ＰＫＤ１ポリヌクレオチド配列を含むクローンを含む）を単離するために用いることができる。一方、標識された断片は、ゲノムライブラリーをスクリーニングするために用いることができる（クローニング方法の総説、例えばＳａｍｂｒｏｏｋら、前記、１９８９；Ａｕｓｕｂｅｌら、前記、１９８９を参照のこと）。
【００７７】
本発明はまた、精製された変異型ＰＫＤ１ポリペプチドまたはそのペプチド部分を提供する。本明細書に記載のとおり、変異型ＰＫＤ１ポリペプチドは、配列番号：２と実質的に同一のアミノ酸配列を有し、配列番号：２のアミノ酸の欠失、付加（挿入）、置換による変異を含み、または配列番号：２が切断されている。このような変異としては、配列番号：２に関し、Ａ８８Ｖ、Ｗ９６７Ｒ、Ｇ１１６６Ｓ；Ｖ１９５６Ｅ；Ｒ１９９５Ｈ；Ｒ２４０８Ｃ；Ｄ２６０４Ｎ；Ｌ２６９６Ｒ、Ｒ２９８５Ｇ、Ｒ３０３９Ｃ、Ｖ３２８５Ｉ、またはＨ３３１１Ｒの変異、挿入のために配列番号：２のアミノ酸残基２４４１位と２４４２位の間へＧｌｙ残基が付加すること、または、そうでなければ３００１位のアミノ酸をコードしていた配列番号：１の位置に停止コドンが存在するために、配列番号：２の３０００位のアミノ酸で、切断されたＰＫＤ１ポリペプチドが終結すること、ならびにこれらの変異の組み合わせを有する変異型ＰＫＤ１ポリペプチドが含まれる（表４参照）。
【００７８】
変異型ＰＫＤ１ポリペプチドまたはそのペプチド部分は１つまたは複数の例示される変異を含むことができる。本明細書で用いられるように、配列番号：２または変異型ＰＫＤ１ポリペプチドのペプチド部分の例としては、全長野生型ＰＫＤ１ポリペプチドより少ないアミノ酸を含む、配列番号：２の連続するアミノ酸配列、または本明細書で記載される変異を含む配列番号：２の連続するアミノ酸配列が挙げられる。通常、ＰＫＤ１ポリペプチドまたは変異型ＰＫＤ１ポリペプチドにおけるペプチド部分は、配列番号：２において、それぞれがペプチド結合またはその修飾形で結合した少なくとも約５つのアミノ酸（またはアミノ酸誘導体もしくは修飾アミノ酸）を含み、通常では少なくとも約８つ、特に少なくとも約１０個のアミノ酸を含み、１２個または１３個以上のアミノ酸を含むことができる。特に、ペプチドが変異型ＰＫＤ１ポリペプチドにおけるペプチド部分である場合、ペプチドは、配列番号：２に関する変異体アミノ酸を含む。
【００７９】
本発明に係る変異型ＰＫＤ１ポリぺプチドおよびそのペプチド断片は、配列番号：２に記載の配列と実質的に同一の配列を有するとともに、以下の変異、またはその組み合わせを有するＰＫＤ１ポリペプチドまたはペプチドを含む：Ａ８８Ｖ、Ｗ９６７Ｒ、Ｌ２６９６Ｒ、Ｒ２９８５Ｇ、Ｒ３０３９Ｃ、Ｖ３２８５Ｉ、もしくはＨ３３１１Ｒ、または、そうでなければ３００１位のアミノ酸をコードしていた位置に停止コドンが存在するために（配列番号：２に関して）３０００位のアミノ酸で変異型ＰＫＤ１ポリペプチドの終結が生じた変異。野生型ＰＫＤ１ポリペプチド（配列番号：２）は、４３０３個のアミノ酸残基を有し、約４６７キロダルトン（ｋＤａ）の推定分子量を有する。さらに本発明は、配列番号：２に関して切断された変異型ＰＫＤ１ポリペプチドを含み、例えば、コードされたＰＫＤ１ポリペプチドの不完全な終結の結果生ずるＧ９２１３Ａによる配列番号：１の変異が挙げられる（実施例２参照）。このような切断された産物は、ＡＤＰＫＤのようなＰＫＤ１関連障害に関連しうる（表４参照）。
【００８０】
配列番号：２に関する１つまたは複数のアミノ酸残基の欠失、挿入、または置換を含みうる変種ＰＫＤ１ポリペプチドを含む、野生型ＰＫＤ１ポリペプチドと機能的に等価であるＰＫＤ１ポリペプチドであるが、それにもかかわらず配列番号：２により与えられるものと識別不能の表現形によって生じるＰＫＤ１ポリペプチドも、本発明に含まれる。このようなアミノ酸置換は、例えば、通常、含まれる残基の極性、電荷、溶解性、疎水性、親水性、または両親媒性などの類似性により生じる。例えば、負電荷アミノ酸としては、アスパラギン酸およびグルタミン酸が含まれ；正電荷アミノ酸としては、リジン、アルギニンが含まれ；類似の親水性の価数を有する非電荷の極性ヘッド基を有するアミノ酸としては、ロイシン、イソロイシン、バリン、グリシン、アラニン、アスパラギン、グルタミン、セリン、スレオニン、フェニルアラニン、およびチロシンが含まれる。しかしながら、多くの場合、ヌクレオチド置換はサイレントであり、コードされたＰＫＤ１ポリペプチドに変化がない（実施例２参照）。このような変種ＰＫＤ１ポリヌクレオチドは、配列番号：１（配列番号：２）と実質的に同一の変種ＰＫＤ１ポリヌクレオチド配列によりコードされたものが例示され、表３で示されるＧ４８７Ａ（Ａ９２Ａ）、Ｃ９３６７Ｔ（Ｇ３０５２Ｇ）、Ｔ１０２３４Ｃ（Ｌ３３４１Ｌ）、およびＧ１０２５５Ｔ（Ｒ３３４８Ｒ）（実施例２参照）、ならびにＣ９４９４Ｔ（Ｌ３０９５Ｌ）を含む（をコードする）。
【００８１】
ＡＤＰＫＤ症状を引き起こす、配列番号：２に記載のＰＫＤ１ポリペプチドまたはそのペプチド部分と実質的に同一の変異型ＰＫＤ１ポリペプチドおよびそのペプチド部分も、本発明の範囲に含まれる。このような変異型ＰＫＤ１ポリペプチドおよびそのペプチド部分は、優性変異型ＰＫＤ１ポリペプチド、またはそのような変異型ＰＫＤ１ポリペプチドと機能的に等価なポリペプチドに関連するＰＫＤ１を含むことができる。変異型ＰＫＤ１ポリペプチド配列の例としては、Ａ８８Ｖ、Ｗ９６７Ｒ、Ｌ２６９６Ｒ、Ｒ２９８５Ｇ、Ｒ３０３９Ｃ、Ｖ３２８５ＩもしくはＨ３３１１Ｒのような１つまたは複数のアミノ酸置換を有するか、または３０００位のアミノ酸の後ろで切断される、配列番号：２と実質的に同一のポリペプチド配列が含まれる。変異型ＰＫＤ１ポリペプチドにおけるペプチド部分の長さは、３、６、９、１２、２０、５０、１００個またはそれ以上のアミノ酸残基であり、上記と同一の変異の少なくとも１つを含む。
【００８２】
ＰＫＤ１野生型もしくは変異体ポリペプチド、またはそのペプチド部分は、以下で述べるように天然資源から精製することができ、化学合成可能であり、または組換えにより発現させることができる。例えば、当業者は、配列番号：２（例えば、３１１０残基を含む）に記載のＰＫＤ１ポリペプチドの変異部分に対応するペプチド断片を合成することができ、合成されたペプチド断片を使用して、ポリクローナル抗体またはモノクローナル抗体を製造することができる。合成ポリペプチドまたはペプチドは、化学合成により調製することができ、例えば、公知の固相化学ペプチド合成法（例えば、Ｍｅｒｒｉｆｉｅｌｄ、Ｊ． Ａｍ． Ｃｈｅｍ． Ｓｏｃ． ８５：２１４９〜２１５４、１９６３；ＳｔｅｗａｒｔおよびＹｏｕｎｇ、「固相ペプチド合成法第２版（Ｓｏｌｉｄ Ｐｈａｓｅ Ｐｅｐｔｉｄｅ Ｓｙｎｔｈｅｓｉｓ， Ｓｅｃｏｎｄ ｅｄ．）」、Ｐｉｅｒｃｅ Ｃｈｅｍｉｃａｌ Ｃｏ．、Ｒｏｃｋｆｏｒｄ、Ｉｌｌ．、ｐｐ１１〜１２）が挙げられ、さらに市販の実験用ペプチド設計合成キット（Ｃａｍｂｒｉｄｇｅ Ｒｅｓｅａｒｃｈ Ｂｉｏｃｈｅｍｉｃａｌｓ）を用いることができる。このような市販の実験用キットは、通常、Ｇｅｙｓｅｎら、Ｐｒｏｃ． Ｎａｔｌ． Ａｃａｄ． Ｓｃｉ． ＵＳＡ ８１：３９９８（１９８４）の開示に従って用いることができ、それぞれが単一のプレートに結合する、複数のロッドまたはピンの先端上にペプチドを合成することができる。このような系を用いる場合、ロッドまたはピンのプレートは、そのピンまたはロッドの先端に適切なアミノ酸を接着または定着させるための溶液を含む、ウェルまたはレザバーに対応する第２のプレートに転換および挿入される。ロッドまたはピンの先端を適切な溶液中に転換または挿入するというような工程を繰り返すことにより、アミノ酸は所望のペプチドに構築される。
【００８３】
多くの利用可能なＦＭＯＣペプチド合成系を利用することができる。例えば、ポリペプチドまたは断片の組み立ては、アプライドバイオシステム社（Ａｐｐｌｉｅｄ Ｂｉｏｓｉｓｔｅｍｓ Ｉｎｃ．）モデル４３１Ａ自動ペプチド合成機を用いて固体支持体上で行うことができる。このような装置により、直接的に合成または他の公知の技術と組み合わせて連続断片を合成して、本発明のペプチドを速やかに入手する方法が提供される。したがって、ポリペプチドおよびペプチドの化学合成法は、当業者に公知のものであり、例えば、ペプチドは、固相法により合成され、樹脂から分離され、調製用の高速液体クロマトグラフィーで精製することができる（Ｃｒｅｉｇｈｔｏｎ、１９８３、「タンパク質：構造と分子の原理（Ｐｒｏｔｅｉｎｓ：Ｓｔｒｕｃｔｕｒｅｓ ａｎｄ Ｍｏｌｅｃｕｌａｒ Ｐｒｉｎｃｉｐｌｅｓ）」、Ｗ． Ｈ． Ｆｒｅｅｍａｎ ＆ Ｃｏ．、Ｎ．Ｙ．、ｐｐ．５０〜６０参照）。合成ペプチド組成物は、アミノ酸分析または配列決定により確認することができ、例えば、エドマン（Ｅｄｍａｎ）分解法を用いることができる（Ｃｒｅｉｇｈｔｏｎ、１９８３、前記、ｐｐ．３４〜４９参照）。このように、ＰＫＤ１ポリペプチド、変種、変異体の断片は、化学的に合成可能である。ペプチドは、次に、例えば、ＰＫＤ１関連障害（例えばＡＤＰＫＤ）の診断とともに、ＰＫＤ１変種および変異体の検出に有用な抗体の製造に用いることができる。
【００８４】
本発明の変種または変異体を含むＰＫＤ１ポリペプチドまたはペプチドは、当技術分野に公知のタンパク質分離技術を用いて天然資源から実質的に精製（例えば、細胞から精製）することができる。このような方法を用いることにより、ＰＫＤ１ポリペプチドから、他のタンパク質、糖タンパク質および他の天然資源中に通常見出される巨大分子の少なくとも約９０％（重量を基にする）、さらに少なくとも約９９％を取り除くことができる。このような精製技術としては、特に限定されないが、硫酸アンモニウム沈殿、分子ふるいクロマトグラフィー、および／またはイオン交換クロマトグラフィーが含まれる。さらに、ＰＫＤ１ポリペプチド、変種、または変異体は、ＰＫＤ１ポリペプチド、変種、または変異体と特異的に結合することができる抗体を固定化した免疫吸着カラムを用いる免疫親和性クロマトグラフィーにより精製することもできる。このような抗体はモノクローナルまたはポリクローナルを起源とすることができる。例えば、変異型ＰＫＤ１ポリペプチドに特異的に結合する抗体は、野生型ＰＫＤ１ポリペプチドまたはそのペプチドに結合しない。ＰＫＤ１ポリペプチドがグリコシル化されている場合、グリコシル化のパターンを、例えば、レクチンクロマトグラフィーを介した精製経路の一部に用いることができる。
【００８５】
ＰＫＤ１ポリペプチド、その変種、または変異体を精製することができる細胞起源には、例えばノーザンおよび／またはウェスタンブロット分析によってＰＫＤ１ポリヌクレオチド、変種、または変異配列を発現することが示されている細胞が含まれる。好ましくは、そのような細胞起源は、例えば腎尿細管上皮細胞を含む腎細胞、ならびに胆管細胞、骨格筋細胞、肺胞上皮細胞、胎盤細胞、線維芽細胞、リンパ芽球、腸上皮細胞、および内皮細胞である。その他の起源には、体液、または被験者から得たオルガネラ調製物のような分画された細胞もしくは組織が含まれる。本発明において用いられる体液の例は、血液、血清、血漿、尿、粘膜、および唾液である。組織または細胞試料もまた、本発明に使用することができる。試料は、細胞吸引または生検試料の外科的採取のような多くの方法によって得ることができる。
【００８６】
本発明のＰＫＤ１ポリペプチド、変種、または変異体は、細胞から分泌されうる。ＰＫＤ１ポリペプチドまたは変異体のそのような細胞外型は、好ましくは上記の任意の技術を用いて細胞というよりはむしろ、組織全体から精製することができる。上記の細胞のようなＰＫＤ１発現細胞はまた、当業者に周知の条件下で細胞培養によって増殖させることができる。次に、ＰＫＤ１ポリペプチドまたはその変異体を、上記の任意の技術を用いて細胞培地から精製することができる。
【００８７】
ＰＫＤ１ポリペプチド、変種、または変異体はさらに、当技術分野で周知の技術と組み合わせて上記のＰＫＤ１ヌクレオチド配列、変種、および変異体を用いて、組換えＤＮＡ技術によって産生することができる。または、ＰＫＤ１ポリペプチド、またはそのペプチド断片をコードすることができるＲＮＡを、例えば自動または半自動化合成機を用いて化学合成することができる（例えば、参照として本明細書に組み入れられる、「オリゴヌクレオチド合成（Ｏｌｉｇｏｎｕｃｌｅｏｔｉｄｅ Ｓｙｎｔｈｅｓｉｓ）」、１９８４、ゲイト（Ｇａｉｔ）編、ＩＲＬ出版、オックスフォードを参照のこと）。
【００８８】
本明細書に記載のアッセイ系における構成要素として用いる場合、変異型ＰＫＤ１ポリペプチドまたはペプチドは、ＰＫＤ１ポリペプチドと抗体または核酸配列とのあいだに形成された複合体の検出を促進するために、直接または間接的に標識することができる。１２５Ｉのような放射性同位元素、基質に暴露すると検出可能な色のシグナルまたは光を発生するビオチン−アビジン、または西洋ワサビペルオキシダーゼのような酵素標識系を含むが、これらに限定されない多様な適した任意の標識系を用いることができる。
【００８９】
本発明はまた、望ましい場合には、参照として本明細書に組み入れられる米国特許第５，８９１，６２８号に記載の抗体、または米国特許第５，８９１，６２８号に記載のようなＰＫＤ１変異体に特異的に結合する抗体を除外できることを除き、ＰＫＤ１変異体またはＰＫＤ１変種に特異的に結合する抗体を提供する。変異型ＰＫＤ１ポリペプチドに特異的に結合する抗体は、診断または治療試薬として有用であり、したがって、例えば、ＡＤＰＫＤを有する、またはＡＤＰＫＤを有するリスクがある被験者を同定するための診断アッセイ法において用いることができ、キットとして提供すると特に都合がよい。
【００９０】
本明細書において用いられるように、抗体および抗原またはそのエピトープ部分に関連して用いる場合に「特異的に結合する」という用語は、抗体および抗原（またはエピトープ）が少なくとも約１×１０−７、一般的に少なくとも約１×１０−８、通常では少なくとも１×１０−９、および特に少なくとも約１×１０−１０またはそれ未満の解離常数を有することを意味する。所望の特異性を有する抗体を同定および選択する方法は周知であり、当技術分野において日常的に行われる（例えば、参照として本明細書に組み入れられる、ハーロウ＆レーン（Ｈａｒｌｏｗ ａｎｄ Ｌａｎｅ、「抗体：実験マニュアル（Ａｎｔｉｂｏｄｉｅｓ：Ａ Ｌａｂｏｒａｔｏｒｙ Ｍａｎｕａｌ）」、コールドスプリングハーバー出版、１９８８を参照のこと）。
【００９１】
１つまたは複数のＰＫＤ１ポリペプチドエピトープ、特に変異型ＰＫＤ１ポリペプチドに対して独自のエピトープに特異的に結合することができる抗体を産生する方法は、本明細書に開示され、またはそうでなければ当技術分野で周知である。そのような抗体は、ポリクローナル抗体またはモノクローナル抗体（ｍＡｂ）となることができ、ヒト化またはキメラ抗体、一本鎖抗体、抗イディオタイプ抗体、および例えばＦａｂ断片、Ｆ（ａｂ’）２断片またはＦａｂ発現ライブラリーによって産生された断片を含む、上記の任意のもののエピトープ結合断片となりうる。そのような抗体は、例えば生体試料中に存在しうるＰＫＤ１ポリペプチド、もしくは変種ＰＫＤ１ポリペプチドを含む変異型ＰＫＤ１ポリペプチドの検出に用いることができ、または異常なＰＫＤ１活性を阻害するために用いることができる。このように、抗体はＡＤＰＫＤ治療方法の一部としてのみならず、例えば、ＰＫＤ１ポリペプチドの有無または量を検出するための診断方法において利用することができる。
【００９２】
ＰＫＤ１変種またはＰＫＤ１変異体を含むＰＫＤ１に結合する抗体を産生するために、ＰＫＤ１ポリペプチド、変異型ポリペプチド、変種、またはその部分を注射することによって、様々な宿主動物を免疫化することができる。そのような宿主動物には、ウサギ、マウス、およびラットが含まれうるが、これらに限定されない。フロイント（完全および不完全）、水酸化アルミニウムのような無機質ゲル、リゾレシチン、プルロン酸ポリオール、ポリアニオン、ペプチド、油性乳剤、キーホールリンペットヘモシアニン、ジニトロフェノール、およびＢＣＧ（カルメットゲラン桿菌）またはコリネバクテリウム・パルブム（Ｃｏｒｙｎｅｂａｃｔｅｒｉｕｍ ｐａｒｖｕｍ）のようなおそらく有用なヒトアジュバントを含むがこれらに限定されない様々なアジュバントを用いて、宿主の種に応じて免疫応答を増加させることができる。
【００９３】
本発明の変異型ＰＫＤ１ポリペプチド、そのペプチド部分に結合する抗体は、免疫化する抗原として無傷のポリペプチドまたは関係する小型ペプチドを含む断片を用いて調製することができる。動物を免疫化するために用いられるポリペプチドまたはペプチドは、翻訳されたｃＤＮＡまたは化学合成に由来することができ、望ましい場合には担体タンパク質に結合させることができる。ペプチドに化学的に連結させることができるそのような一般的に用いられる担体には、キーホールリンペットヘモシアニン、サイログロブリン、ウシ血清アルブミン、破傷風毒素、および上記のまたはそうでなければ当技術分野で既知の他の担体が含まれる。次に、連結したポリペプチドまたはペプチドを用いて動物を免疫化し、抗血清を回収することができる。望ましい場合には、ポリクローナル抗体またはモノクローナル抗体を、例えばそれに対する抗体を作製するポリペプチドまたはペプチドが結合するマトリックスに結合させて、そこから溶出させることによって、精製することができる。ポリクローナル抗体と共にモノクローナル抗体の精製および／または濃縮に関して免疫学において一般的に用いられる様々な技術を用いることができる（例えば、参照として本明細書に組み入れられる、コリガン（Ｃｏｌｉｇａｎ）ら、「免疫学の現行プロトコール（Ｃｕｒｒｅｎｔ Ｐｒｏｔｏｃｏｌｓ ｉｎ Ｉｍｍｕｎｏｌｏｇｙ）」、９章、ウィリーインターサイエンス、１９９１年を参照のこと）。
【００９４】
抗イディオタイプ技術を用いて、エピトープを模倣するモノクローナル抗体を産生することができる。例えば、第１のモノクローナル抗体に対して作製された抗イディオタイプモノクローナル抗体は、第１のモノクローナル抗体によって結合されるエピトープの像である高度可変領域に結合ドメインを有すると思われる。本発明の抗体は、ポリクローナル抗体、モノクローナル抗体、ならびに変異型ＰＫＤ１ポリペプチドまたはそのペプチド部分に特異的に結合するポリクローナル抗体およびモノクローナル抗体の断片が含まれる。
【００９５】
ポリクローナル抗体の調製は当業者に周知である（例えば、参照として本明細書に組み入れられる、グリーン（Ｇｒｅｅｎ）ら、ポリクローナル抗血清の作製（Ｐｒｏｄｕｃｔｉｏｎ ｏｆ Ｐｏｌｙｃｌｏｎａｌ Ａｎｔｉｓｅｒａ）、「免疫化学プロトコール（Ｉｍｍｕｎｏｃｈｅｍｉｃａｌ Ｐｒｏｔｏｃｏｌｓ）」、マンソン（Ｍａｎｓｏｎ）編、１〜５頁（ヒュマナ出版、１９９２年）；コリガン（Ｃｏｌｉｇａｎ）ら、ウサギ、ラット、マウス、およびハムスターにおけるポリクローナル抗血清の産生（Ｐｒｏｄｕｃｔｉｏｎ ｏｆ Ｐｏｌｙｃｌｏｎａｌ Ａｎｔｉｓｅｒａ ｉｎ Ｒａｂｂｉｔｓ， Ｒａｔｓ， Ｍｉｃｅ ａｎｄ Ｈａｍｓｔｅｒｓ）、「免疫学の現行プロトコール（Ｃｕｒｒｅｎｔ Ｐｒｏｔｏｃｏｌｓ ｉｎ Ｉｍｍｕｎｏｌｏｇｙ）」、２．４．１章（１９９２）を参照のこと）。モノクローナル抗体の調製は同様に従来の方法である（例えば、参照として本明細書に組み入れられる、コーラー＆ミルスタイン（Ｋｏｈｌｅｒ ａｎｄ Ｍｉｌｓｔｅｉｎ）、Ｎａｔｕｒｅ ２５６：４９５、１９７５を参照のこと；同様に、コリガン（Ｃｏｌｉｇａｎ）ら、上記、第２．５．１〜２．６．７章を参照のこと；およびハーロウ（Ｈａｒｌｏｗ）ら、上記、１９８８年を参照のこと）。簡単に説明すると、モノクローナル抗体は、抗原を含む組成物をマウスに注入して、血清試料を採取することによって抗体産生の有無を確認し、脾臓を採取してＢリンパ球を得て、Ｂリンパ球を骨髄腫細胞と融合させて、ハイブリドーマを作製し、ハイブリドーマをクローニングして、抗原に対する抗体を産生する陽性クローンを選択し、ハイブリドーマ培養から抗体を単離することによって得ることができる。
【００９６】
モノクローナル抗体は、多様なよく確立された技術によって、ハイブリドーマ培養から単離および精製することができる。そのような単離技術には、プロテインＡセファロースによるアフィニティクロマトグラフィー、サイズ排除クロマトグラフィー、およびイオン交換クロマトグラフィー（コリガン（Ｃｏｌｉｇａｎ）ら、第２．７．１〜２．７．１２章および第２．９．１〜２．９．３章；バーンズ（Ｂａｒｎｅｓ）ら、免疫グロブリンＧ（ＩｇＧ）の精製（Ｐｕｒｉｆｉｃａｔｉｏｎ ｏｆ Ｉｍｍｕｎｏｇｌｏｂｌｉｎ Ｇ）、「分子生物学の方法（Ｍｅｔｈｏｄｓ ｉｎ Ｍｏｌｅｃｕｌａｒ Ｂｉｏｌｏｇｙ）」、第１０巻、７９〜１０４頁（ヒュマナ出版、１９９２年）を参照のこと）。モノクローナル抗体を発現するハイブリドーマ細胞のインビトロおよびインビボ複製は当業者に周知である。インビトロでの複製は、選択的に、仔ウシ胎児血清のような哺乳類血清または微量元素および正常マウス腹腔滲出細胞、脾細胞、骨髄マクロファージのような増殖を維持する補助物質を加えた、ダルベッコ改変イーグル培地またはＲＰＭＩ １６４０培地のような適した培地において行うことができる。インビトロでの産生によって、比較的純粋な抗体調製物が提供され、所望の抗体が大量に得られるように規模を拡大することができる。大規模なハイブリドーマ培養は、エアリフト型リアクター、連続攪拌リアクター、または固定もしくは捕獲細胞培養における均一な懸濁培養によって行うことができる。インビボでの複製は、抗体産生腫瘍を増殖させるために、親細胞と組織適合性の哺乳類、すなわち同系マウスに細胞クローンを注入することによって行うことができる。選択的に、動物には炭化水素、特にプリスタンテトラメチルペンタデカンのような油を注射前にプライミングする。１〜３週間後、所望のモノクローナル抗体が動物の体液から回収される。
【００９７】
本明細書に開示の抗体の治療的応用もまた、本発明の一部である。例えば、本発明の抗体は、ヒトより下の霊長類抗体に由来することができる。治療的に有用な抗体をヒヒにおいて作製する一般的な技術は、例えば、参照として本明細書に組み入れられる、ゴールデンバーグら（Ｇｏｌｄｅｎｂｅｒｇ、国際公開公報第９１／１１４６５号、１９９１年）；ロスマンら（Ｌｏｓｍａｎ、Ｉｎｔ． Ｊ． Ｃａｎｃｅｒ ４６：３１０、１９９０）に見ることができる。
【００９８】
抗ＰＫＤ１抗体はまた、「ヒト化」モノクローナル抗体に由来しうる。ヒト化モノクローナル抗体は、マウス免疫グロブリンの重鎖および軽鎖からのマウス相補性決定領域をヒト可変領域ドメインに移入し、次にマウス相対物のフレームワーク領域においてヒト残基を置換することによって産生する。ヒト化モノクローナル抗体に由来する抗体成分を用いれば、マウス定常領域の免疫原性に関連した起こりうる問題が回避される。マウス免疫グロブリン可変ドメインをクローニングする一般的な技術は、例えば参照として本明細書に組み入れられる、オーランディら（Ｏｒｌａｎｄｉ、Ｐｒｏｃ． Ｎａｔｌ． Ａｃａｄ． Ｓｃｉ． ＵＳＡ ８６：３８３３、１９８９）に記載されている。ヒト化モノクローナル抗体を産生する技術は、例えば、参照として本明細書に組み入れられる、ジョーンズ（Ｊｏｎｅｓ）ら、Ｎａｔｕｒｅ ３２１：５２２、１９８６；リークマン（Ｒｉｅｃｈｍａｎｎ）ら、Ｎａｔｕｒｅ ３３２：３２３、１９８８；ベルホーエン（Ｖｅｒｈｏｅｙｅｎ）ら、Ｓｃｉｅｎｃｅ ２３９：１５３４、１９８８；カーター（Ｃａｒｔｅｒ）ら、Ｐｒｏｃ． Ｎａｔｌ． Ａｃａｄ． Ｓｃｉ． ＵＳＡ ８９：４２８５、１９９２；サンドゥ（Ｓａｎｄｈｕ）、Ｃｒｉｔ． Ｒｅｖ． Ｂｉｏｔｅｃｈ． １２：４３７、１９９２；およびシンガー（Ｓｉｎｇｅｒ）ら、Ｊ． Ｉｍｍｕｎｏｌ． １５０：２８４４、１９９３に記載されている。
【００９９】
本発明の抗体はまた、コンビナトリアル免疫グロブリンライブラリーから単離したヒト抗体断片に由来しうる（例えば、参照として本明細書に組み入れられる、バーバス（Ｂａｒｂａｓ）ら、「方法：酵素学の方法との比較（Ｍｅｔｈｏｄｓ：Ａ Ｃｏｍｐａｒｉｓｏｎ ｔｏ Ｍｅｔｈｏｄｓ ｉｎ Ｅｎｚｙｍｏｌｏｇｙ）」、第２巻、１１９頁、１９９１；ウィンター（Ｗｉｎｔｅｒ）ら、Ａｎｎ． Ｒｅｖ． Ｉｍｍｕｎｏｌ． １２：４３３、１９９４を参照のこと）。ヒト免疫グロブリンファージライブラリーを産生するために有用なクローニングおよび発現ベクターは、例えばストラタジーン社（ラホヤ、カリフォルニア州）から得ることができる。
【０１００】
さらに、本発明の抗体は、ヒトモノクローナル抗体に由来することができる。そのような抗体は、抗原の投与に反応して特異的ヒト抗体を産生するように「操作されている」トランスジェニックマウスから得られる。この技術において、ヒト重鎖および軽鎖遺伝子の要素を、内因性の重鎖および軽鎖遺伝子の標的化破壊を含む胚肝細胞株に由来するマウス株に導入する。トランスジェニックマウスは、ヒト抗原に対して特異的なヒト抗体を合成することができ、このマウスを用いてヒト抗体分泌ハイブリドーマを産生することができる。トランスジェニックマウスからヒト抗体を得る方法は、グリーンら（Ｇｒｅｅｎ、Ｎａｔｕｒｅ Ｇｅｎｅｔ． ７：１３（１９９４））；ロンバーグら（Ｌｏｎｂｅｒｇ、Ｎａｔｕｒｅ ３６８：８５６（１９９４））；タイラーら（Ｔａｙｌｏｒ、Ｉｎｔ． Ｉｍｍｕｎｏｌ． ６：５７９（１９９４））に記載されている。
【０１０１】
本発明の抗体断片は、抗体のタンパク質分解加水分解、または断片をコードするＤＮＡの大腸菌における発現によって調製することができる。抗体断片は従来の方法によって抗体全体のペプシンまたはパパイン消化によって得ることができる。例えば、抗体断片は、ペプシンによる抗体の酵素的切断によって、Ｆ（ａｂ’）２と呼ばれる５Ｓ断片を提供することによって産生することができる。この断片は、チオール還元剤、および選択的に、ジスルフィド結合の切断によるスルフヒドリル基のためのブロッキング基を用いてさらに切断することができ、３．５Ｓ Ｆａｂ’一価断片を生じる。または、ペプシンを用いる酵素的切断は、２つの一価Ｆａｂ’断片とＦｃ断片を直接産生する。これらの方法は、例えば、参照として本明細書に組み入れられる、ゴールデンバーグ（Ｇｏｌｄｅｎｂｅｒｇ）の米国特許第４，０３６，９４５号、および第４，３３１，６４７号、およびそこに含まれる参考文献に記載されている（同様に、ニソンホフ（Ｎｉｓｏｎｈｏｆｆ）ら、Ａｒｃｈ． Ｂｉｏｃｈｅｍ． Ｂｉｏｐｈｙｓ． ８９：２３０、１９６０；ポーター（Ｐｏｒｔｅｒ）、Ｂｉｏｃｈｅｍ． Ｊ． ７３：１１９、１９５９；エーデルマン（Ｅｄｅｌｍａｎ）ら、Ｍｅｔｈ． Ｅｎｚｙｍｏｌ． １：４２２、１９６７；およびコリガン（Ｃｏｌｉｇａｎ）ら、２．８．１〜２．８．１０章および２．１０．１〜２．１０．４章も参照のこと）。重鎖を分離して一価の軽重鎖断片、断片のさらなる切断を生成するような、抗体を切断するその他の方法、またはその他の酵素的化学的もしくは遺伝的技術もまた、断片が無傷の抗体によって認識される抗原に結合する限り、用いることができる。
【０１０２】
Ｆｖ断片は、ＶＨとＶＬ鎖との会合を含むが、これは例えば非共有結合となりうる（インバー（Ｉｎｂａｒ）ら、Ｐｒｏｃ． Ｎａｔｌ． Ａｃａｄ． Ｓｃｉ． ＵＳＡ ６９：２６５９、１９７２を参照のこと）。可変鎖を、分子間ジスルフィド結合によって結合することができ、グルタルアルデヒドのような化学物質によって架橋することもできる（サンドゥ（Ｓａｎｄｈｕ）、上記、１９９２）、またはＶＨおよびＶＬ鎖を含むＦｖ断片は、ペプチドリンカーによって結合することができる。これらの一本鎖抗原結合タンパク質（ｓＦｖ）は、オリゴヌクレオチドによって結合したＶＨおよびＶＬドメインをコードするＤＮＡ配列を含む構造遺伝子を構築することによって調製する。構造遺伝子を発現ベクターに挿入し、これをその後大腸菌のような宿主細胞に導入する。組換え宿主細胞は、２つのＶドメインを架橋するリンカーペプチドによってポリペプチド鎖を合成する。ｓＦｖを産生する方法は、例えば、ウィットロウら（Ｗｈｉｔｌｏｗ、「方法：酵素学の方法との比較（Ｍｅｔｈｏｄｓ：Ａ Ｃｏｍｐａｒｉｓｏｎ ｔｏ Ｍｅｔｈ． Ｅｎｚｙｍｏｌ．）」、２：９７、１９９１）；バードら（Ｂｉｒｄ、Ｓｃｉｅｎｃｅ ２４２：４２３、１９８８）；ラドナーら（Ｌａｄｎｅｒ 、米国特許第４，９４６，７７８号）；パックら（Ｐａｃｋ、ＢｉｏＴｅｃｈｎｏｌｏｇｙ １１：１２７１、１９９３）；およびサンドゥ（Ｓａｎｄｈｕ、上記、１９９２）によって記載されている。
【０１０３】
抗体断片のもう一つの形は、単一の相補性決定領域（ＣＤＲ）をコードするペプチドである。ＣＤＲペプチド（「最小の認識単位」）は、対象となる抗体のＣＤＲをコードする遺伝子を構築することによって得ることができる。そのような遺伝子は、例えば抗体産生細胞のＲＮＡからの可変領域を合成するためにポリメラーゼ連鎖反応を用いることによって調製される（例えば、ラリック（Ｌａｒｒｉｃｋ）ら、「方法：酵素学の方法との比較（Ｍｅｔｈｏｄｓ：Ａ Ｃｏｍｐａｒｉｓｏｎ ｔｏ Ｍｅｔｈ． Ｅｎｚｙｍｏｌ．）」、２：１０６、１９９１を参照のこと）。
【０１０４】
変異型ＰＫＤ１ポリヌクレオチドまたはそのオリゴヌクレオチド部分、および変異型ＰＫＤ１ポリペプチドまたはペプチドに対して作製した抗体のような試薬を利用する多様な方法を用いることができる。特に、そのような試薬は、ＰＫＤ１変異の有無、例えば疾患組織に存在するが、対応する非疾患組織と比較または相対させると、大きく減少したレベルで存在する分子を検出するために用いることができる。
【０１０５】
本明細書に記載の方法は、例えば、ＰＫＤ１遺伝子または変異型ＰＫＤ１ポリヌクレオチドの少なくとも一つの特異的オリゴヌクレオチド部分、プライマー対、または本明細書に開示の抗ＰＫＤ１抗体試薬を含む診断キットとなりうる、予め包装されたキットを利用することによって行うことができ、これらはＰＫＤ１異常を示す被験者を診断するために、またはＡＤＰＫＤを含むＰＫＤ１関連障害を検出するために臨床の状況において都合よく用いることができる。ＰＫＤ１ポリヌクレオチドが発現される任意の組織を本発明の診断方法に用いることができる。
【０１０６】
分析すべき組織からの核酸は、当技術分野で周知の方法を用いて単離することができ、または診断方法は、生検または切除によって被験者からさらに精製せずに得ることができる組織切片（固定または凍結された切片）について直接行うことができる。本発明のオリゴヌクレオチド配列は、そのようなインサイチュー技法に関してプローブまたはプライマーとして用いることができる（ヌオボ（Ｎｕｏｖｏ）、１９９２、「ＰＣＲインサイチューハイブリダイゼーション：プロトコールと応用（ＰＣＲ ｉｎ ｓｉｔｕ ｈｙｂｒｉｄｉｚａｔｉｏｎ：ｐｒｏｔｏｃｏｌｓ ａｎｄ ａｐｐｌｉｃａｔｉｏｎｓ）」、レイブン出版、ニューヨーク州）。例えば、本発明の診断方法において有用なオリゴヌクレオチドプローブには、少なくとも１０個の隣接するヌクレオチドを有し、配列番号：１の一部と実質的に同一であって；且つ４７４位がＴであるヌクレオチド；４８７位がＡであるヌクレオチド；３１１０位がＣであるヌクレオチド；８２９８位がＧであるヌクレオチド；９１６４位がＧであるヌクレオチド；９２１３位がＡであるヌクレオチド；９３２６位がＴであるヌクレオチド；９３６７位がＴであるヌクレオチド；１００６４位がＡであるヌクレオチド；１０１４３位がＧであるヌクレオチド；１０２３４位がＣであるヌクレオチド；１０２５５位がＴであるヌクレオチド、またはそれらの組み合わせを含む配列を有するヌクレオチド配列が含まれる。本発明において有用なプライマーには、配列番号：３〜１８および配列番号：１９〜５１、および６１〜１１２に記載のプライマーが含まれる。そのようなプライマーは隣接して、変異型ＰＫＤ１ポリヌクレオチドの１つまたは複数の変異したヌクレオチドを含む配列を増幅するために用いることができる。
【０１０７】
ＲＮＡまたはＤＮＡのいずれかであるＰＫＤ１ポリヌクレオチド配列は、ＰＫＤ１発現の異常を検出するために、生体試料のハイブリダイゼーションまたは増幅アッセイ法、例えばそのいずれもがハイスループット分析に容易に適合できる変性高速液体クロマトグラフィー（ＤＨＰＬＣ；温度調節ヘテロ二本鎖クロマトグラフィーとも呼ばれる）、または構造感受性ゲル電気泳動（ＣＳＧＥ）のような方法による異常の検出を含む、サザンもしくはノーザンブロット分析、インサイチューハイブリダイゼーションアッセイ法を含む一本鎖構造多形（ＳＳＣＰ）分析、またはポリメラーゼ連鎖反応分析において用いることができる（例えば、参照として本明細書に組み入れられる、クリステンセン（Ｋｒｉｓｔｅｎｓｅｎ）ら、ＢｉｏＴｅｃｈｎｉｑｕｅｓ ３０：３１８〜３３２、２００１；ロイング（Ｌｅｕｎｇ）ら、ＢｉｏＴｅｃｈｎｉｑｕｅｓ ３０：３３４〜３４０、２００１を参照のこと）。そのような分析によって、ＰＫＤ１ポリヌクレオチドの発現パターンにおける定量的な異常を明らかにすることができ、ＰＫＤ１変異が例えば広範囲の欠失、または染色体転位の結果である場合、ＰＫＤ１異常のより定量的な局面を明らかにすることができる。
【０１０８】
変異型ＰＫＤ１ポリヌクレオチドを検出する診断方法は、例えば、分析すべき組織試料に由来する核酸と、本発明の１つもしくは複数の標識したオリゴヌクレオチドプローブ、または本発明のプライマーもしくはプライマー対とを、標的分子内でその相補的配列とこれらの試薬との特異的アニーリングにとって都合のよい条件下で、接触させてインキュベートする段階を含みうる。インキュベーション後、存在する場合には、アニーリングしていないオリゴヌクレオチドを除去して、プローブまたはプライマーと標的組織からの核酸とのハイブリダイゼーションを検出する。そのような検出法を用いて、標的組織核酸を、例えば膜のような固相支持体、またはマイクロタイタープレートもしくはポリスチレンビーズのようなプラスチック表面に固定することができる。この場合、インキュベーション後、アニーリングしていない標識核酸試薬は容易に除去される。残っているアニーリングした標識核酸試薬の検出は当技術分野で周知の標準的な技術を用いて行う。
【０１０９】
本発明のオリゴヌクレオチドプローブまたはプライマーはまた、アレイ上に並べたチップのような固相マトリックスに会合させることができ、このようにしてハイスループットな手段が提供される。多数のオリゴヌクレオチドプローブの微小アレイ（ＤＮＡチップ）は、様々な応用にとって有用である。したがって、ＰＫＤ１変種または変異体を診断または検出する方法は、ＰＫＤ１ポリヌクレオチドおよびそこに含まれる変異の検出を分析するためにＤＮＡチップを用いて行うことができる。ＤＮＡチップ上での大規模分析の方法論はハシアら（Ｈａｃｉａ、Ｎａｔｕｒｅ Ｇｅｎｅｔ． １４：４４１〜４４７、１９９６；米国特許第６，０２７，８８０号、参照として本明細書に組み入れられる；同様にクリステンセン（Ｋｒｉｓｔｅｎｓｅｎ）ら、上記、２００１を参照のこと）によって記載されている。ハシア（Ｈａｃｉａ）らが記述したように、長さがそれぞれ約２０ヌクレオチドであるヌクレオチド９６，０００個以上のオリゴヌクレオチドの高密度アレイを、光方向化学合成を用いて単一のガラスまたはシリコンチップに固定する。オリゴヌクレオチドプローブの数および設計により、配列中のおそらくあらゆる塩基を変化に関して調べることができる。
【０１１０】
チップに適用されたポリヌクレオチドまたはオリゴヌクレオチドは、配列変化を含むことができ、これはその集団に起こることがまだ知られていない変異を同定するために用いることができるか、または本明細書に開示された変異を含む、起こることが既知の変異のみとなりうる（実施例２参照）。チップに適用できるオリゴヌクレオチドの例には、少なくとも１０個の隣接するオリゴヌクレオチドを含み、配列番号：１の一部と実質的に同一である配列を有し；且つ４７４位がＴであるヌクレオチド；４８７位がＡであるヌクレオチド；３１１０位がＣであるヌクレオチド；３３３６位のヌクレオチドが欠失している３３３６位のヌクレオチドに対応する位置；３７０７位がＡであるヌクレオチド；４１６８位がＴであるヌクレオチド；４８８５位がＡであるヌクレオチド；５１６８位がＴであるヌクレオチド；６０５８位がＴであるヌクレオチド；６０７８位がＡであるヌクレオチド；６０８９位がＴであるヌクレオチド；６１９５位がＡであるヌクレオチド；６３２６位がＴであるヌクレオチド；７２０５位〜７２１１位のヌクレオチドが欠失している７２０５位〜７２１１位のヌクレオチドに対応する位置；７３７６位がＣであるヌクレオチド；７５３５位と７５３６位のヌクレオチドの間にＧＣＧヌクレオチド配列が挿入されている７５３５位〜７５３６位のヌクレオチドに対応するヌクレオチド配列；７４１５位がＴであるヌクレオチド；７４３３位がＴであるヌクレオチド；７６９６位がＴであるヌクレオチド；７８８３位がＴであるヌクレオチド；８０２１位がＡであるヌクレオチド；８１５９位〜８１６０位のヌクレオチドが欠失している８１５９位〜８１６０位のヌクレオチドに対応するヌクレオチド配列；８２９８位がＧであるヌクレオチド；９１６４位がＧであるヌクレオチド；９２１３位がＡであるヌクレオチド；９３２６位がＴであるヌクレオチド；９３６７位がＴであるヌクレオチド；１００６４位がＡであるヌクレオチド；１０１４３位がＧであるヌクレオチド；１０２３４位がＣであるヌクレオチド；１０２５５位がＴであるヌクレオチド；またはそれらの組み合わせを含むオリゴヌクレオチドが含まれる。
【０１１１】
オリゴヌクレオチドプローブをチップ上にハイブリダイズする前に、試験試料を単離、増幅、および標識する（例えば蛍光マーカー）。次に、試験ポリヌクレオチド試料を固定したオリゴヌクレオチドにハイブリダイズする。固定したプローブに対する配列に基づく技術の強度を定量して参照配列と比較する。得られた遺伝子情報を分子診断に用いることができる。分子診断におけるＤＮＡチップの一般的な用途は既知の変異に関するスクリーニングである。
【０１１２】
ＤＮＡチップ方法論の他に、ＤＮＡ分析に適合させた機器を用いる方法によって、ＰＫＤ１変異を検出する開示の方法、およびＡＤＰＫＤを診断する開示の方法を商業化することができる。例えば、質量分析による遺伝子タイピングを用いることができ、またはマトリックス支援レーザー脱離飛行時間型（ｍａｔｒｉｘ−ａｓｓｉｓｔｅｄ ｌａｓｅｒ ｄｅｓｏｒｐｔｉｏｎ ｔｉｍｅ ｏｆ ｆｌｉｇｈｔ：ＭＡＬＤＩ−ＴＯＦ）質量分析を、一塩基対および短いタンデムリピート変異および変種配列の大量を遺伝子タイピングするために用いることができる。例えば、プライマーの一つに結合したビオチンによる変異の領域のＰＣＲ増幅を行って、その後増幅したＤＮＡをストレプトアビジンビーズに固定することができる。変種または変異体部位に隣接するプライマーのハイブリダイゼーションを行って、その後ｄＮＴＰｓおよびｄｄＮＴＰｓの存在下で変種または変異体部位を超えるＤＮＡポリメラーゼによる伸長を行う。配列に従って適切に設計すると、これによってごく少数のさらなる塩基の付加が起こる（ブラウン、リトル、コスター（Ｂｒａｕｎ、Ｌｉｔｔｌｅ、Ｋｏｓｔｅｒ）、１９９７）。次に、ＤＮＡを処理して未使用のヌクレオチドおよび塩を除去し、短いプライマーと変異体部位を変性によって除去して、圧電ピペットを用いてシリコンウェハに移す。プライマーと変種または変異体部位の質量を、遅延抽出ＭＡＬＤＩ−ＴＯＦ質量分析によって決定する。配列における一塩基対およびタンデムリピート変種は、その質量によって容易に決定される。この最終段階は非常に迅速で、アッセイあたり５秒を必要とするに過ぎず、これらの段階は全て自動で行うことができ、１日あたり２０，０００個の遺伝子タイピングを行う能力を有する。この技術は迅速で、極めて正確であり、如何なる変種または変異にも応用でき、一塩基対および短いタンデムリピート変種の双方を同定することができ、調べるべき変種または変異配列の付加または除去は、些細な費用で数秒のうちに行うことができる。
【０１１３】
変異型ＰＫＤ１ポリヌクレオチドの検出に関するもう一つの診断方法は、例えば、ＰＣＲ（米国特許第４，６８３，２０２号を参照のこと）、リガーゼ連鎖反応（バラニー（Ｂａｒａｎｙ）、Ｐｒｏｃ． Ｎａｔｌ． Ａｃａｄ． Ｓｃｉ． ＵＳＡ ８８：１８９〜１９３、１９９１ａ）、自律的配列複製（グアテリ（Ｇｕａｔｅｌｌｉ）ら、Ｐｒｏｃ． Ｎａｔｌ． Ａｃａｄ． Ｓｃｉ． ＵＳＡ ８７：１８７４〜１８７８、１９９０）、転写増幅系（コウ（Ｋｗｏｈ）ら、Ｐｒｏｃ． Ｎａｔｌ． Ａｃａｄ． Ｓｃｉ． ＵＳＡ ８６：１１７３〜１１７７、１９８９）、Ｑ−ベータレプリカーゼ（リザルディ（Ｌｉｚａｒｄｉ）ら、ＢｉｏＴｅｃｈｎｏｌｏｇｙ ６：１１９７、１９８８）、または任意のその他のＲＮＡ増幅法による増幅の後に、増幅産物を検出することを含む。本発明は、ＡＤＰＫＤを診断するためのこれまでの困難を克服するために用いることができる試薬、方法、および組成物を提供する。
【０１１４】
本明細書に記載のプライマー対と方法を用いて、エクソン１および２２を含むＰＫＤ１遺伝子の完全な複製されたセグメントをゲノムＤＮＡから増幅し、連続した８個の長さ（約０．３ ｋｂ〜５．８ ｋｂの大きさ）の増幅産物を生じさせることができる（表１；同様に図１も参照のこと）。広範囲に分散したＰＫＤ１特異的プライマーを利用することにより、ＰＫＤ１特異的増幅を結合させる手段が提供され、様々なプライマーの組み合わせを用いる能力により、望ましい場合には、より長いまたはより短い増幅産物を生じる手段が提供される。例えば、プライマーＢＰＦ１３およびＫＧ８Ｒ２５によって増幅される最も長いＰＫＤ１断片（表１；配列番号：１７および１８をそれぞれ参照のこと）は、ＰＫＤ１特異的プライマー、ＫＧ８５Ｒ２５（配列番号：１８）と共にフォワードネステッドプライマーＦ３２
2004504038.tif 000004
を用いて、ならびにＢＰＦ１３（配列番号：１７）および第２の特異的プライマー３１Ｒ
2004504038.tif 000005
を用いて２つのより短いセグメントに分けることができる。
【０１１５】
本明細書に開示のプライマーの多くは、ＰＫＤ１遺伝子のイントロン配列と共に存在するが、配列番号：１６のような他の配列はコード配列に存在することを認識しなければならない。そのためｃＤＮＡ分子は、例えば、配列番号：１６のようなプライマーと、配列番号：１６に対して５’または３’に位置する適当な第２のプライマーとを用いて、ＲＮＡ分子の逆転写によって標的ＲＮＡ分子から得ることができる。この態様において、ＰＫＤ１ ＲＮＡは、例えば腎組織、徐核末梢血球細胞、および線維芽細胞を含む、野生型ＰＫＤ１が発現されることが知られている任意の組織から単離することができる。次に、ｃＤＮＡ内の標的配列を、ＰＣＲ増幅反応等のような核酸増幅反応の鋳型として用いる。増幅産物は、例えば、放射性または蛍光標識ヌクレオチド等を用いて、および適当な検出系を用いて、またはエチジウムブロマイド染色およびゲル電気泳動によって可視化することができるように増幅産物の有意な量を産生することによって、検出することができる。
【０１１６】
細胞または組織試料からを含む被験者からのゲノムＤＮＡを、長い範囲のＰＫＤ１特異的増幅産物を作製するための鋳型として用いることができる。ゲノムＤＮＡを単離する方法は、周知であり、日常的に行われる（サムブルック（Ｓａｍｂｒｏｏｋ）ら、上記、１９８９を参照のこと）。ゲノムＰＫＤ１ ＤＮＡの増幅は例えば、ＰＫＤ１遺伝子のエクソンおよびイントロンの分析を可能にすることを含む、ｃＤＮＡ増幅法に対して利点を有する。そのため、イントロンまたはエクソン配列のいずれかに関連する対象となる標的配列を増幅して特徴付けすることができる。対象となる標的配列は、ＰＫＤ１関連障害または疾患に相関するそれらの変異を含む、変異を含む、または変異を含むと考えられるＰＫＤ１遺伝子の任意の配列または遺伝子座である。
【０１１７】
標的配列に隣接するプライマーを用いて、十分な回数のＰＣＲサイクルを行って、標的配列に対応するＰＫＤ１特異的増幅産物を提供する。望ましい場合には、例えばネステッドＰＣＲ反応を行うことによって、さらなる増幅を行うことができる。ゲノムＤＮＡからＰＫＤ１特異的な第１の増幅産物を作製するために有用なプライマーの例には、配列番号：３および４、配列番号：５および６、配列番号：７および８、配列番号：９および１０、配列番号：１１および１２、配列番号：１３および１４、配列番号：１５および１６、ならびに配列番号：１７および１８に例示した配列を有するプライマー対が含まれる。ＰＫＤ１特異的な第１の増幅産物はさらに、配列番号：１９および２０、配列番号：２１および２２、配列番号：２３および２４、配列番号：２５および２６、配列番号：２７および２８、配列番号：２９および３０、配列番号：３１および３２、配列番号：３３および３４、配列番号：３５および３６、配列番号：３７および３８、配列番号：３９および４０、配列番号：４１および４２、配列番号：４３および４４、配列番号：４５および４６、配列番号：４７および４８、配列番号：４９および５０、配列番号：５１および６１に示すプライマー対、ならびに表２において配列番号：６２〜９６、１１３、および９７〜１１２として示す連続したプライマーを用いて形成されたプライマー対を含む、標的配列に対して特異的なネステッドプライマーを用いてさらに増幅することができる。
【０１１８】
増幅された標的配列は、本明細書に開示の、またはそうでなければ当技術分野で既知の様々な周知の方法の任意のものを用いて配列番号：１に関する変化（すなわち変異）を調べることができる。例えば、増幅産物は、特に単一または少数の増幅産物を調べる場合には、日常的なＤＮＡ配列決定法を用いて単純に配列決定することができる。しかし、ＤＮＡ配列決定は、配列決定技術が改善してハイスループットスクリーニングアッセイ法により適合性となるにつれて、本発明の方法に従って変異を検出する方法としてより貴重となると思われる。さらに、ＤＮＡ配列において変異の有無を検出するために有用な方法には、例えばＤＨＰＬＣ（ヒュバー（Ｈｕｂｅｒ）ら、Ｎｕｃｌ． Ａｃｉｄｓ Ｒｅｓ．２１：１０６１〜１０６６６、１９９３；リウ（Ｌｉｕ）ら、Ｎｕｃｌ． Ａｃｉｄｓ． Ｒｅｓ． ２６：１３９６〜１４００、１９９８；チョイ（Ｃｈｏｙ）ら、Ａｎｎ． Ｈｕｍ． Ｇｅｎｅｔ． ６３：３８３〜３９１、１９９９；エリス（Ｅｌｌｉｓ）ら、Ｈｕｍ． Ｍｕｔａｔ． １５：５５６〜５６４、２０００、参照として本明細書に組み入れられる；同様に、クリステンセン（Ｋｒｉｓｔｅｎｓｅｎ）ら、上記、２００１も参照のこと）；一本鎖構造分析（ＳＳＣＡ；オリタ（Ｏｒｉｔａ）ら、Ｐｒｏｃ． Ｎａｔｌ． Ａｃａｄ． Ｓｃｉ． ＵＳＡ ８６：２７６６〜２７７０、１９８９）；変性勾配ゲル電気泳動（ＤＧＧＳ；シェフィールド（Ｓｈｅｆｆｉｅｌｄ）ら、Ｐｒｏｃ． Ｎａｔｌ． Ａｃａｄ． Ｓｃｉ． ＵＳＡ ８６：２３２〜２３６、１９８９）；ＲＮアーゼ保護アッセイ法；対立遺伝子特異的オリゴヌクレオチド（ＡＳＯ；ハンデリン＆シュバー（Ｈａｎｄｅｌｉｎ ａｎｄ Ｓｈｕｂｅｒ）、「ヒト遺伝子学の現行プロトコール（Ｃｕｒｒｅｎｔ Ｐｒｏｔｏｃｏｌｓ ｉｎ Ｈｕｍａｎ Ｇｅｎｅｔｉｃｓ）」、補則１６（ジョンウィリー＆サンズインク、１９９８）、９：９．４．１〜９．４．８章）；大腸菌ｍｕｔＳタンパク質のようなヌクレオチド誤対合を認識するタンパク質の使用；および対立遺伝子特異的ＰＣＲが含まれる。
【０１１９】
対立遺伝子特異的ＰＣＲに関して、特定の変異とその３’でハイブリダイズするプライマーを用いる。対立遺伝子特異的ＰＣＲのために用いることができるプライマーの例には、配列番号：１において少なくとも１０個のヌクレオチドのオリゴヌクレオチドが含まれ、その３’末端に、４７４位がＴであるヌクレオチド；４８７位がＡであるヌクレオチド；３１１０位がＣであるヌクレオチド；８２９８位がＧであるヌクレオチド；９１６４位がＧであるヌクレオチド；９２１３位がＡであるヌクレオチド；９３２６位がＴであるヌクレオチド；９３６７位がＴであるヌクレオチド；１００６４位がＡであるヌクレオチド；１０１４３位がＧであるヌクレオチド；１０２３４位がＣであるヌクレオチド；１０２５５位がＴであるヌクレオチドを有する。特定の変異が存在しない場合、増幅産物は認められない。増幅不応性変異系（ＡＲＭＳ）もまた用いることができる（欧州特許出願番号第０３３２４３５号；ニュートン（Ｎｅｗｔｏｎ）ら、Ｎｕｃｌ． Ａｃｉｄｓ． Ｒｅｓ． １７：２５０３〜２５１６、１９８９を参照のこと）
【０１２０】
ＳＳＣＡ、ＤＧＧＥおよびＲＮアーゼ保護方法において、明確な電気泳動バンドが現れる。ＳＳＣＡでは、配列の変化により一本鎖の分子内塩基対形成の差が引き起こされるために、異なる様式で移動するバンドが検出される。ＲＮアーゼ保護は、変異体ポリヌクレオチドを２つまたはそれ以上のより小さい断片に切断することを含む。ＤＧＧＥは、変性勾配ゲルを用いて、野生型配列と比較して変異配列の移動速度の差を検出する。対立遺伝子特異的オリゴヌクレオチドアッセイ法において、特異的配列を検出するオリゴヌクレオチドを設計し、アッセイ法は、ハイブリダイゼーションシグナルの有無を検出することによって行う。ｍｕｔＳアッセイ法において、タンパク質は、変異体と野生型配列のあいだにヘテロ二本鎖におけるヌクレオチド誤対合を含むタンパク質に限って結合する。
【０１２１】
変性勾配ゲル電気泳動は、フィッシャー＆レーマン（Ｆｉｓｃｈｅｒ ａｎｄ Ｌｅｒｍａｎ、Ｐｒｏｃ． Ｎａｔｌ． Ａｃａｄ． Ｓｃｉ． ＵＳＡ ８０：１５７９〜８３、１９８３）；マイヤースら（Ｍｙｅｒｓ、Ｎｕｃｌ． Ａｃｉｄｓ． Ｒｅｓ． １３：３１１１〜３１２９、１９８５）；レーマンら（Ｌｅｒｍａｎ、「ホモ・サピエンスの分子生物学（Ｍｏｌｅｃｕｌａｒ Ｂｉｏｌ． ｏｆ Ｈｏｍｏ Ｓａｐｉｅｎｓ）」、コールドスプリングハーバー研究所（１９８６）、２８５〜２９７頁）によって示されるように、ＤＮＡ断片の融解挙動と変性勾配ゲル電気泳動とを用いることに基づいている。一塩基置換のために異なるＤＮＡ断片は、ＤＮＡ変性剤である尿素とホルムアミドの増加勾配を含むポリアクリルアミドゲルにおける電気泳動によって互いに分離することができる。一塩基対のみが異なる二つの同一のＤＮＡ断片は、一定速度でポリアクリルアミドゲルの中をまず移動すると思われる。それらが変性剤の臨界的な濃度の中を移動する際に、断片内の特定のドメインが融解して、部分的に変性したＤＮＡを産生する。ドメインの融解は、移動度の突然の減少を伴う。移動度の減少が認められる変性勾配ゲルにおける位置は、そのドメインの融解温度に対応する。融解ドメイン内の一塩基置換によって融解温度の差が起こるために、２つのＤＮＡ断片の部分的変性は、ゲル内の異なる位置で起こるであろう。したがって、ＤＮＡ分子は、融解温度における非常に小さい差に基づいて分離することができる。このＤＧＧＥに対するさらなる改善は、米国特許第５，１９０，８５６号においてボレセン（Ｂｏｒｒｅｓｅｎ）によって開示されるように行われている。さらに、最初のＤＧＧＥ分析の後に、同定された産物をクローニング、精製して、ＤＧＧＥによって二回目の分析を行う。
【０１２２】
変性高速液体クロマトグラフィー（ＤＨＰＬＣ；クリステンセン（Ｋｒｉｓｔｅｎｓｅｎ）ら、上記、２００１）およびハイスループット構造感受性ゲル電気泳動（ＨＴＣＳＧＤ；ロイング（Ｌｅｕｎｇ）ら、上記、２００１）は、方法がハイスループット分析に容易に適合されることから、変異型ＰＫＤ１ポリヌクレオチド配列を検出する特に有用な方法である。さらに、これらの方法は、これまで知られていない変異を同定すると共に既知の変異を検出するために適している。そのため、これらの検出方法は、臨床診断の状況において用いるために採用することができる。例えば、ＤＨＰＬＣは、変性特性に変化を示すものを同定するために、大量の試料、例えば９６ウェルマイクロタイタープレート形式を用いて調製した９６個の試料を迅速にスクリーニングすることができる。そのような変化が同定されれば、変化した変性特性を示す試料中のＰＫＤ１ポリヌクレオチドが変異型ＰＫＤ１ポリヌクレオチドであるという確認は、望ましい場合にはＤＮＡ配列分析によって行うことができる。
【０１２３】
変異型ＰＫＤ１ポリヌクレオチドに対して特異的なオリゴヌクレオチドプローブはまた、被験者から得た体液、細胞もしくは組織、またはオルガネラ調製物のような細胞分画を含む生体試料中の変異型ＰＫＤ１ポリヌクレオチドを検出するために用いることができる。変異型ＰＫＤ１ポリヌクレオチドを同定するために試料として有用な細胞起源には、例えば、腎尿細管上皮細胞を含む腎細胞、胆管細胞、骨格筋細胞、肺胞上皮細胞、胎盤細胞、線維芽細胞およびリンパ球が含まれる。変異型ＰＫＤ１ポリヌクレオチドを同定するための試料として有用な体液には、例えば、全血、または血清もしくは血漿分画、尿、粘液、および唾液が含まれる。組織または細胞試料のような生体試料は、例えば、細胞吸引、生検、またはその他の外科的技法を含む、臨床の状況において日常的に用いられる任意の方法によって得ることができる。
【０１２４】
オリゴヌクレオチドプローブは、試料中の変異型ＰＫＤ１ポリヌクレオチドに対する結合を検出することができる化合物によって標識することができる。検出可能な化合物は、例えば非常に感度のよい検出手段を提供する放射性標識、または蛍光、発光、化学発光、もしくは酵素的に検出可能な標識等のような非放射性標識となりうる（例えば、マシューズ（Ｍａｔｔｈｅｗｓ）ら、Ａｎａｌ． Ｂｉｏｃｈｅｍ． １６９：１〜２５、１９９８を参照のこと）。
【０１２５】
検出方法は直接または間接法となりうる。間接的な検出方法は、例えば、ジゴキシゲニンまたはビオチンのようなハプテンまたはリガンドによって標識されるオリゴヌクレオチドプローブを用いることを含みうる。ハイブリダイゼーション後、標的プローブ二本鎖を、抗体またはストレプトアビジン複合体の形成によって検出し、これは西洋ワサビペルオキシダーゼ、アルカリホスファターゼ等のような酵素をさらに含みうる。そのような検出系は、日常的な方法を用いて調製することができ、または市販の起源から得ることができる。例えば、ＧＥＮＩＵＳ検出系（ベーリンガーマンハイム社）は、ＤＮＡの変異分析にとって有用であり、オリゴヌクレオチドプローブのタグとしてジゴキシゲニンを、そしてタグをつけたプローブの存在を同定するための試薬として抗ジゴキシゲニン抗体アルカリホスファターゼ結合体を用いる間接法を提供する。
【０１２６】
直接検出法は、例えば蛍光標識オリゴヌクレオチド、ランタニドキレート標識オリゴヌクレオチド、またはオリゴヌクレオチド酵素結合体を利用することができる。蛍光標識の例には、フルオレセイン、ローダミン、およびフタロシアニン色素が含まれる。ランタニドキレートの例には、ユーロピウム（Ｅｕ３＋）またはテルビウム（Ｔｂ３＋）の複合体が含まれる。オリゴヌクレオチド酵素結合体は、標的特異的オリゴヌクレオチドを用いる場合、それらは非常に感度のよい検出を提供することから点突然変異を検出するために特に有用である。オリゴヌクレオチド酵素結合体は、多くの方法によって調製することができる（ジャブロンスキ（Ｊａｂｌｏｎｓｋｉ）ら、Ｎｕｃｌ． Ａｃｉｄｓ． Ｒｅｓ． １４：６１１５〜６１２８、１９８６；リ（Ｌｉ）ら、Ｎｕｃｌ． Ａｃｉｄｓ． Ｒｅｓ． １５：５２７５〜５２８７、１９８７；ゴシュ（Ｇｈｏｓｈ）ら、Ｂｉｏｃｏｎｊｕｇａｔｅ Ｃｈｅｍ． １：７１〜７６、１９９０）。これらの結合体を用いた標的核酸の検出は、フィルターハイブリダイゼーション法、またはビーズに基づくサンドイッチハイブリダイゼーションによって行うことができる（イシイ（Ｉｓｈｉｉ）ら、Ｂｉｏｃｏｎｊｕｇａｔｅ Ｃｈｅｍ． ４：３４〜４１、１９９３）。
【０１２７】
標識したオリゴヌクレオチドプローブを検出する方法は当技術分野で周知であり、特定の標識に依存するであろう。放射性同位元素の場合、検出はオートラジオグラフィー、シンチレーション計数、または燐による造影によって行う。ハプテンまたはビオチン標識の場合、検出は、西洋ワサビペルオキシダーゼ、またはアルカリホスファターゼのようなレポーター酵素に結合した抗体またはストレプトアビジンによって行い、これを次に酵素的手段によって検出する。蛍光体またはランタニドキレート標識の場合、蛍光シグナルは、時間分解モードによって、もしくは時間分解モードによらず、または自動マイクロタイタープレートリーダーを用いて、分光蛍光計によって測定することができる。酵素標識の場合、検出は色または色素沈着によって、例えば、アルカリホスファターゼの場合にはｐ−ニトロフェノールホスフェートまたは５−ブロモ−４−クロロ−３−インドリルホスフェート／ニトロブルーテトラゾリウム、ならびに西洋ワサビペルオキシダーゼの場合には３，３’−ジアミノベンジジンＮｉＣｌ２、アルカリホスファターゼの場合には、４−メチルウンベリルフェリルホスフェートによる蛍光、またはアルカリホスファターゼジオキセタン基質ＬｕｍｉＰｈｏｓ ５３０（ルミゲンインク、デトロイト、ミシガン州）、またはＡＭＰＰＤおよびＣＳＰＤ（トロピクスインク）による化学発光によって行う。化学発光検出は、Ｘ線もしくはポラロイドフィルムによって行うことができ、またはアルカリホスファターゼ標識プローブに関する有用な検出様式である単光子計数ルミノメーターを用いることによって、行うことができる。
【０１２８】
変異分析はまた、標的ＤＮＡまたはＲＮＡ分子上で互いに直ちに隣接してアニーリングするオリゴヌクレオチド配列のライゲーションに基づく方法によって行うことができる（ウ＆ワラック（Ｗｕ ａｎｄ Ｗａｌｌａｃ）、Ｇｅｎｏｍｉｃｓ ４：５６０〜５６９、１９８９；ランドレン（Ｌａｎｄｒｅｎ）ら、Ｓｃｉｅｎｃｅ ２４１：１０７７〜１０８０、１９８８；ニッカーソン（Ｎｉｃｋｅｒｓｏｎ）ら、Ｐｒｏｃ． Ｎａｔｌ． Ａｃａｄ． Ｓｃｉ． ＵＳＡ ８７：８９２３〜８９２７、１９９０；バラニー（Ｂａｒａｎｙ）、上記、１９９１ａ）。リガーゼを介した共有結合は、オリゴヌクレオチドが正確に塩基対を形成した場合に限って起こる。標的増幅のために熱安定なＴａｑリガーゼを含むリガーゼ連鎖反応（ＬＣＲ）およびオリゴヌクレオチドライゲーションアッセイ法（ＯＬＡ）は、応答信号を有する変異遺伝子座にとって特に有用である。反応温度が上昇することから、ライゲーション反応を高ストリンジェンシーで行うことができる（バラニー（Ｂａｒａｎｙ）、ＰＣＲ Ｍｅｔｈｏｄｓ ａｎｄ Ａｐｐｌｉｃａｔｉｏｎｓ １：５〜１６、１９９１ｂ；グロスマン（Ｇｒｏｓｓｍａｎ）ら、Ｎｕｃｌ． Ａｃｉｄｓ． Ｒｅｓ． ２２：４５２７〜４５３４、１９９４、参照として本明細書に組み入れられる）。
【０１２９】
ＤＮＡにおける点突然変異の分析はまた、ＰＣＲおよびその変法を用いることによって行うことができる。誤対合は、完全に対合したプライマーの結合が好ましい場合には、ハイブリダイゼーション条件下で、競合的オリゴヌクレオチドプライミングによって検出することができる（ギブス（Ｇｉｂｂｓ）ら、Ｎｕｃｌ． Ａｃｉｄｓ． Ｒｅｓ． １７：２３４７〜２４４８、１９８９）。増幅不応性の変異系技術（ＡＲＭＳ）において、プライマーは内部または３’残基のいずれかで標的配列と完全な対合、または誤対合を有するように設計することができる（ニュートン（Ｎｅｗｔｏｎ）ら、上記、１９８９）。適当な条件では、完全にアニーリングしたオリゴヌクレオチドのみがＰＣＲ反応のプライマーとして機能することができ、このようにして、正常な配列と変異配列とを区別する方法が提供される。
【０１３０】
標的核酸における一塩基変異の検出は、配列特異的オリゴヌクレオチドを用いて異なるハイブリダイゼーション技術によって都合よく行うことができる（サグス（Ｓｕｇｇｓ）ら、Ｐｒｏｃ． Ｎａｔｌ． Ａｃａｄ． Ｓｃｉ． ＵＳＡ ７８：６６１３〜６６１７、１９８１；コナー（Ｃｏｎｎｅｒ）ら、Ｐｒｏｃ． Ｎａｔｌ． Ａｃａｄ． Ｓｃｉ． ＵＳＡ ８０：２７８〜２８２、１９８３；サイキ（Ｓａｉｋｉ）ら、Ｐｒｏｃ． Ｎａｔｌ． Ａｃａｄ． Ｓｃｉ． ＵＳＡ ８６：６２３０〜６２３４、１９８９）。変異は、誤対合プローブと比較して完全に対合したプローブのより高い熱安定性に基づいて診断することができる。ハイブリダイゼーション反応は、標的核酸がニトロセルロース膜またはナイロン膜に固定され、オリゴヌクレオチドプローブによってプロービングされるフィルターに基づく様式で行うことができる。サザンブロット、スロットブロット、逆ドットブロット、溶液ハイブリダイゼーション、固相支持体に基づくサンドイッチハイブリダイゼーション、ビーズに基づく、シリコンチップに基づく、およびマイクロタイターウェルに基づくハイブリダイゼーション様式を含む、任意の既知のハイブリダイゼーション様式を用いることができる。
【０１３１】
もう一つの方法は、サンドイッチハイブリダイゼーション法による変異配列の検出である。この方法において、固相支持体に固定された一般的な捕獲オリゴヌクレオチドを用いて、変異体および野生型標的核酸を非相同ＤＮＡ／ＲＮＡから分離して、レポーター標識によってタグをつけた特異的オリゴヌクレオチドプローブによって検出する。捕獲オリゴヌクレオチドはマイクロタイターウェルまたはビーズに固定することができる（ジンジェラス（Ｇｉｎｇｅｒａｓ）ら、Ｊ． Ｉｎｆｅｃｔ． Ｄｉｓ． １６４：１０６６〜１０７４、１９９１；リッチェン（Ｒｉｃｈｅｎ）ら、Ｐｒｏｃ． Ｎａｔｌ． Ａｃａｄ． Ｓｃｉ． ＵＳＡ ８８：１１２４１〜１１２４５、１９９１）。
【０１３２】
ＰＫＤ１ポリヌクレオチド配列における特異的変異に関して生体試料の分析のためのもう一つの方法（例えば、変異型ＰＫＤ１ポリヌクレオチド、またはそのオリゴヌクレオチド部分）は、複合プライマー伸長法である。この方法において、プライマーが疑われる変異の３’でハイブリダイズするように、プライマーは、変異を含むことが疑われる核酸とハイブリダイズする。プライマーは、１〜３個のデオキシヌクレオシド三燐酸の混合物の存在下で伸長し、デオキシヌクレオシド三燐酸を停止させる三つの鎖の一つは、野生型の伸長産物、変異ＤＮＡ由来伸長産物、およびそれぞれのプライマーが異なる長さとなるように選択される。これらの段階は、ＰＣＲ、またはＲＴ−ＰＣＲのように繰り返すことができ、次に、得られたプライマー伸長産物およびプライマーを分子量に基づいて分離し、それによって変異ＤＮＡ由来伸長産物を同定することができる。
【０１３３】
本発明の一つの局面において、ＯＬＡは、ＰＫＤ１ポリヌクレオチド配列の定量的変異分析に応用される（グロスマン（Ｇｒｏｓｓｍａｎ）ら、上記、１９９４）。本発明のこの態様において、熱安定リガーゼ触媒反応を用いて、蛍光標識した一般的なプローブを対立遺伝子特異的プローブに結合させる。後者のプローブは、ライゲーション産物に独自の電気泳動移動度を与える非ヌクレオチド移動度修飾因子によって配列がコードされる。
【０１３４】
野生型または変異型ＰＫＤ１配列に対して特異的なオリゴヌクレオチドは、その５’末端で異なるオリゴマーヌクレオチドまたは非オリゴヌクレオチド修飾因子テールによって合成することができる。ヌクレオチド修飾因子の例は、イノシンまたはチミジン残基であり、非ヌクレオチド修飾因子の例には、ペンタエチレンオキサイド（ＰＥＯ）およびヘキサエチレンオキサイド（ＨＥＯ）単量体単位が含まれる。非ヌクレオチド修飾因子が好ましく、最も好ましくはＰＥＯを用いてプローブを標識する。ＤＮＡ鋳型が存在する場合、熱安定ＤＮＡリガーゼは、蛍光標識を有する一般的なプローブに対する正常および変異プローブのライゲーションを触媒する。ＰＥＯテールは、電気泳動ゲルにおけるライゲーション産物の移動度を修飾する。ＰＥＯテールと蛍光体標識（ＴＥＴおよびＦＡＭ（５−カルボキシ−フルオレセイン誘導体））、ＨＥＸおよびＪＯＥ（６−カルボキシ−フルオレセイン誘導体）、ＲＯＸ（６−カルボキシ−ｘ−ローダミン）、またはＴＡＭＲＡ（Ｎ，Ｎ，Ｎ’，Ｎ’−テトラメチル−６−カルボキシ−ローダミン；パーキンエルマー社、ＡＢＩ部門、フォスターシティ、カリフォルニア州）とを組み合わせると、ライゲーション産物に対する独自の電気泳動特徴を提供することによってサイズおよび色に基づいて多数の分析を行うことができる。産物は、電気泳動によって分離して、野生型および変異産物に関連した蛍光強度を用いて、ヘテロプラズモン性を定量する。このように、野生型配列および変種を含む変異配列を、ライゲーション産物のサイズおよび蛍光強度に基づいて検出して定量する。この方法はさらに、単一のライゲーション反応において多数のＰＫＤ１ポリヌクレオチド変異を定量的に検出するように形成することができる。
【０１３５】
誤対合検出または変異分析はまた、誤対合特異的ＤＮＡインターカレート剤を用いて行うことができる。そのような物質は、誤対合を有する部位でインターカレートした後、ポリアクリルアミドもしくはアガロースゲル上での可視化または電気触媒を行う。したがって、ＰＫＤ１ポリヌクレオチド配列は、ＰＫＤ１変異に対して特異的なプローブ、またはＰＫＤ１ポリヌクレオチドとプローブとがハイブリダイズするような条件下で、特異的変異を有する領域に関して野生型であるプローブに対して特異的なプローブと接触させることができる。次に、ハイブリダイズした配列を誤対合インターカレート剤と接触させ、例えばゲル上で分離する。ゲル上で可視化したバンドは、誤対合を有する配列に対応する。プローブが野生型プローブである場合、誤対合は、標的ＰＫＤ１配列が誤対合を含む場合に起こると考えられる。プローブが変異した配列に特異的である場合、誤対合は標的ＰＫＤ１配列が野生型である場合に存在するが、プローブ配列が同じ変異を含むＰＫＤ１配列とハイブリダイズする場合には、ハイブリダイズしたまたは二本鎖配列は誤対合を含まないと考えられる。
【０１３６】
ＯＬＡを用いたＰＫＤ１変異の定量的分析に関して、オリゴヌクレオチドプローブは好ましくは、分光的に識別可能な特徴を提供する蛍光体標識によって標識する。一つの態様において、オリゴヌクレオチドは、５’オリゴマーＰＥＯテールによって標識する。そのような５’標識オリゴヌクレオチドの合成は、例えば、標準的なホスホロアミダイト化学を用いて自動合成機を用いて行うことができる。樹脂から切断して水酸化アンモニウムによって脱保護した後、（ＰＥＯ）ｎ−オリゴヌクレオチドを、逆相ＨＰＬＣによって精製することができる。３’−ＦＡＭまたはＴＥＴ色素（パーキンエルマー社）を有するオリゴヌクレオチドおよび５’−ホスフェートを合成して、グロスマンら（Ｇｒｏｓｓｍａｎ、上記、１９９４）の技法によって精製することができる。５’−ＰＥＯ標識プローブは、サイズによって電気泳動的に、および蛍光体標識のスペクトル特徴の双方によって、ライゲーションしたプローブ産物の区別を容易にするために異なる長さの５’−ＰＥＯテールを有するように合成することができる。
【０１３７】
オリゴヌクレオチドプローブは、ＡＤＰＫＤのようなＰＫＤ１関連障害を示すことができる変異型ＰＫＤ１ポリヌクレオチドを同定するために用いることができる。好ましくは、プローブは、４７４位がＴであるヌクレオチド；４８７位がＡであるヌクレオチド；３１１０位がＣであるヌクレオチド；８２９８位がＧであるヌクレオチド；９１６４位がＧであるヌクレオチド；９２１３位がＡであるヌクレオチド；９３２６位がＴであるヌクレオチド；９３６７位がＴであるヌクレオチド；１００６４位がＡであるヌクレオチド；１０１４３位がＧであるヌクレオチド；１０２３４位がＣであるヌクレオチド；１０２５５位がＴであるヌクレオチドから選択される、配列番号：１の１つまたは複数のヌクレオチドの位置に対して特異的である。ＯＬＡアッセイ法のためのオリゴヌクレオチドプローブは、ライゲーション反応を約４０℃〜６０℃の温度範囲、典型的に約４５℃〜約５５℃で行うことができるように、隣接ヌクレオチド法により典型的に約４０℃〜５０℃、一般的に約４８℃の計算された融解温度を有するように設計される（ブレスラウア（Ｂｒｅｓｌａｕｒ）ら、Ｐｒｏｃ． Ｎａｔｌ． Ａｃａｄ． Ｓｃｉ． ＵＳＡ ８３：９３７３〜９３７７、１９８６）。野生型および変種を含む変異型オリゴヌクレオチドプローブは、ＰＥＯオリゴマーテールとＴＥＴおよびＦＡＭのようなフルオレセイン色素との様々な組み合わせによって合成することができる。移動度修飾因子と蛍光体標識とをこのように組み合わせると、単一のライゲーション反応において２つまたはそれ以上のＰＫＤ１ヌクレオチド部位のモニタリングを可能にする電気泳動的に独自のライゲーション産物が供給される。
【０１３８】
一つの態様において、被験者におけるＰＫＤ１関連障害を診断する方法は、ＰＫＤ１関連障害を有することが疑われる被験者からの核酸試料において、請求項３に記載のプライマー対である第１のプライマー対とＰＫＤ１ポリヌクレオチドの一部を増幅して、第１の増幅産物を得る段階；第１の増幅産物のネスティド増幅を行うために適している少なくとも１つの第２のプライマー対と第１の増幅産物を増幅して、ネスティド増幅産物を得る段階；およびＰＫＤ１関連障害に関連した変異の存在によってＰＫＤ１関連障害が示され、それによって被験者におけるＰＫＤ１関連障害が診断される、ネスティド増幅産物がＰＫＤ１関連障害に関連する変異を有するか否かを決定する段階によって行われる。方法は、配列番号：３および４、配列番号：５および６、配列番号：７および８、配列番号：９および１０、配列番号：１１および１２、配列番号：１３および１４、配列番号：１５および１６、ならびに配列番号：１７および１８；ならびにそれらの組み合わせから選択される第１のプライマー対と、配列番号：１９および２０、配列番号：２１および２２、配列番号：２３および２４、配列番号：２５および２６、配列番号：２７および２８、配列番号：２９および３０、配列番号：３１および３２、配列番号：３３および３４、配列番号：３５および３６、配列番号：３７および３８、配列番号：３９および４０、配列番号：４１および４２、配列番号：４３および４４、配列番号：４５および４６、配列番号：４７および４８、配列番号：４９および５０、配列番号：５１および６１；配列番号：６２および６３；配列番号：６４および６５；配列番号：６６および６７；配列番号：６８および６９；配列番号：７０および７１；配列番号：７２および７３；配列番号：７４および７５；配列番号：７６および７７；配列番号：７８および７９；配列番号：８０および８１；配列番号：８２および８３；配列番号：８４および８５；配列番号：８６および８７；配列番号：８８および８９；配列番号：９０および９１；配列番号：９２および９３；配列番号：９４および９５；配列番号：９６および１１３；配列番号：９７および９８；配列番号：９９および１００；配列番号：１０１および１０２；配列番号：１０３および１０４；配列番号：１０５および１０６；配列番号：１０７および配列番号：１０８；配列番号：１０９および１１０、または配列番号：１１１および１１２、ならびにそれらの組み合わせから選択される第２のプライマー対とを用いて行うことができる。
【０１３９】
もう一つの態様において、被験者におけるＰＫＤ１関連障害を診断する方法は、ＰＫＤ１関連障害を有することが疑われる被験者からの核酸試料において、第１のプライマー対とＰＫＤ１ポリヌクレオチドの一部を増幅して、第１の増幅産物を得る段階；第２のプライマー対と第１の増幅産物を増幅して、第２の増幅産物を得る段階；および変異が、配列番号：１において、３１１０位のヌクレオチドがＣであり；３３３６位のヌクレオチドが欠失しており；３７０７位のヌクレオチドがＡであり；５１６８位のヌクレオチドがＴであり；６０７８位のヌクレオチドがＡであり；６０８９位のヌクレオチドがＴであり；６３２６位のヌクレオチドがＴであり；７２０５位〜７２１１位のヌクレオチドが欠失しており；７４１５位のヌクレオチドがＴであり；７４３３位のヌクレオチドがＴであり；７８８３位のヌクレオチドがＴであり；または８１５９位〜８１６０位のヌクレオチドが欠失しており；８２９８位のヌクレオチドがＧであり；９１６４位のヌクレオチドがＧであり；９２１３位のヌクレオチドがＡであり；または９３２６位のヌクレオチドがＴであり；１００６４位のヌクレオチドがＡであり；または７５３５位と７５３６位のヌクレオチドの間にＧＣＧヌクレオチドが挿入されており、またはそれらの組み合わせである、第２の増幅産物の変異を検出することによって、被験者におけるＰＫＤ１関連障害を診断する段階によって行われる。
【０１４０】
本発明はまた、ＰＫＤ１関連障害を有する、または有するリスクがある被験者を特定する方法を提供する。そのような方法は、例えば、プライマー対によるＰＫＤ１ポリヌクレオチドの増幅に適した条件下で本発明の少なくとも一つのプライマー対を、被験者からの試料における核酸分子と接触させ、それによってＰＫＤ１特異的増幅産物を生じる段階；および変異が存在しなければ、被験者がＰＫＤ１関連障害を有しない、またはＰＫＤ１関連障害のリスクを有しないと同定され、変異が存在すれば、被験者がＰＫＤ１関連障害を有する、またはＰＫＤ１関連障害のリスクを有すると同定される、ＰＫＤ１関連障害を示す変異の有無に関して増幅産物を調べる段階を含むことによって行うことができる。プライマー対は、例えば、配列番号：３および４、配列番号：５および６、配列番号：７および８、配列番号：９および１０、配列番号：１１および１２、配列番号：１３および１４、配列番号：１５および１６、ならびに配列番号：１７および１８から選択することができる。ＰＫＤ１関連障害は、常染色体優性腎嚢胞疾患、後天性嚢胞疾患、またはその他のＰＫＤ１関連障害となりえて、被験者は例えば、脊椎動物、特にヒト被験者となりうる。
【０１４１】
そのような方法は、ハイスループット様式に特に適合させることができ、望ましい場合にはＰＫＤ１特異的増幅産物を、第２のプライマー対によるＰＫＤ１特異的増幅産物のネスティド増幅に適した条件下で、少なくとも１つの第２のプライマー対に接触させ、それによってネスティド増幅産物を生成する段階、次に、ＰＫＤ１関連障害を示す変異の有無に関してネスティド増幅産物を試験する段階を含みうる。第２のプライマー対は、ＰＫＤ１特異的増幅産物のネスティド増幅に適した任意のプライマー対ともなりえて、例えば、プライマー対は、配列番号：１９および２０、配列番号：２１および２２、配列番号：２３および２４、配列番号：２５および２６、配列番号：２７および２８、配列番号：２９および３０、配列番号：３１および３２、配列番号：３３および３４、配列番号：３５および３６、配列番号：３７および３８、配列番号：３９および４０、配列番号：４１および４２、配列番号：４３および４４、配列番号：４５および４６、配列番号：４７および４８、配列番号：４９および５０、配列番号：５１および６１；配列番号：６２および６３；配列番号：６４および６５；配列番号：６６および６７；配列番号：６８および６９；配列番号：７０および７１；配列番号：７２および７３；配列番号：７４および７５；配列番号：７６および７７；配列番号：７８および７９；配列番号：８０および８１；配列番号：８２および８３；配列番号：８４および８５；配列番号：８６および８７；配列番号：８８および８９；配列番号：９０および９１；配列番号：９２および９３；配列番号：９４および９５；配列番号：９６および１１３；配列番号：９７および９８；配列番号：９９および１００；配列番号：１０１および１０２；配列番号：１０３および１０４；配列番号：１０５および１０６；配列番号：１０７および配列番号：１０８；配列番号：１０９および１１０、または配列番号：１１１および１１２、ならびにそれらの組み合わせから選択される。
【０１４２】
変異の有無に関して増幅産物を調べることは、核酸分子を調べるための様々な周知の方法を用いて行うことができる。例えば、増幅産物のヌクレオチド配列を決定して、これを配列番号：１の対応するヌクレオチド配列のヌクレオチド配列と比較することができる。増幅産物はまた、増幅産物の融解温度を測定する段階、および配列番号：１の対応するヌクレオチド配列の融解温度に対して融解温度を比較する段階によって調べることができる。融解温度は例えば、変性高速液体クロマトグラフィーを用いて決定することができる。
【０１４３】
ネスティド増幅を行う場合、方法は、ＰＫＤ１特異的増幅産物を少なくとも１つの第２のプライマー対セットに接触させる前に、ゲノムＤＮＡによってＰＫＤ１特異的増幅産物の汚染を除去するように向けられる段階を含みうる。例えば、ＰＫＤ１特異的増幅産物の汚染は、ＰＫＤ１特異的増幅産物を希釈することによって減少させることができる。
【０１４４】
ＰＫＤ１関連障害を示す変異は、例えば、３１１０位のヌクレオチドがＣであり；８２９８位のヌクレオチドがＧであり；９１６４位のヌクレオチドがＧであり；９２１３位のヌクレオチドがＡであり；９３２６位のヌクレオチドがＴであり；もしくは１００６４位のヌクレオチドがＡであり；３３３６位のヌクレオチドが欠失している、配列番号：１と実質的に同一であるヌクレオチド配列；３７０７位のヌクレオチドがＡであり；５１６８位のヌクレオチドがＴであり；６０７８位のヌクレオチドがＡであり；６０８９位のヌクレオチドがＴであり；６３２６位のヌクレオチドがＴであり；７２０５位〜７２１１位のヌクレオチドが欠失しており；７４１５位のヌクレオチドがＴであり：７４３３位のヌクレオチドがＴであり；７８８３位のヌクレオチドがＴであり；または８１５９位〜８１６０位のヌクレオチドが欠失しており；または７５３５位と７５３６位のヌクレオチドの間にＧＣＧヌクレオチド配列が挿入されている、配列番号：１と実質的に同一であるヌクレオチド配列となりうる。
【０１４５】
例えばＰＫＤ１特異的増幅産物またはネスティド増幅産物を含む本発明の方法に従って産生された増幅産物となりうる増幅産物におけるＰＫＤ１関連障害を示す変異の有無を検出する段階に従って回収されたデータは、例えば、被験者がＰＫＤ１関連障害のリスクがあるか否かを決定することを容易にする形状にフォーマットすることができる。そのため、データは被験者がＰＫＤ１関連障害のリスクを有するか否かを示す報告書にフォーマットすることができる。報告書は例えば、コンピューターのランダムアクセスまたは読み出し専用メモリに含まれる書式を含む様々な如何なる書式ともなりえて、またはディスケット、ＣＤ、ＤＶＤ、磁気テープに保存してもよく；コンピューターのモニターのようなビジュアルディスプレイまたはブラウン管もしくは液晶ディスプレイに示してもよく；または紙に印刷してもよい。さらに、報告書にフォーマットすることができるデータは、情報に関心を抱くまたは関与するユーザーに伝達することができる。データまたは報告書は、例えば、データまたは報告書の書式に応じて、インターネットによって、ファクシミリまたは郵便によって都合のよい媒体を用いて伝達することができる。
【０１４６】
変異型ＰＫＤ１ポリヌクレオチドを含むことが疑われる試料を、オリゴヌクレオチドを変異型ＰＫＤ１オリゴヌクレオチドと選択的にハイブリダイズさせる条件下で、本発明のオリゴヌクレオチドに接触させる段階；およびオリゴヌクレオチドと変異型ＰＫＤ１ポリヌクレオチドとの選択的ハイブリダイゼーションを検出し、それによって試料中の変異型ＰＫＤ１ポリヌクレオチド配列の有無を検出する段階によって、試料中の変異型ＰＫＤ１ポリヌクレオチドの存在を検出する方法も同様に提供される。もう一つの態様において、例えば、抗体を変異型ＰＫＤ１ポリペプチドに特異的に結合させる条件下で、変異型ＰＫＤ１ポリペプチドを含むことが疑われる試料を本発明の抗体と接触させる段階、および試料中の抗体と変異型ＰＫＤ１ポリペプチドとの特異的結合を検出し、それによって、試料中の変異型ＰＫＤ１ポリペプチドの存在を検出する段階によって、試料中における変異型ＰＫＤ１ポリペプチドの存在を検出する方法が提供される。変異型ＰＫＤ１ポリペプチドは、例えば、実質的に配列番号：２に記載され、Ａ８８Ｖ、Ｗ９６７Ｒ、Ｌ２６９６Ｒ、Ｒ２９８５Ｇ、Ｗ３００１Ｘ 、Ｒ３０３９Ｃ、Ｖ３２８５Ｉ、Ｈ３３１１Ｒの変異、またはそれらの組み合わせを有する配列を有しうる（同様に、表４を参照のこと）。
【０１４７】
野生型もしくは変異型ＰＫＤ１ポリペプチド、またはそのペプチド部分に特異的に結合することができる抗体もまた、ＡＤＰＫＤ診断試薬として用いることができる。そのような試薬は、変異型ＰＫＤ１ポリペプチドまたはＰＫＤ１タンパク質の異常な細胞内位置の検出を含む、異常なＰＫＤ１タンパク質の発現またはＰＫＤ１タンパク質発現の異常なレベルを検出することができる診断方法を提供する。例えば、野生型ＰＫＤ１タンパク質と比較した変異型ＰＫＤ１タンパク質の大きさ、電気的陰性、または抗原性の差を検出することができる。
【０１４８】
変異型ＰＫＤ１ポリペプチドまたはそのペプチド部分を検出するための診断方法は、例えば、変異型ＰＫＤ１ポリペプチドのエピトープが抗ＰＫＤ１特異的抗体（例えば、抗変異型ＰＫＤ１特異的抗体）との相互作用によって検出される免疫アッセイ法を含みうる。例えば、変異型ＰＫＤ１ポリペプチドに特異的に結合する抗体は、野生型ＰＫＤ１ポリペプチドまたはそのペプチドに結合しない。それに対して抗体を作製することができるＰＫＤ１の特定のエピトープには、配列番号：２と実質的に同一であり、８８位がＶであるアミノ酸残基；９６７位がＲである残基；２６９６位がＲである残基；２９８５位がＧである残基；３０３９位がＣである残基；３２８５位がＩである残基；または３３１１位がＲである残基；または３００１位の残基が存在せず、変異型ＰＫＤ１ポリペプチドが、コードされた変異型ＰＫＤ１ポリヌクレオチドに停止コドンが存在することにより切断される場合に、３０００位のアミノ酸残基を含むＣ末端ペプチドを含む、少なくとも５個のアミノ酸を有するペプチドが含まれる。
【０１４９】
上記のような抗体または抗体断片は、本発明において有用であり、例えば、野生型または変異型ＰＫＤ１ポリペプチドまたはそのペプチド部分の存在を定量的または定性的に検出するために用いることができる。これは、例えば、光学顕微鏡、フローサイトメトリー、または蛍光測光検出と組み合わせた蛍光標識抗体（下記参照）を用いて、免疫光度技術によって行うことができる。
【０１５０】
本発明において有用な抗体（またはその断片）は、さらに、ＰＫＤ１ポリペプチド、ペプチド、その変種、またはその変異体をインサイチューで検出するために、免疫蛍光または免疫電子顕微鏡において、組織学的に用いることができる。検出は、被験者から組織学標本を採取して、それを本発明の標識抗体に適用することによって行うことができる。ＡＤＰＫＤを示すことが疑われる組織から組織学試料を採取することができる。抗体（または断片）は、好ましくは、標識抗体（または断片）を生体試料に重層することによって適用する。そのような技法を用いることによって、調べた組織におけるＰＫＤ１ポリペプチドの存在のみならず、その分布も決定することが可能である。そのようなインサイチュー検出を得るために、本発明を用いて、当業者は、任意の多様な組織学的方法（染色技法など）を改変することができることを容易に認識すると思われる。
【０１５１】
野生型または変異体ＰＫＤ１ポリペプチドまたはそのペプチド部分の免疫アッセイ法は典型的に、体液、組織抽出物、新鮮に採取した細胞、または組織培養においてインキュベートした細胞のような生体試料を、ＰＫＤ１ポリペプチド、変異型ＰＫＤ１ポリペプチド、およびそのペプチド部分を同定することができる検出可能に標識した抗体の存在下でインキュベートする段階、ならびに当技術分野で周知の多くの技術によって、結合した抗体を検出する段階を含む。生体試料は、ニトロセルロースのような固相支持体もしくは担体、または細胞、細胞粒子、もしくは可溶性タンパク質を固定することができるその他の固相支持体に接触させて、それらの上に固定することができる。次に、支持体を適した緩衝液によって洗浄した後、検出可能に標識した変異型ＰＫＤ１特異的抗体による処理を行うが、好ましくは作製したを認識する抗体には、配列番号：２と実質的に同一であり、８８位がＶであるアミノ酸残基、９６７位がＲである残基；２６９６位がＲである残基；２９８５位がＧである残基；３０３９位がＣである残基；３２８５位がＩである残基；または３３１１位がＲである残基；または３００１位の残基が存在せず、変異型ＰＫＤ１ポリペプチドが、コードされた変異型ＰＫＤ１ポリヌクレオチドに停止コドンが存在することにより切断されている３０００位のアミノ酸残基を含むＣ末端ペプチドを含む、少なくとも５個のアミノ酸を有するペプチドが含まれる（同様に、表４を参照のこと）。次に、固相支持体を緩衝液によって２回洗浄して未結合の抗体を除去することができ、固相支持体上の結合した標識の量は、標識に関して特異的な従来の手段によって検出することができる。
【０１５２】
「固相支持体」または「担体」は、抗原または抗体に結合することができる任意の支持体でありうる。周知の支持体または担体には、ガラス、ポリスチレン、ポリプロピレン、ポリエチレン、デキストラン、ナイロン、アミラーゼ、天然および改変セルロース、ポリアクリルアミド、およびマグネタイトが含まれる。担体の性質は、本発明の目的に関してある程度可溶性、または不溶性のいずれかとなりうる。支持体材料は、連結した分子が抗原または抗体に結合することができる限り、実質的に如何なる可能性のある構造的立体配置も有しうる。このように、支持体の立体配置は、ビーズのように球状、または試験管の内表面もしくは棒の外表面のような円柱状となりうる。または、表面は、シート、試験片等のように平坦となりうる。当業者は、抗体または抗原に結合するために多くの他の適した担体を認めており、または日常的な実験を用いることによって同じことを確認することができると思われる。
【０１５３】
抗変異型ＰＫＤ１抗体の所定のロットの結合活性は、周知の方法に従って決定することができる。当業者は、日常的な実験を用いることによって、それぞれの定量にとって操作的で最適なアッセイ法条件を決定することができると思われる。変異型ＰＫＤ１特異的抗体が検出可能に標識される方法の一つは、抗体を酵素に結合させて、酵素免疫アッセイ法において酵素標識抗体を用いることである（ＥＩＡ；ボラー（Ｖｏｌｌｅｒ）、「酸素結合免疫吸着アッセイ法（Ｔｈｅ Ｅｎｚｙｍｅ Ｌｉｎｋｅｄ Ｉｍｍｕｎｏｓｏｒｂｅｎｔ Ａｓｓａｙ（ＥＬＩＳＡ）」；Ｄｉａｇｎｏｓｔｉｃ Ｈｏｒｉｚｏｎｓ ２：１〜７、１９７８；微生物アソシエーツクオータリー出版、ウォーカースビル、メリーランド州）；ボラー（Ｖｏｌｌｅｒ）ら、Ｊ． Ｃｌｉｎ． Ｐａｔｈｏｌ． ３１：５０７〜５２０、１９７８；バトラー（Ｂｕｔｌｅｒ）、Ｍｅｔｈ． Ｅｎｚｙｍｏｌ． ７３：４８２〜５２３、１９８１；マジオ（Ｍａｇｇｉｏ）編、「酵素免疫アッセイ法（Ｅｎｚｙｍｅ Ｉｍｍｕｎｏａｓｓａｙ）」、ＣＲＣ出版、ボカラートン、フロリダ州、１９８０；イシカワ（Ｉｓｈｉｋａｗａ）ら編、「酵素免疫アッセイ法（Ｅｎｚｙｍｅ Ｉｍｍｕｎｏａｓｓａｙ）」、カガクショイン、東京、１９８１）。抗体に結合する酵素は、例えば分光光度計、分光蛍光系、または視覚的手段によって検出することができる化学部分を産生するような方法で、適当な基質、好ましくは発色基質と反応すると思われる。
【０１５４】
抗体を検出可能に標識するために用いることができる酵素には、リンゴ酸デヒドロゲナーゼ、ブドウ球菌ヌクレアーゼ、デルタ−５−ステロイドイソメラーゼ、酵母アルコールデヒドロゲナーゼ、α−グリセロホスフェートデヒドロゲナーゼ、トリオースホスフェートイソメラーゼ、西洋ワサビペルオキシダーゼ、アルカリホスファターゼ、アスパラギナーゼ、グルコースオキシダーゼ、β−ガラクトシダーゼ、リボヌクレアーゼ、ウレアーゼ、カタラーゼ、グルコース−６−燐酸デヒドロゲナーゼ、グルコアミラーゼ、およびアセチルコリンエステラーゼが含まれるがこれらに限定されない。検出は、酵素の色素発生基質を用いる比色法によって行うことができる。検出はまた、同様に調製した標準物質と比較して基質の酵素反応の程度の視覚的な比較によって行うことができる。さらに、検出は、例えば、抗体または抗体断片を放射性標識する段階、および放射性免疫アッセイ法（ＲＩＡ；例えば、ワイントラウブ（Ｗｅｉｎｔｒａｕｂ）、「放射性免疫アッセイ法の原理、放射性リガンドアッセイ技術の７日間訓練コース（Ｐｒｉｎｃｉｐｌｅｓ ｏｆ Ｒａｄｉｏｉｍｍｕｎｏａｓｓａｙｓ， Ｓｅｖｅｎｔｈ Ｔｒａｉｎｉｎｇ Ｃｏｕｒｓｅ ｏｎ Ｒａｄｉｏｌｉｇａｎｄ Ａｓｓａｙ Ｔｅｃｈｎｉｑｕｅｓ）」、内分泌学会、１９８６年３月、参照として本明細書に組み入れられる）を用いてＰＫＤ１野生型または変異体ペプチドを検出する段階を含む、多様な他の免疫アッセイ法の任意のものを用いて行うことができる。放射性同位元素は、γカウンターもしくはシンチレーションカウンターを用いるような手段によって、またはオートラジオグラフィーによって検出することができる。
【０１５５】
抗体はまた、蛍光化合物によって標識することができる。蛍光標識した抗体を適当な波長の光に暴露する場合、次にその存在を蛍光によって検出することができる。最も一般的に用いられる蛍光標識化合物は、フルオレセインイソチオシアネート、ローダミン、フィコエリスリン、フィコシアニン、アロフィコシアニン、ｏ−フタルデヒド、およびフルオレスカミンである。抗体は１５２Ｅｕ、またはランタノイドシリーズの他の金属のような蛍光放出金属を用いて検出可能に標識することができる。これらの金属は、ジエチレントリアミン五酢酸（ＤＴＰＡ）、またはエチレンジアミン四酢酸（ＥＤＴＡ）のような金属キレート化群を用いて、抗体に結合させることができる。
【０１５６】
抗体はまた、化学発光化合物にそれを連結させることによって検出可能に標識することができる。次に、化学発光タグをつけた抗体の存在を、化学反応の過程で生じる発光の存在を検出することによって決定する。特に有用な化学発光標識化合物の例は、ルミノール、イソルミノール、テロマティック（ｔｈｅｒｏｍａｔｉｃ）アクリジニウムエステル、イミダゾール、アクリジニウム塩および蓚酸エステルである。同様に、生物発光化合物を用いて本発明の抗体を標識することができる。生物発光は、触媒タンパク質が化学発光反応の有効性を増加させる生物系において認められる化学発光のタイプである。生物発光タンパク質の存在は、発光の存在を検出することによって決定される。標識の目的にとって重要な生物発光化合物は、ルシフェリン、ルシフェラーゼ、およびエクオリンである。
【０１５７】
インビトロ系は、本発明の変異型ＰＫＤ１ポリヌクレオチドを結合させることができる化合物を同定するために設計することができる（例えば、配列番号：１と実質的に同一である配列を有し、Ｃ４７４Ｔ；Ｇ４８７Ａ；Ｔ３１１０Ｃ；Ｔ８２９８Ｇ；Ａ９１６４Ｇ；Ｇ９２１３Ａ；Ｃ９３２６Ｔ；Ｃ９３６７Ｔ；Ｇ１００６４Ａ；Ａ１０１４３Ｇ；Ｔ１０２３４Ｇ；またはＧ１０２５５Ｔのような変異を有するポリヌクレオチド）。そのような化合物には、例えばランダムペプチドライブラリーの形でのＤ型および／またはＬ型アミノ酸で構成されたペプチド（例えば、ラム（Ｌａｍ）ら、Ｎａｔｕｒｅ ３５４：８２〜８４、１９８１を参照のこと）、例えば、ランダムもしくは部分的縮重の定方向ホスホペプチドライブラリーの形でのホスホペプチド（例えば、ソンヤン（Ｓｏｎｇｙａｎｇ）ら、Ｃｅｌｌ ７２：７６７〜７７８、１９９３）、抗体、および小型または大型の有機または無機分子が含まれるがこれらに限定されない。同定された化合物は、例えば、ＰＫＤ１タンパク質、変種、または変異体の活性を調節するために有用となりうる。例えば、本発明の変異型ＰＫＤ１ポリペプチドは、ＰＫＤ１タンパク質の生物機能を形成するために有用となりうる。そのような変異体は、正常なＰＫＤ１相互作用を破壊する化合物を同定するためのスクリーニングにおいて利用することができ、またはそのような相互作用をそれ自身破壊することができる。
【０１５８】
変異型ＰＫＤ１タンパク質に結合する化合物を同定するために用いられるアッセイ法の原理は、変種を含む変異体となりうるＰＫＤ１タンパク質と試験化合物との反応混合物を二つの化合物が相互作用するために十分な条件および時間で調製する段階、その後相互作用産物（複合体）を単離する段階、または反応混合物における複合体を検出する段階を含む。そのようなアッセイ法は、不均一または均一な様式において行うことができる。不均一なアッセイ法は、ＰＫＤ１または試験物質を固相に結合させ、反応終了時に固相に結合したＰＫＤ１試験物質複合体を検出することを含む。均一なアッセイ法では、反応全体を液相で行う。いずれのアプローチにおいても、反応物質を加える順序は、調べる化合物に関する異なる情報を得るために変化させることができる。
【０１５９】
さらに、タンパク質とタンパク質の相互作用に適した方法を、本発明の変異体または変種ＰＫＤ１ポリペプチドに基づいて新規ＰＫＤ１細胞または細胞外タンパク質相互作用を同定するために用いることができる。例えば、用いることができるいくつかの従来の方法は、同時免疫沈降、架橋、および勾配またはクロマトグラフィーカラムを通しての同時精製である。さらに、標的タンパク質と相互作用するタンパク質をコードする遺伝子が同時に同定される方法を用いることができる。これらの方法には、例えばλｇｔライブラリーの抗体プロービングと類似の方法で、このタンパク質を用いて、標識した標的タンパク質による発現ライブラリーのプロービングすることが含まれる。インビボでタンパク質相互作用を検出するそのような一つの方法は、酵母のツー・ハイブリッド系である。この系の一つが記載されており（チエン（Ｃｈｉｅｎ）ら、Ｐｒｏｃ． Ｎａｔｌ． Ａｃａｄ． Ｓｃｉ． ＵＳＡ ８８：９５７８〜９５８２、１９９１）、市販の試薬を用いて行うことができる（クロンテック社、パロアルト、カリフォルニア州）。
【０１６０】
本発明のＰＫＤ１ポリペプチド（例えば変種または変異体）は、インビボで１つまたは複数の細胞または細胞外タンパク質と相互作用することができる。そのような細胞タンパク質は、本明細書において「結合パートナー」と呼ばれる。そのような相互作用を破壊する化合物は、ＰＫＤ１ポリペプチド、特に変異型ＰＫＤ１ポリペプチドの活性を調節するために有用となりうる。そのような化合物には、例えば、抗体、ペプチド、ペプチド模倣物等のような分子が含まれる。
【０１６１】
ＡＤＰＫＤ症状が、異常な活性を有するＰＫＤ１ポリペプチドを産生するＰＫＤ１ポリヌクレオチド内の変異に関連している場合（例えば、Ｔ３１１０Ｃ；Ｔ８２９８Ｇ；Ａ９１６４Ｇ；Ｇ９２１３Ａ；Ｃ９３２６Ｔ；Ｇ１００６４Ａ等で変異を有する配列番号：１；実施例２を参照のこと）、したがって、そのような活性を破壊すると同定された化合物は、異常なＰＫＤ１活性を阻害して、それぞれ、ＡＤＰＫＤ１関連症状またはＡＤＰＫＤ疾患を減少または治療することができる（表４を参照のこと）。例えば、変異型ＰＫＤ１ポリペプチドと細胞または細胞外タンパク質、例えばＰＫＤ２遺伝子産物との相互作用を破壊するが、正常なＰＫＤ１タンパク質の相互作用には実質的な影響を及ぼさない化合物を同定することができる。そのような化合物は、正常なＰＫＤ１タンパク質を含むアッセイ法において相互作用を破壊する化合物の有効性を、変異型ＰＫＤ１ポリペプチドを含むアッセイ法、例えばツー・ハイブリッドアッセイ法の有効性とを比較することによって同定することができる。
【０１６２】
ＰＫＤ１タンパク質、好ましくは変異型ＰＫＤ１タンパク質とその細胞または細胞外タンパク質結合パートナーとの相互作用を妨害する化合物を同定するために用いられるアッセイ系の基本原理は、ＰＫＤ１タンパク質と結合パートナーとを含む反応混合物を、２つのタンパク質が相互作用または結合して、このように複合体を形成するために十分な条件および期間で調製することを含む。阻害活性に関して化合物を調べるために、反応を試験化合物の存在下または非存在下で行う、すなわち試験化合物は、反応混合物に予め含めることができるか、またはＰＫＤ１とその細胞もしくは細胞外結合パートナーを加えた後に一度に加えることができる；対照は試験化合物を含まずに、またはプラセボと共にインキュベートする。次に、ＰＫＤ１タンパク質と細胞または細胞外結合パートナーとの如何なる複合体の形成も検出する。対照反応において複合体または相互作用が形成されるが、試験化合物を含む反応混合物では形成されなければ、化合物がＰＫＤ１タンパク質と結合パートナーとの相互作用を妨害することを示している。上記のように、試験化合物と正常なＰＫＤ１タンパク質とを含む反応混合物内での複合体形成または成分の相互作用も同様に、試験化合物と変異型ＰＫＤ１タンパク質とを含む反応内で複合体形成または成分の相互作用を比較することができる。この比較は、変異体の相互作用を破壊するが、正常なＰＫＤ１タンパク質の相互作用は破壊しない化合物を同定するために望ましい場合には重要となりうる。
【０１６３】
上記のアッセイ系において同定された化合物を含むがこれらに限定されない任意の結合化合物を、抗ＡＤＰＫＤ活性に関して調べることができる。常染色体優性障害であるＡＤＰＫＤは、野生型ＰＫＤ１対立遺伝子の過小発現、またはほとんどもしくは全くＰＫＤ１活性を示さないＰＫＤ１ポリペプチドの発現を含みうる。そのような場合、たとえＰＫＤ１ポリペプチドが存在しても、存在する正常なＰＫＤ１ポリペプチドの全体的なレベルは不十分であり、ＡＤＰＫＤ症状が起こる。そのため、正常なＰＫＤ１ポリペプチドの発現レベルがＡＤＰＫＤ症状が改善されるレベルまで増加することは有用となると考えられる。さらに、この用語は、細胞における正常なＰＫＤ１活性のレベルが、ＡＤＰＫＤ症状が改善されるレベルまで増加することを意味しうる。
【０１６４】
ＰＫＤ１発現、合成および／または活性を阻害する同定された化合物を、腎嚢胞疾患を治療するために治療的に有効な用量で患者に投与することができる。治療的に有用な用量とは、それによって腎嚢胞疾患の症状の改善を得るために十分な化合物の量を意味する。そのような化合物の毒性および治療的有効性は、例えばＬＤ５０（集団の５０％に対して致死的な用量）およびＥＤ５０（集団の５０％において治療的に有効な用量）を決定するために、細胞培養または実験動物において標準的な薬学的技法によって決定することができる。毒性と治療効果のあいだの用量比が治療指数であり、ＬＤ５０／ＥＤ５０の比として表記することができる。大きい治療指数を示す化合物が好ましい。毒性の副作用を示す化合物を用いることができるが、非感染細胞に対する起こりうる障害を最小限にして、それによって副作用を減少させるために、そのような化合物を罹患組織部位に標的化する送達系を設計するために注意しなければならない。
【０１６５】
細胞培養アッセイ法および動物試験から得たデータはヒトにおける使用のために用量範囲を決定するために用いることができる。そのような化合物の用量は、好ましくは、ほとんどまたは全く毒性を示さないＥＤ５０を含む循環濃度の範囲内である。用量は、用いる投与剤形および利用する投与経路に依存してこの範囲内で変化しうる。本発明の方法において用いられる如何なる化合物に関しても、治療的に有効な用量は、細胞培養アッセイ法から最初に推定することができる。用量は、細胞培養において決定したＩＣ５０（すなわち、症状の半最大阻害を得る試験化合物の濃度）を含む循環中の血漿濃度範囲が得られるように、動物モデルにおいて決定することができる。そのような情報を用いて、ヒトにおいて有用な用量をより正確に決定することができる。血漿中のレベルは、例えば高速液体クロマトグラフィーによって測定することができる。用量を最適にするために用いることができるさらなる要因には、例えば、年齢、体重、および患者が同様に示しうる可能性があるさらなる障害と共に、ＡＤＰＫＤ症状の重症度のような要因を含めることができる。当業者は、上記の要因に基づいて適当な用量を決定することができると思われる。
【０１６６】
本発明に従って用いられる薬学的組成物は、１つまたは複数の生理的に許容される担体または賦形剤を用いて従来の方法で調製することができる。このように、化合物およびその生理的に許容される塩および溶媒化合物は、吸入（口または鼻のいずれかから）、または経口、頬、非経口、または直腸投与によって投与するために調製することができる。
【０１６７】
経口投与の場合、薬学的組成物は、例えば、結合剤（例えば、予めゼラチン処理したトウモロコシデンプン、ポリビニルピロリドン、またはヒドロキシプロピルメチルセルロース）；増量剤（例えば、乳糖、微結晶セルロース、または燐酸水素カルシウム）；潤滑剤（ステアリン酸マグネシウム、タルク、またはシリカ）；崩壊剤（例えば、ジャガイモデンプンまたはデンプングリコール酸エステルナトリウム）；または湿潤剤（例えば、ラウリル硫酸ナトリウム）のような、薬学的に許容される賦形剤と共に、従来の手段によって調製した錠剤またはカプセル剤の形となりうる。錠剤は、当技術分野で周知の方法によってコーティングすることができる。経口投与のための液体調製物は、例えば、溶液、シロップ、もしくは懸濁液の形となりえて、またはそれらは使用前に水もしくは他の適した溶媒によって溶解するための乾燥製品として存在しうる。そのような液体調製物は、懸濁剤（例えば、ソルビトールシロップ、セルロース誘導体、または硬化食用油脂）；乳化剤（例えばレシチンまたはアカシア）；非水性溶媒（例えば、アーモンド油、油性エステル、エチルアルコール、もしくは精留した植物油）；および保存剤（例えば、メチルまたはプロピル−ｐ−ヒドロキシベンゾエート、またはソルビン酸）のような薬学的に許容される添加剤と共に従来の手段によって調製することができる。調製物はまた、適当な場合には、緩衝塩、着香料、着色料、および甘味料を含みうる。
【０１６８】
経口投与のための調製物は、活性化合物の制御された放出が得られるように製剤化することができる。バッカル剤を投与する場合、組成物は、従来の方法で製剤化した錠剤またはトローチ剤の形となりうる。
【０１６９】
吸入によって投与する場合、本発明に従って用いられる化合物は、ジクロロジフルオロメタン、トリクロロフルオロメタン、ジクロロテトラフルオロエタン、二酸化炭素または他の適した気体のような適した噴射剤を用いて、加圧パックまたはネブライザーからのエアロゾルスプレー剤形において送達することが都合がよい。加圧式エアロゾルの場合、用量単位は、一定量を送達するための弁を提供することによって決定することができる。化合物と、乳糖またはデンプンのような適した粉末基剤とを含む、吸入器において用いるための例えばゼラチンのカプセルおよびカートリッジを、製剤化することができる。
【０１７０】
化合物は、例えば大量注射または連続注入による、注射によって非経口投与するために調製することができる。注射用製剤は、単位剤形、例えば、保存剤を添加したアンプルまたは多用量容器の形となりうる。組成物は、油性または水性溶媒中での懸濁液、溶液、または乳剤のような形となりえて、懸濁化剤、安定化剤、および／または分散剤のような処方用物質を含みうる。または、活性成分は、使用前に適した溶媒、例えば滅菌発熱物質不含水によって溶解するための粉末の形となりうる。組成物はまた、例えば、カカオバターまたは他のグリセリドのような従来の坐剤基剤を含む、坐剤または浣腸のような直腸組成物に調製することができる。
【０１７１】
先に記載した処方の他に、化合物はまた、デポー調製物として調製することができる。そのような長時間作用型の製剤は、埋め込み（例えば、皮下または筋肉内）、または筋肉内注射によって投与することができる。このように、例えば、化合物は、適したポリマー、疎水性物質（例えば、許容される油中での乳剤として）、もしくはイオン交換樹脂と共に、または水溶性の低い誘導体、例えば、水溶性の低い塩として調製することができる。
【０１７２】
組成物は、望ましい場合には、活性成分を含む１つまたは複数の単位剤形を含むパックまたはディスペンサー装置の形状となりうる。パックは例えば、金属もしくはプラスチックホイル、またはブリスタパックを含みうる。パックまたはディスペンサー装置は、投与説明書を添付することができる。
【０１７３】
または、ＡＤＰＫＤは、ＰＫＤ１タンパク質の異常な変異体型の産生によって引き起こされうるが、この変異体型は、正常な対立遺伝子産物を妨害するか、または新規機能を細胞に導入し、次に変異体表現型に至る。例えば、変異型ＰＫＤ１タンパク質は、細胞の内部または外部でシグナルを遅らせるために必要な物質の結合に関して野生型タンパク質と競合することができる。
【０１７４】
抗ＡＤＰＫＤ活性を示す化合物を同定するための細胞に基づく、および動物モデルに基づくアッセイ法もまた、本発明に含まれる。変異型ＰＫＤ１ポリヌクレオチド配列（例えば、配列番号：１に記載の配列と実質的に同一であり、Ｃ４７４Ｔ；Ｇ４８７Ａ；Ｔ３１１０Ｃ；Ｔ８２９８Ｇ；Ａ９１６４Ｇ；Ｇ９２１３Ａ；Ｃ９３２６Ｔ、Ｃ９３６７Ｔ；Ｇ１００６４Ａ；Ａ１０１４３Ｇ；Ｔ１０２３４Ｇ；Ｇ１０２５５Ｔ等の１つまたは複数の変異を有する配列；実施例２を参照のこと）を含み、これらを発現する細胞は、変異型ＰＫＤ１ポリペプチドをコードし、このように、ＡＤＰＫＤに関連する細胞表現型を示すが、これらを用いて抗ＡＤＰＫＤ活性を有する化合物を同定することができる。そのような細胞には、変異体を発現する、または正常および変異型ＰＫＤ１ポリペプチドの双方を発現する天然に存在する、または操作された細胞からなる細胞株が含まれうる。そのような細胞には、初代および不死化ヒト腎尿細管細胞を含む腎上皮細胞、ＭＤＣＫ細胞、ＬＬＰＣＫ１細胞、およびヒト腎癌細胞が含まれるがこれらに限定されない。野生型または変異体タンパク質をコードするＰＫＤ１ポリヌクレオチド配列によって細胞を形質転換する方法は上記の通りである。
【０１７５】
ＡＤＰＫＤ様細胞表現型を示す細胞を、暴露した細胞において抗ＡＤＰＫＤ１活性を誘発するために十分な濃度と十分な時間、抗ＡＤＰＫＤ活性を示すことが疑われる化合物に暴露することができる。暴露後、細胞を調べて、１つまたは複数のＡＤＰＫＤ様細胞表現型が野生型の非ＡＤＰＫＤ表現型により類似するように変化しているか否かを決定する。
【０１７６】
上記のアッセイ法において追跡することができる細胞表現型では、膜タンパク質の先端／基底外側分布に差を認める。例えば、正常（すなわち、非ＡＤＰＫＤ）腎尿細管は、インサイチューおよび培養において、既定の条件で、細胞表面マーカーの先端／基底外側分布の特徴的なパターンを有する。ＡＤＰＫＤ腎細胞は、対照的に、正常な分布と比較して部分的に逆の先端／基底外側極性を反映する分布パターンを示す。例えば、ナトリウム−カリウムＡＴＰアーゼは一般的に、腎上皮細胞の基底外側の膜に認められるが、同様に、インビボで嚢胞性上皮および培養したＡＤＰＫＤ細胞の双方では、ＡＤＰＫＤ上皮細胞の先端表面にも認めることができる（ウィルソン（Ｗｉｌｓｏｎ）ら、Ａｍ． Ｊ． Ｐｈｙｓｉｏｌ． ２６０：Ｆ４２０〜Ｆ４３０、１９９１）。正常な細胞とＡＤＰＫＤ罹患細胞において極性の変化を示すもう一つのマーカーは、ＥＧＦ受容体であり、これは通常基底外側に存在するが、ＡＤＰＫＤ細胞では、先端表面に誤って存在する。そのような先端／基底外側マーカー分布表現型は、例えば、対象となるマーカーに対して特異的抗体を用いて、標準的な免疫組織学技術によって追跡することができる。
【０１７７】
ＰＫＤ１の機能に関するアッセイ法にはまた、上皮細胞増殖の脱調節が嚢胞の形成における重要な段階となりうるため、細胞の増殖またはアポトーシスの速度の測定が含まれうる。嚢胞は、過増殖および高アポトーシスである上皮細胞が内側に並ぶ液体に満ちた構造である（イーバン（Ｅｖａｎ）ら、Ｋｉｄｎｅｙ Ｉｎｔｅｒｎａｔｉｏｎａｌ １６：７４３〜７５０、１９７９；コバックス＆ゴンバ（Ｋｏｖａｃｓ ａｎｄ Ｇｏｍｂａ）、Ｋｉｄｎｅｙ Ｂｌｏｏｄ Ｐｒｅｓｓ． Ｒｅｓ． ２１：３２５〜３２８、１９９８；ラノックス（Ｌａｎｏｉｘ）ら、Ｏｎｃｏｇｅｎｅ １３：１１５３〜１１６０、１９９６；ウー（Ｗｏｏ）、Ｎｅｗ Ｅｎｇｌ． Ｊ． Ｍｅｄ． ３３３：１８〜２５、１９９５、そのそれぞれが参照として本明細書に組み入れられる）。嚢胞上皮は、ＰＣＮＡ染色によって測定すると、インビボで高い分裂速度を有し（ナダスディ（Ｎａｄａｓｄｙ）ら、Ｊ． Ａｍ． Ｓｏｃ． Ｎｅｐｈｒｏｌ． ５：１４６２〜１４６８、１９９５、参照として本明細書に組み入れられる）、他の増殖マーカーの発現レベルが増加する（クリンゲル（Ｋｌｉｎｇｅｌ）ら、Ａｍｅｒ． Ｊ． Ｋｉｄｎｅｙ Ｄｉｓ． １９：２２〜３０、１９９２、参照として本明細書に組み入れられる）。さらに、ＡＤＰＫＤ嚢胞腎からの培養細胞は、インビトロでの増殖速度が増加していた（ウィルソン（Ｗｉｌｓｏｎ）ら、Ｋｉｄｎｅｙ Ｉｎｔ． ３０：３７１〜３８０、１９８６；ウィルソン（Ｗｉｌｓｏｎ）、Ａｍｅｒ． Ｊ． Ｋｉｄｎｅｙ Ｄｉｓ． １７：６３４〜６３７、１９９１、そのそれぞれが参照として本明細書に組み入れられる）。
【０１７８】
さらに、腎嚢胞疾患の齧歯類モデルの研究において、天然に存在する型のＰＫＤを有する動物の嚢胞に沿って並ぶ上皮細胞は、ヒトＡＤＰＫＤにおいて報告されたものと類似の異常を示した（ハーディング（Ｈａｒｄｉｎｇ）ら、１９９２；ラマスブ（Ｒａｍａｓｕｂｂｕ）ら、Ｊ． Ａｍ． Ｓｏｃ． Ｎｅｐｈｒｏｌ． ９：９３７〜９４５、１９９８；ランキン（Ｒａｎｋｉｎ）ら、Ｊ． Ｃｅｌｌ Ｐｈｙｓｉｏｌ． １５２：５７８〜５８６、１９９２；ランキン（Ｒａｎｋｉｎ）ら、Ｉｎ Ｖｉｔｒｏ Ｃｅｌｌ Ｄｅｖｅｌ． Ｂｉｏｌ． Ａｎｉｍ． ３２：１００〜１０６、１９９６、そのそれぞれが参照として本明細書に組み入れられる）。その上、ｃ−ｍｙｃまたはＳＶ−４０ラージＴ抗原のいずれかのトランスジェニック過剰発現を有するマウスはＰＫＤを発症した（ケリー（Ｋｅｌｌｙ）ら、Ｊ． Ａｍ． Ｓｏｃ． Ｎｅｐｈｒｏｌ． ２：８４〜９７、１９９１；トルーデル（Ｔｒｕｄｅｌ）ら、Ｋｉｄｎｅｙ Ｉｎｔ． ３９：６６５〜６７１、１９９１、そのそれぞれが参照として本明細書に組み入れられる）。同様に、上皮細胞における組換え全長ＰＫＤ１の発現は、増殖速度を減少させ、血清ストレプトアビジンのような刺激を与えた場合に、またはアポトーシスを刺激することが知られているＵＶ光に対する暴露した場合に、アポトーシスに対する抵抗性を誘導した（ボレッタ（Ｂｏｌｅｔｔａ）ら、Ｍｏｌ． Ｃｅｌｌ． ６：１２６７〜１２７３、２０００、参照として本明細書に組み入れられる）。そのため、例えば、ＪＡＫ２、ＳＴＡＴ１／３、ＰＩ３キナーゼ、ｐ２１、およびＡＫＴを含むＰＫＤ１発現によって活性化される生化学経路は、ＰＫＤ１活性の代用マーカーを提供することができる。
【０１７９】
上皮細胞が管を形成する傾向は、ＰＫＤ１の機能に関するなおもう一つのアッセイ法を提供する。インビボにおいて、ＰＫＤは腎尿細管、膵管、および胆管の嚢胞形質転換を特徴とする。インビトロでは、全長ＰＫＤ１が発現されると、ＭＤＣＫ細胞において自然発生的な管形成を誘導する（ボレッタ（Ｂｏｌｅｔｔａ）ら、上記、２０００）。このモデル系では、組換え野生型の全長ＰＫＤ１を発現しない対照ＭＤＣＫ細胞は、肝細胞増殖因子またはコラーゲン中で懸濁培養した線維芽細胞条件培地によって処置しなければ嚢胞構造を形成した。対照的にＰＫＤ１の全長野生型組換え型を発現するＭＤＣＫ細胞は、このようにして培養した場合では、外因性因子の非存在下でも管を形成した。そのため、このモデル系を用いて、ＰＫＤ１タンパク質に結合して活性化するリガンドを同定し、治療物質によって活性化されるために標的化される経路を決定し、且つＰＫＤ１機能に及ぼす配列変種の影響を評価することができる。
【０１８０】
さらに、ＰＫＤ１ポリペプチドの機能に関するアッセイ法は、ＡＤＰＫＤと後天性嚢胞疾患のラットモデルの双方における試験（カロン（Ｃａｒｏｎｅ）ら、Ｋｉｄｎｅｙ Ｉｎｔｅｒｎａｔｉｏｎａｌ ３５：１０３４〜１０４０、１９８９）がそのような構成要素における変化を示すという点において、例えば、プロテオグリカン、ラミニン、フィブロネクチン等のような細胞外マトリックス（ＥＣＭ）成分の測定を含む。このように、正常なＥＣＭをより完全に模倣する細胞外マトリックス環境を作製する役に立つ如何なる化合物も、ＡＤＰＫＤ症状の改善能を調べるための候補として見なすべきである。
【０１８１】
さらに、本発明は、上述の結合アッセイ法において同定された化合物のような化合物のＡＤＰＫＤ動物モデルにおける疾患の予防または阻害能を測定するために用いることができる。腎嚢胞疾患に関して、いくつかの天然に存在する変異が動物において認められており、当技術分野においてＡＤＰＫＤのモデルとして容認され、ＰＫＤ１タンパク質と相互作用する化合物の影響をアッセイ法するための試験系を提供する。これらのモデルの中で、ハン：ＳＰＲＤラットモデルは、常染色体優性モデル系を提供し（例えば、カスパレイト・リッティングハウセン（Ｋａｓｐａｒｅｉｔ−Ｒｉｔｔｉｎｇｈａｕｓｅｎ）ら、Ｖｅｔ． Ｐａｔｈ． ２６：１９５、１９８９）、いくつかの劣性変異も同様に利用できる（リーダース（Ｒｅｅｄｅｒｓ）、Ｎａｔｕｒｅ Ｇｅｎｅｔｉｃｓ １：２３５、１９９２）。さらに、ＰＫＤ１またはＰＫＤ２遺伝子が破壊されているノックアウトマウスが利用でき、ＡＤＰＫＤの遺伝子型の関連するモデル系を提供する。そのため、ＰＫＤ１およびＰＫＤ２ノックアウトマウスは、インビトロでＰＫＤ１タンパク質と相互作用する化合物のインビボ有効性を確認するために有用となりうる（例えば、そのそれぞれが参照として本明細書に組み入れられる、ウ（Ｗｕ）ら、Ｎａｔ． Ｇｅｎｅｔ． ２４：７５〜７８、２０００；キム（Ｋｉｍ）ら、Ｐｒｏｃ． Ｎａｔｌ． Ａｃａｄ． Ｓｃｉ． ＵＳＡ ９７：１７３１〜１７３６、２０００；ル（Ｌｕ）ら、Ｎａｔ． Ｇｅｎｅｔ． ２１：１６０〜１６１、１９９９；ウ（Ｗｕ）ら、Ｃｅｌｌ ９３：１７７〜１８８、１９９８；ル（Ｌｕ）ら、Ｎａｔ． Ｇｅｎｅｔ． １７：１７９〜１８１、１９９７を参照のこと）。
【０１８２】
本明細書に開示の１つまたは複数の変異型ＰＫＤ１ポリペプチド配列に関連するＡＤＰＫＤ様症状を示す動物モデルはまた、トランスジェニック動物を作製するための周知の方法と組み合わせてＰＫＤ１ポリヌクレオチド配列を利用することによって操作することができる。マウス、ラット、ウサギ、モルモット、ブタ、ミニブタ、ヤギ、ならびにヒト以外の霊長類、例えば、ヒヒ、リスザル、およびチンパンジーを含むがこれらに限定されない如何なる種の動物もそのようなＡＤＰＫＤ動物モデルまたはトランスジェニック動物を作製するために用いることができる。ＡＤＰＫＤ症状に至るＰＫＤ１変異がＰＫＤ１タンパク質レベルを減少させるか、または無効なＰＫＤ１タンパク質の産生を引き起こす場合（例えば、ＰＫＤ１変異が、Ｗ３００１Ｘのように優性機能喪失変異、すなわち３０００位のアミノ酸残基の後で切断されるか、またはＴ３１１０Ｃ変異である場合；同様に表４も参照のこと）、様々な方法を用いて、ＡＤＰＫＤ様症状を示す動物モデルを作製することができる。
【０１８３】
本発明はまた、無脊椎動物、脊椎動物および哺乳類を含むヒト以外のトランスジェニック生物を提供する。本発明の目的に関して、これらの動物は、そのような動物が異種ＤＮＡ配列、または動物に対して通常外因性である１つもしくは複数のさらなるＤＮＡ配列（本明細書において集合的に「導入遺伝子」と呼ぶ）が、動物の胚細胞の染色体に組み入れられている場合に「トランスジェニック」であると呼ぶ。トランスジェニック動物（その子孫を含む）はまた、体細胞の染色体に組み入れられた導入遺伝子を有する。
【０１８４】
本発明のトランスジェニック動物を作製するために様々な方法を用いることができる。概して、そのような３つの方法を用いることができる。そのような一つの方法において、前核段階の胚（「一細胞胚」）を雌性動物から採取して、導入遺伝子を胚にマイクロインジェクションするが、この場合導入遺伝子は、得られた成熟動物の胚細胞と体細胞の双方の染色体に組み入れられると考えられる。そのようなもう一つの方法において、胚幹細胞を単離して、電気穿孔、プラスミドトランスフェクション、またはマイクロインジェクションによって導入遺伝子をその中に組み入れた後に、幹細胞をそれらがコロニーを形成して生殖系列に関与する胚に再導入する。哺乳類種のマイクロインジェクション法は、米国特許第４，８７３，１９１号に記載されている。
【０１８５】
さらにもう一つのそのような方法において、胚細胞に、導入遺伝子を含むレトロウイルスを感染させ、それによって胚の染色細胞がその染色体に導入遺伝子を組み入れる。トランスジェニックを作製すべき動物がトリである場合、トリ受精卵は一般的に卵管において、最初の２０時間のあいだに細胞分裂を行うため、受精卵の前核にマイクロインジェクションすることは、前核に到達することができないために困難である。したがって、一般的に先に記述したトランスジェニック動物を作製するための方法の中では、トリ種には米国特許第５，１６２，２１５号に記載されているように、レトロウイルス感染が好ましい。しかし、トリ種にマイクロインジェクションを用いる場合、ラブ（Ｌｏｖｅ）らの方法（Ｂｉｏｔｅｃｈｎｏｌｏｇｙ、１２、１９９４）を利用することができ、この場合、前回の産卵の約２時間半後に屠殺した雌鶏から胚を得て、導入遺伝子を胚盤の細胞質にマイクロインジェクションして、胚を成熟するまで宿主の殻の中で培養する。トランスジェニックすべき動物がウシまたはブタである場合、卵が不透明であるために、マイクロインジェクションは妨害され、それによって核を従来の微分干渉位相差顕微鏡によって同定することが困難になる。この問題を克服するために、卵をまず遠心して前核を分離すると、より見やすくすることができる。
【０１８６】
本発明のヒト以外のトランスジェニック動物には、例えば、ウシ、ブタ、ヒツジおよびトリ動物が含まれる（例えば、ウシ、ブタ、ヒツジ、七面鳥）。そのようなヒト以外のトランスジェニック動物は、導入遺伝子をヒト以外の動物の生殖系列に導入することによって作製される。様々な発達段階での胚標的細胞を用いて導入遺伝子を導入することができる。胚標的細胞の発達段階に応じて、様々な方法を用いる。受精卵はマイクロインジェクションの最適な標的である。遺伝子移入の標的として受精卵を用いることは、ほとんどの場合、注入したＤＮＡが初回分裂前に宿主遺伝子に組み入れられるという点において大きな利点を有する（ブリンスター（Ｂｒｉｎｓｔｅｒ）ら、Ｐｒｏｃ． Ｎａｔｌ． Ａｃａｄ． Ｓｃｉ． ＵＳＡ ８２：４４３８〜４４４２、１９８５）。その結果、ヒト以外のトランスジェニック動物の全ての細胞が、組み入れられた導入遺伝子を有すると思われる。これは一般的に、胚細胞の５０％が導入遺伝子を有することから、創始動物の子孫への導入遺伝子の効率的な伝達に反映されると考えられる。
【０１８７】
「トランスジェニック」という用語は、細胞の全ての中に外因性の遺伝物質を含む動物を記述するために用いられる。トランスジェニック動物は、生殖に用いられる細胞内に外因性の遺伝物質を含む２匹のキメラ動物を交配させることによって作製することができる。得られた子孫の２５％がトランスジェニック、すなわちその細胞の全ての双方の対立遺伝子において外因性の遺伝物質を含む動物となると考えられる。得られた動物の５０％は一つの対立遺伝子内に外因性の遺伝物質を含み、２５％は外因性の遺伝物質を含まないと考えられる。
【０１８８】
本発明の実践において有用なマイクロインジェクション法において、導入遺伝子を、ゲル電気泳動によって消化して、如何なるベクターＤＮＡも含まないように精製する。導入遺伝子は、転写に関係して、最終的に構成的な発現が得られる細胞タンパク質と相互作用する機能的に会合したプロモーターを含むことが好ましい。この点において有用なプロモーターには、サイトメガロウイルス（ＣＭＶ）、モロニーマウス白血病ウイルス（ＭＬＶ）、およびヘルペスウイルスと共に、メタロチオネイン、骨格アクチン、Ｐ−エノールピルビン酸カルボキシラーゼ（ＰＥＰＣＫ）、ホスホグリセレートキナーゼ（ＰＧＫ）、ＤＨＦＲ、およびチミジンキナーゼをコードする遺伝子のプロモーターが含まれる。ラウス肉腫ウイルスのようなウイルスの長末端反復（ＬＴＲｓ）のプロモーターも同様に用いることができる。トランスジェニックにすべき動物がトリである場合、好ましいプロモーターには、ニワトリベータグロビン遺伝子、ニワトリライソザイム遺伝子、およびトリ白血病ウイルスのプロモーターが含まれる。胚幹細胞のプラスミドトランスフェクションにおいて有用な構築物は、転写、スプライスアクセプター、終結およびポリアデニルシグナル、およびリボソーム結合部位を刺激して転写を可能にするエンハンサー要素のような当技術分野で周知のさらなる調節要素を用いると思われる。
【０１８９】
レトロウイルス感染症も同様に用いて上記のようにヒト以外の動物に導入遺伝子を導入することができる。発達途中のヒト以外の胚をインビトロで胚盤胞段階まで培養することができる。この際、割球がレトロウイルス感染の標的となりうる（ヤニク（Ｊａｅｎｉｃｈ）、Ｐｒｏｃ． Ｎａｔｌ． Ａｃａｄ． Ｓｃｉ． ＵＳＡ ７３：１２６０〜１２６４、１９７６）。割球の効率的な感染は、透明帯を除去する酵素処理によって得られる（ホーガン（Ｈｏｇａｎ）ら、「マウス胚の操作（Ｍａｎｉｐｕｌａｔｉｎｇ ｔｈｅ Ｍｏｕｓｅ Ｅｍｂｒｙｏ）」、コールドスプリングハーバー研究所出版、コールドスプリングハーバー、ニューヨーク州、１９８６）。導入遺伝子を導入するために用いられるウイルスベクター系は、典型的に、導入遺伝子を有する複製欠損レトロウイルスである（ヤーナー（Ｊａｈｎｅｒ）ら、Ｐｒｏｃ． Ｎａｔｌ． Ａｃａｄ． Ｓｃｉ． ＵＳＡ ８２：６９２７〜６９３１、１９８５；ファンデルプッテン（Ｖａｎ ｄｅｒ Ｐｕｔｔｅｎ）ら、Ｐｒｏｃ． Ｎａｔｌ． Ａｃａｄ． Ｓｃｉ． ＵＳＡ ８２：６１４８〜６１５２、１９８５）。トランスフェクションは、割球をウイルス産生細胞の単層上で培養することによって容易かつ効率よく得られる（ファンデルプッテン（Ｖａｎ ｄｅｒ Ｐｕｔｔｅｎ）、上記；スチュワート（Ｓｔｅｗａｒｔ）ら、ＥＭＢＯ Ｊ． ６：３８３〜３８８、１９８７）。または、感染は、後期の段階で行うことができる。ウイルスまたはウイルス産生細胞を割腔に注入することができる（ヤーナー（Ｊａｈｎｅｒ）ら、Ｎａｔｕｒｅ ２９８：６２３〜６２８、１９８２）。創始動物のほとんどは、組み込みがヒト以外のトランスジェニック動物を形成する細胞のサブセットのみに起こることから、導入遺伝子に関してモザイクとなると考えられる。さらに、創始動物は、ゲノムの異なる位置で導入遺伝子の様々なレトロウイルス挿入を含むことができ、これは一般的に子孫において分離すると思われる。さらに、妊娠中期胚の子宮内レトロウイルス感染によって、効率は低いものの、導入遺伝子を生殖系列に導入することも可能である（ヤーナー（Ｊａｈｎｅｒ）ら、上記、１９８２）。
【０１９０】
導入遺伝子導入のための第３のタイプの標的細胞は、胚幹（ＥＳ）細胞である。ＥＳ細胞は、インビトロで培養した着床前胚から得て、胚と融合したものである（エバンス（Ｅｖａｎｓ）ら、Ｎａｔｕｒｅ ２９２：１５４〜１５６、１９８１；ブラッドレー（Ｂｒａｄｌｅｙ）ら、Ｎａｔｕｒｅ ３０９：２５５〜２５８、１９８４；ゴスラー（Ｇｏｓｓｌｅｒ）ら、Ｐｒｏｃ． Ｎａｔｌ． Ａｃａｄ． Ｓｃｉ． ＵＳＡ ８３：９０６５〜９０６９、１９８６；およびロバートソン（Ｒｏｂｅｒｔｓｏｎ）ら、Ｎａｔｕｒｅ ３２２：４４５〜４４８、１９８６）。導入遺伝子は、ＤＮＡトランスフェクションによって、またはレトロウイルスを介する形質導入によってＥＳ細胞に効率よく導入することができる。次に、そのような形質転換したＥＳ細胞を、ヒト以外の動物に由来する胚盤胞と組み合わせることができる。その後、ＥＳ細胞は、胚でコロニーを形成して、得られたキメラ動物の生殖系列に関与する（総説に関しては、ヤーニッシュ（Ｊａｅｎｉｓｃｈ）、Ｓｃｉｅｎｃｅ ２４０：１４６８〜１４７４、１９８８を参照のこと）。
【０１９１】
導入遺伝子は人工的に細胞に挿入され、その細胞から発達する生物のゲノムの一部となる任意のＤＮＡ片でありうる（すなわち、安定的に組み入れられた、または安定的な生殖体外要素として）。そのような導入遺伝子には、トランスジェニック生物に対して部分的または完全に異種である遺伝子（すなわち、異物）となりうる、または生物の内因性遺伝子に対して同種である遺伝子を表しうる。この定義には、ＤＮＡに転写され、次にゲノムに組み入れられるＲＮＡ配列を提供することによって作製した導入遺伝子が含まれる。本発明の導入遺伝子には、変異型ＰＫＤ１ポリペプチド、例えば、配列番号：２と実質的に同一なアミノ酸配列を有し、且つＡ８８Ｖ、Ｗ９６７Ｒ、Ｌ２６９６Ｒ、Ｒ２９８５Ｇ、Ｒ３０３９Ｃ、Ｖ３２８５Ｉ、Ｈ３３１１Ｒの変異、またはそれらの組み合わせを有するポリペプチドをコードし；３０００位のアミノ酸で終結する（本明細書において「Ｘ」が停止コドンを示す、「Ｗ３０００Ｘ」とも呼ばれる；表４も参照のこと）切断型ＰＫＤ１ポリペプチドをコードするＤＮＡ配列が含まれ；ヒト以外のトランスジェニック動物において発現させることができる、センス、アンチセンス、およびドミナントネガティブをコードするポリヌクレオチドが含まれる。本明細書において用いられる「トランスジェニック」という用語にはまた、初期胚または受精卵のインビトロ操作によって、または特定の遺伝子ノックアウトを誘導するためのトランスジェニック技術によって、ゲノムが変化している任意の生物が含まれる。本明細書において用いられる「遺伝子ノックアウト」という用語には、当業者に周知の任意のトランスジェニック技術によって得られる、インビボで完全にまたは部分的に機能を喪失する遺伝子の標的化破壊を意味する。一つの態様において、遺伝子ノックアウトを有するトランスジェニック動物は、相同的組換えによって非機能的にすべき遺伝子に標的化される挿入によって、標的遺伝子が非機能的となっている動物である。
【０１９２】
本発明にはまた、ＰＫＤ１ポリペプチドにおけるヘテロ接合変異、またはポリペプチドの機能もしくは発現の部分的阻害を有する動物が含まれる。当業者は、特定の変異またはアンチセンス分子がＰＫＤ１発現を部分的に阻害することができるか否かを容易に決定することができると思われる。例えば、インビトロ試験は、始めに、野生型との比較することにより望ましくなりうる（例えば、発現の減少を調べるためのノーザンブロットの比較）。胚にトランスフェクトした胚幹細胞をマイクロインジェクションして、コロニーを形成させるか、または導入遺伝子を含むレトロウイルスによって感染させた後（トリ種における本発明の実践を除く、本明細書において他でも扱う）、胚を仮親の雌性動物の卵管に着床させる。導入遺伝子特異的プローブを用いる血液試料のサザンブロット分析によって、子孫に導入遺伝子が組み込まれたか否かを調べる。ＰＣＲはこの点において特に有用である。陽性子孫（Ｐ０）を交配させて、子孫（Ｐ１）を作製し、これを組織試料のノーザンブロット分析によって導入遺伝子発現に関して分析する。
【０１９３】
内因性ＰＫＤ１関連遺伝子の発現と、類似の種の導入遺伝子の発現とを区別するために、マーカー遺伝子断片を構築物において導入遺伝子の３’非翻訳領域に含めることができ、ノーザンブロットプローブをマーカー遺伝子断片に関してプロービングするために設計することができる。ＰＫＤ１ポリペプチドの血清レベルはまた、ＰＫＤ１発現レベルを決定するために、トランスジェニック動物において測定することができる。トランスジェニック生物を作製する方法はまた、例えば、生物が異なる無関係な遺伝子またはポリペプチドに関してトランスジェニックである、既に作製されたトランスジェニック生物の胚に導入遺伝子を挿入する方法を含みうる。
【０１９４】
本発明のトランスジェニック生物は、例えば、多嚢胞腎疾患、またはＰＫＤ１関連疾患または障害を調べるための生物を作製するために、ならびに多嚢胞腎疾患、ＰＫＤ１関連障害および遺伝子を阻害または調節する物質または薬剤を同定するために非常に有用である。変異型ヒトＰＫＤ１ポリヌクレオチドの発現は、例えば標準的なノーザンブロット分析によってアッセイすることができ、変異型ヒトＰＫＤ１ポリペプチドの産生は、例えば、変異型ヒトＰＫＤ１ポリペプチドに対して作製した抗体を用いてその存在を検出することによってアッセイすることができる。変異型ヒトＰＫＤ１ポリペプチドを発現することが判明したそれらの動物は、ＡＤＰＫＤ様症状の発症に関して観察することができる。
【０１９５】
上記のように、ＡＤＰＫＤの動物モデルは、ヒトＰＫＤ１ポリヌクレオチド内の変異に対応する内因性ＰＫＤ１遺伝子のコピーに変異を含む動物を操作することによって作製することができる。そのような方法を利用して、本明細書に記載のような技術を用いてＰＫＤ１相同体を関係する動物から同定して、クローニングすることができる。１つまたは複数の変異を、上記のように、ヒトＰＫＤ１ポリヌクレオチド内の変異に対応するそのようなＰＫＤ１相同体に操作することができる（例えば、配列番号：２に記載され、Ａ８８Ｖ、Ｗ９６７Ｒ、Ｌ２６９６Ｒ、Ｒ２９８５Ｇ、Ｗ３００１Ｘ、Ｒ３０３９Ｃ、Ｖ３２８５Ｉ、Ｈ３３１１Ｒの変異、またはその任意の組み合わせを有するアミノ酸配列の変異が起こる；表４も参照のこと）。本明細書に開示のように、そのような操作された対応するＰＫＤ１相同体によって産生された変異型ポリペプチドは、変異型ヒトＰＫＤ１タンパク質によって示される活性と実質的に類似である異常なＰＫＤ１活性を示しうる。次に、操作されたＰＫＤ１相同体を、上記のような技術を用いて関係する動物のゲノムに導入することができる。したがって、配列番号：２に記載され、Ａ８８Ｖ、Ｗ９６７Ｒ、Ｌ２６９６Ｒ、Ｒ２９８５Ｇ、Ｗ３００１Ｘ、Ｒ３０３９Ｃ、Ｖ３２８５Ｉ、Ｈ３３１１Ｒの変異、またはそれらの組み合わせを有する変異型ＰＫＤ１ポリペプチドの発現に関連したモデルを含む、本明細書に記載したＡＤＰＫＤ動物モデルの任意のものを用いて、化合物のＡＤＰＫＤ症状改善能を調べることができる（実施例２および表４を参照のこと）。
【０１９６】
上記のように、ＡＤＰＫＤを引き起こすＰＫＤ１ポリヌクレオチドにおける変異は、ＡＤＰＫＤ症状の形成に至る異常な活性を示すＰＫＤ１タンパク質の型を産生することができる。多様な技術を利用して、そのような変異型ＰＫＤ１ポリヌクレオチドおよびポリペプチドの発現、合成、または活性を阻害することができる。例えば、上記のアッセイ法によって同定された化合物のような、阻害活性を示す化合物を、ＡＤＰＫＤ症状を改善するために本発明に従って用いることができる。そのような分子には、小型、および大型の有機分子、ペプチドおよび抗体が含まれるがこれらに限定されない。さらに、ＰＫＤ１ポリヌクレオチドの発現を阻害するアンチセンスおよびリボザイム分子（例えば、変異型ＰＫＤ１ポリヌクレオチド）もまた用いて、異常なＰＫＤ１活性を阻害することができる。そのような技術を下記に記載する。さらにもう一つの態様において、異常なＰＫＤ１活性を阻害するために三重ヘリックス分子を用いることができる。
【０１９７】
抗ＡＤＰＫＤ活性を示しうる化合物は、アンチセンス、リボザイム、および三重ヘリックス分子である。そのような分子は、ＰＫＤ１ポリペプチドの発現または合成を調節することによって、変異型ＰＫＤ１活性を減少または阻害するように設計することができる。そのような分子を産生および使用するための技術は、当業者に周知である。
【０１９８】
二本鎖干渉ＲＮＡ分子は、標的遺伝子の発現を阻害するために特に有用である。例えば、遺伝子の発現を阻害して、得られたポリペプチドの活性を阻害するために、二本鎖ＲＮＡ分子を標的細胞または生物に注入することができる。そのような二本鎖ＲＮＡ分子は、いずれかのＲＮＡ鎖のみより発現を阻害するために有効であることが判明している（ファイア（Ｆｉｒｅ）ら、Ｎａｔｕｒｅ １９：３９１（６６６９）：８０６〜１１、１９９８）。
【０１９９】
障害がＰＫＤ１ポリペプチドの異常な発現（例えば、タンパク質の過剰発現、または変異型の発現）に関連する場合、ＰＫＤ１ポリペプチド（例えば、野生型、変種または変異型ＰＫＤ１ポリペプチド）の翻訳を直接妨害する治療アプローチが可能である。または、類似の方法論を用いて遺伝子活性を調べることができる。例えば、アンチセンス核酸、二本鎖干渉ＲＮＡ、またはリボザイムを用いて、ＰＫＤ１ ｍＲＮＡ配列に結合させる、またはそれを切断させることができる。アンチセンスＲＮＡまたはＤＮＡ分子は、標的遺伝子のＲＮＡメッセージに特異的に結合し、その遺伝子のタンパク質産物の発現を中断させる。アンチセンスは、細胞が翻訳することができない二本鎖分子を形成するメッセンジャーＲＮＡに結合する。約１５〜２５ヌクレオチドのアンチセンスオリゴヌクレオチドは、それらが容易に合成され、アンチセンスＲＮＡ分子のように阻害作用を有することから、これらのアンチセンスオリゴヌクレオチドが好ましい。さらに、鉄結合エチレンジアミン四酢酸（ＥＤＴＡ−Ｆｅ）のような化学反応基を、アンチセンスオリゴヌクレオチドに結合させて、ハイブリダイゼーション部位でＲＮＡの切断を引き起こすことができる。アンチセンス核酸は、特異的ｍＲＮＡ分子の少なくとも一部と相補的であるＤＮＡ分子またはＲＮＡ分子である（ワイントラウブ（Ｗｅｉｎｔｒａｕｂ）、Ｓｃｉｅｎｔｉｆｉｃ Ａｍｅｒｉｃａｎ ２６２：４０、１９９０）。細胞において、アンチセンス核酸は、対応するｍＲＮＡとハイブリダイズして、二本鎖分子を形成する。細胞は、二本鎖であるｍＲＮＡを翻訳しないため、アンチセンス核酸はｍＲＮＡの翻訳を妨害する。少なくとも約１５ヌクレオチドのアンチセンスオリゴマーもまた、それらが標的ＰＫＤ１ポリペプチド産生細胞に導入された場合に問題を生じる可能性が低いことから好ましい。遺伝子のインビトロ翻訳を阻害するためにアンチセンス法を用いることは、当技術分野で周知である（マーカス＆サクラ（Ｍａｒｃｕｓ−Ｓａｋｕｒａ）、Ａｎａｌ． Ｂｉｏｃｈｅｍ． １７２：２８９、１９８８）。
【０２００】
転写を失速させるためにオリゴヌクレオチドを用いることは、オリゴマーが二本鎖ＤＮＡの周囲を巻いて、三重ヘリックスを形成することから、三本鎖ストラテジーとして知られている。したがって、これらの三本鎖化合物は、選択した遺伝子上で独自の部位を認識するように設計することができる（マヘール（Ｍａｈｅｒ）ら、Ａｎｔｉｓｅｎｓｅ Ｒｅｓ． ａｎｄ Ｄｅｖｅｌ． １：２２７、１９９１；ヘレン（Ｈｅｌｅｎｅ）、Ａｎｔｉｃａｎｃｅｒ Ｄｒｕｇ Ｄｅｓｉｇｎ ６：５６９、１９９１）。
【０２０１】
リボザイムは、ＤＮＡ制限エンドヌクレアーゼと類似の方法で、他の一本鎖ＲＮＡの特異的切断能を有するＲＮＡ分子である。これらのＲＮＡをコードするヌクレオチド配列の改変によって、ＲＮＡ分子における特異的ヌクレオチド配列を認識してこれを切断する分子を操作することが可能である（セシュ（Ｃｅｓｈ）、Ｊ． Ａｍｅｒ． Ｍｅｄ． Ａｓｓｎ． ２６０：３０３０、１９８８）。この方法の主な利点は、それらが配列特異的であるために、特定の配列を有するｍＲＮＡのみが不活化されるという点である。
【０２０２】
リボザイムには二つの基本型、すなわち、テトラヒメナ型（ハッセルホフ（Ｈａｓｓｅｌｈｏｆｆ）、Ｎａｔｕｒｅ ３３４：５８５、１９８８）および「ハンマーヘッド」型が存在する。テトラヒメナ型リボザイムは、長さが４塩基である配列を認識するが、「ハンマーヘッド」型リボザイムは、長さが１１〜１８塩基の塩基配列を認識する。認識配列の長さが長ければ、配列が標的ｍＲＮＡ種に限って起こる確率はより大きくなる。その結果、ハンマーヘッド型リボザイムは、特異的ｍＲＮＡ種を不活化するためにテトラヒメナ型リボザイムより好ましく、１８塩基認識配列は、より短い認識配列より好ましい。遺伝子のインビボ翻訳を阻害するためにアンチセンスおよびリボザイム法をこのように用いることおよびその他のように用いることは、当技術分野で既知である（例えば、デメスマーカー（Ｄｅ Ｍｅｓｍａｅｋｅｒ）ら、Ｃｕｒｒ． Ｏｐｉｎ． Ｓｔｒｕｃｔ． Ｂｉｏｌ． ５：３４３、１９９５；ゲヴィルツ（Ｇｅｗｉｒｔｚ）ら、Ｐｒｏｃ． Ｎａｔｌ． Ａｃａｄ． Ｓｃｉ． ＵＳＡ ９３：３１６１、１９９６ｂ；スタイン（Ｓｔｅｉｎ）、Ｃｈｅｍ ａｎｄ Ｂｉｏｌ． ３：３１９、１９９６）。
【０２０３】
任意の潜在的なＲＮＡ標的内での特異的リボザイム切断部位も、リボザイム切断部位に関して標的分子を走査することによって当初同定され、それには以下の配列が含まれる：ＧＵＡ、ＧＵＵおよびＧＵＣ。同定されれば、切断部位を含む標的遺伝子領域に対応する約１５〜３０リボヌクレオチドの短いＲＮＡ配列を、オリゴヌクレオチド配列を不適にしうる二次構造のような、予想される構造特徴に関して評価することができる。候補標的の適切性はまた、リボヌクレアーゼ保護アッセイ法を用いて相補的オリゴヌクレオチドとのハイブリダイゼーションに対するその到達性を調べることによって評価することができる。
【０２０４】
本明細書に記載のアンチセンス、リボザイム、または三重ヘリックス分子は、本発明の変異型ＰＫＤ１対立遺伝子によって産生されたｍＲＮＡの翻訳を減少または阻害することができる可能性がある。ＰＫＤ１活性の実質的に正常なレベルが細胞において確実に維持されるために、正常なＰＫＤ１活性を示すＰＫＤ１ポリペプチドをコードして発現する核酸分子を、アンチセンス、リボザイム、または三重ヘリックス治療に対して感受性がある配列を含まない細胞に導入することができる。そのような配列は、下記の方法のような遺伝子治療法によって導入することができる。または、細胞または組織ＰＫＤ１活性の必須のレベルを維持するために、細胞または組織に正常なＰＫＤ１タンパク質を同時投与することが好ましくなりうる。
【０２０５】
本発明のアンチセンスＲＮＡおよびＤＮＡ分子、リボザイム分子および三重ヘリックス分子は、ＤＮＡおよびＲＮＡ分子の合成に関する技術分野で既知の如何なる方法によっても調製することができる。これらには、例えば固相ホスホロアミダイト化学合成のような、当技術分野で周知のオリゴデオキシヌクレオチドおよびオリゴヌクレオチドを化学合成するための技術が含まれる。または、ＲＮＡ分子は、アンチセンスＲＮＡ分子をコードするＤＮＡ配列のインビトロおよびインビボ転写によって作製することができる。そのようなＤＮＡ配列は、Ｔ７またはＳＰ６ポリメラーゼプロモーターのような適当なＲＮＡポリメラーゼプロモーターを組み入れる多様なベクターに組み入れることができる。または、用いるプロモーターに応じて、アンチセンスＲＮＡを構成的または誘導的に合成するアンチセンスｃＤＮＡ構築物を細胞株に安定的に導入することができる。
【０２０６】
ＤＮＡ分子に対する様々な周知の改変を、細胞内安定性および半減期を増加させる手段として導入することができる。可能性がある改変には、分子の５’もしくは３’末端またはその双方に対するリボヌクレオチドもしくはデオキシリボヌクレオチドの隣接する配列の付加、またはオリゴデオキシリボヌクレオチド骨格内でのホスホジエステラーゼ結合よりむしろホスホロチオエートまたは２’−Ｏ−メチル結合を用いることが含まれるが、これらに限定されない。
【０２０７】
上記のように、ＡＤＰＫＤを引き起こすＰＫＤ１ポリヌクレオチドにおける変異は、ＰＫＤ１ポリヌクレオチドの発現レベルを低下させることができるか、または不活性もしくは実質的に不活性なＰＫＤ１タンパク質を産生させうる。いずれにせよ、その結果は、ＰＫＤ１が通常発現される組織または細胞における正常なＰＫＤ１活性の全体的なレベルの低下である。次に、このより低いレベルのＰＫＤ１活性は、ＡＤＰＫＤ症状に至る。このように、そのようなＰＫＤ１変異は、優性機能喪失変異を示す。例えば、配列番号：１に記載される配列を有し、Ｇ９２１３Ａの変異を有するポリヌクレオチドは、ＰＫＤ１の早期停止が起こる。
【０２０８】
例えば、ＡＤＰＫＤ症状を改善するために十分なレベルの正常なＰＫＤ１タンパク質を、そのような症状を示す患者または変異型ＰＫＤ１ポリヌクレオチドを有する患者に投与することができる。さらに、正常なＰＫＤ１タンパク質をコードするＤＮＡ配列を、ＡＤＰＫＤ症状を示す患者に直接投与することができるか、または本明細書において同定されたＰＫＤ１変異を有すると診断されているが、まだ症状を発症していない場合には、ＡＤＰＫＤ症状を予防もしくは減少するために投与することができる。そのような投与は、ＡＤＰＫＤ症状が改善されるようなＰＫＤ１タンパク質レベルを生じるために十分な濃度となりうる。
【０２０９】
さらに、これらのタイプの変異を有する被験者は、遺伝子置換療法によって治療することができる。正常なＰＫＤ１ポリヌクレオチドのコピーを、例えば、レトロウイルス、ワクシニアウイルス、アデノ随伴ウイルス、ヘルペスウイルス、ウシ乳糖腫ウイルス、またはプラスミドのような非ウイルスベクターを含むがこれらに限定されないウイルスまたは非ウイルスベクターを用いて、細胞、腎細胞に挿入することができる。さらに、ＤＮＡを哺乳類細胞に導入するために、当業者によってしばしば用いられる技術を利用することができる。例えば、電気穿孔、ＤＥＡＥデキストランを介するＤＮＡ移入、ＤＮＡ銃、リポソーム、直接注入等を含むがこれらに限定されない方法を用いて、組換えベクターを宿主細胞に移入することができる。または、ＤＮＡを、細胞内部に通常標的化されるタンパク質との結合によって細胞に移入することができる。例えば、ＤＮＡは、通常ウイルス粒子を標的となる宿主細胞に標的化するウイルスタンパク質に結合させることができる。
【０２１０】
遺伝子全体またはポリペプチドを投与することは、ＡＤＰＫＤ症状の出現を回避するために必ずしも必要ではない。「ミニ遺伝子」治療アプローチを用いることはまた、そのようなＡＤＰＫＤ症状を改善するために役立つ（ラゴット（Ｒａｇｏｔ）ら、Ｎａｔｕｒｅ ３：６４７、１９９３；ダンクレー（Ｄｕｎｃｋｌｅｙ）ら、Ｈｕｍ． Ｍｏｌ． Ｇｅｎｅｔ． ２：７１７〜７２３、１９９３を参照のこと）。ミニ遺伝子系は、部分的、または活性な、または実質的に活性なＰＫＤ１ポリペプチドをコードするＰＫＤ１コード領域の一部を利用する。このように、ミニ遺伝子系は、ＡＤＰＫＤ症状を改善することができるＰＫＤ１ポリペプチドの一部をコードする正常なＰＫＤ１ポリヌクレオチドのその部分のみを利用し、したがって、全長遺伝子治療アプローチより有効かつさらに効率的なＡＤＰＫＤ治療を示すことができる。そのようなミニ遺伝子を細胞に挿入して、全長遺伝子置換に関して上記の技法によって利用することができる。ＰＫＤ１ミニ遺伝子が導入される細胞は、好ましくは腎細胞のような、ＡＤＰＫＤによって影響を受ける細胞である。または、ミニ遺伝子が持続的に安定的に発現され、ＡＤＰＫＤ症状を改善するポリペプチドを産生する限り、如何なる適した細胞にもＰＫＤ１ミニ遺伝子をトランスフェクトすることができる。
【０２１１】
ＡＤＰＫＤ症状を改善するための治療的ミニ遺伝子は、少なくとも一つのＰＫＤ１ポリペプチドペプチドドメイン、特に配列番号：２のペプチド部分と実質的に同一であり、表４に示す変異、例えば、Ａ８８Ｖ、Ｗ９６７Ｒ、Ｌ２６９６Ｒ、Ｒ２９８５Ｇ、Ｗ３００１Ｘ 、Ｒ３０３９Ｃ、Ｖ３２８５Ｉ、またはＨ３３１１Ｒの変異を有するアミノ酸配列を有するドメインをコードするヌクレオチド配列を含みうる。そのようなＰＫＤ１ポリペプチドをコードするミニ遺伝子は、ＰＫＤ１ポリヌクレオチド配列（配列番号：１）を用いて合成および／または操作することができる。
【０２１２】
本発明のアッセイ法において用いられる材料は、理想的には、キットの調製物に適している。そのようなキットは、それぞれの容器が方法において用いられる個々の要素の一つを含む、バイアル、試験管等のような１つまたは複数の容器手段を含む担体手段を含みうる。容器手段の一つは、検出可能に標識される、または標識することができるプローブを含みうる。そのようなプローブは、少なくとも１０個の連続するヌクレオチドを含み、以下を含む配列番号：１の断片の配列を有するオリゴヌクレオチドとなりうる：４７４位がＴであるヌクレオチド；４８７位がＡであるヌクレオチド；３１１０位がＣであるヌクレオチド；８２９８位がＧであるヌクレオチド；９１６４位がＧであるヌクレオチド；９２１３位がＡであるヌクレオチド；９３２６位がＴであるヌクレオチド；９３６７位がＴであるヌクレオチド；１００６４位がＡであるヌクレオチド；１０１４３位がＧであるヌクレオチド；１０２３４位がＣであるヌクレオチド；１０２５５位がＴであるヌクレオチド（実施例２も参照のこと）。
【０２１３】
本発明の１つまたは複数のオリゴヌクレオチドプローブを含むキットは、例えば、試料中の変異型ＰＫＤ１ポリヌクレオチドの存在を定量的に同定するのみならず、特異的に強く結合する（ハイブリダイズする）配列の出現を調べるためにプローブの結合の程度を定量し、それによってＰＫＤ１に関連した障害を有するまたは障害の素因を有する被験者である可能性を示すために有用となりうる。キットが標的核酸を検出するために核酸ハイブリダイゼーションを利用する場合、キットはまた、標的核酸配列を増幅するための試薬を含む容器を有しうる。変異標的配列を増幅することが望ましい場合、これは、標的ヌクレオチド配列に隣接する隣接領域の同定に基づくオリゴヌクレオチドプライマーを用いて行うことができる。例えば、表１および表２において下記に記載したプライマーのようなプライマーを、本発明のキットに含めることができる。キットはまた、オリゴヌクレオチドに結合または組み入れることができ、そしてオリゴヌクレオチドの同定を促進することができる酵素、蛍光、または放射性核種の標識のようなレポーター手段を含む溶液を含みうる。
【０２１４】
以下の実施例は、本発明を説明するためのものであって制限するものとして解釈されることはない。
【０２１５】
実施例
本発明は、５ｋｂ〜１０ｋｂのＰＫＤ１ポリヌクレオチドセグメントを産生するために長い範囲のＰＣＲ（ｌｏｎｇ−ｒａｎｇｅ ＰＣＲ）において広く間隔をあけたＰＫＤ１特異的結合プライマーを用いることに基づく。適当に希釈した後、ＰＣＲ産物は、多様な方法の任意のものを用いて変異スクリーニングのための鋳型として使用することができる。したがって、多くの変異がＰＤＫ１関連障害を有するファミリーにおいて同定されている。
【０２１６】
多くのＰＫＤ１特異的プライマーを用いて、５’非翻訳領域からイントロン３４まで及び、エクソン１およびエクソン２２を含む複製領域における全てのエクソンを含む、約０．３〜５．８ ｋｂの大きさの８個の鋳型を作製した（実施例１）。これらの試薬を用いて、アジア人のＰＫＤ１家族４７例を評価した（実施例２）。変種ヌクレオチド配列は、ＰＫＤ１ポリヌクレオチド配列全体に認められた。
【０２１７】
タイ人４１例および韓国人６例のＡＤＰＫＤ家族を調べた。血液バンクにおいて採取した健康なタイ人の献血者５０人からの試料を正常な対照とした。ゲノムＤＮＡを、市販のキット（ピュアジーン、ゲントラ）または標準的なフェノール・クロロホルム法を用いて、新鮮な全血から、または５年までの間保存されていた凍結した全血のいずれかから抽出した。Ｎ２３ＨＡおよび１４５．１９細胞株の場合（Ｃｅｌｌ ７７：８８１〜８９４、１９９４；ゲルミノ（Ｇｅｒｍｉｎｏ）ら、Ａｍ． Ｊ． Ｈｕｍ． Ｇｅｎｅｔ． ４６：９２５〜９３３、１９９０；セッチェリーニ（Ｃｅｃｃｈｅｒｉｎｉ）ら、Ｐｒｏｃ． Ｎａｔｌ． Ａｃａｄ． Ｓｃｉ． ＵＳＡ ８９：１０４〜１０８、１９９２、そのそれぞれが参照として本明細書に組み入れられる；またワトニック（Ｗａｔｎｉｃｋ）ら、上記、１９９７も参照のこと）、ピュアジーンＤＮＡ単離キットを用いて、ゲノムＤＮＡを単離した。
【０２１８】
実施例１
長い範囲（ｌｏｎｇ−ｒａｎｇｅ）の特異的鋳型
ＰＫＤ１の複製された部分を増幅するために用いることができるＰＫＤ１特異的プライマーを作製および確認するために、二部の方法を用いた。ＰＫＤ１（配列番号：１）の配列を、ゲンバンク（アクセッション番号ＡＣ００２０３９）に存在する２つの相同体と並置して、可能性がある配列の差を同定した。候補プライマーは、ＰＫＤ１の特異性を最大限にするために、誤対合がオリゴヌクレオチドの３’末端に、または３’末端に隣接して存在するように設計した。
【０２１９】
プライマーは、ヒト１６ｐ１３．３のみを含み、したがってヒトＰＫＤ１（１４５．１９、放射線ハイブリッド）を含む、または１６ｐ１３．３を欠損してヒトＰＫＤ１相同体のみを含む（Ｎ２３ＨＡ）齧歯類−ヒト体細胞ハイブリッドを用いて特異性を調べた。図２は、プライマー対ＢＰＦ６およびＰＫＤ１特異的プライマーＢＰＲ６を用いたこの方法の代表的な例を示す。このプライマーは、ヒト総ゲノムＤＮＡまたは１４５．１９ ＤＮＡを鋳型として用いた場合に限って、表示の条件で正しい長さ（４．５ ｋｂ）の産物を増幅した。かなり短い産物を得るためにＢＰＲ６を非特異的プライマー２８Ｆと組み合わせて用いた場合にも類似の結果が得られた。
【０２２０】
最終的な対照として、増幅した産物が存在しないことを、Ｎ２３ＨＡを鋳型として用いて総ヒトゲノムＤＮＡおよび１４５．１９ ＤＮＡを用いて得られた結果がプライマーの特異性によるものであり、その他の原因の結果（すなわち、ＤＮＡの質またはヒト／齧歯類鋳型の比の差）ではないことを確認した。ＢＰＦ６からの距離がＢＰＲ６と同じ距離に存在する相同体に関して特異的なプライマー（ＢＰＲ６ＨＧ）を設計して、これを用いて対応するＰＫＤ１の長さの範囲の産物と同じ大きさの特異的バンドを増幅した。予想されるように、正しい大きさの産物は、Ｎ２３ＨＡおよび総ゲノムＤＮＡの双方から増幅されたが、１４５．１９からは増幅されなかった。
【０２２１】
全体で８個のプライマー対を用いて、大きさの範囲が約０．３ ｋｂ〜５．８ ｋｂまでの一連の鋳型を作製することができ、これには、ＰＫＤ１の複製された部分における全てのエクソンおよびその隣接するイントロン配列が含まれた（エクソン１〜３４）。表１には、各産物の詳細を要約し、各プライマーの配列、そのそれぞれの遺伝子内での位置、その予想される大きさ、その増幅のために最適なアニーリング温度および伸長時間が含まれる。図１は、全体的な遺伝子構造に関して各産物の相対的な位置を示す。エクソン１およびその隣接する配列は、評価することが特に難しかったことに注目すべきである。プライマー設計は、高度の相同性および領域における極端なＧＣの偏りによって大きく制限された。広く間隔を空けたプライマー（対象となるセグメントよりかなり大きい断片を作製するため）とＧＣ融解系との組み合わせを用いて、これらの障害を回避した。
【０２２２】
【表１】ＰＫＤ１遺伝子のエクソン１〜３４に由来する長い範囲の特異的鋳型のためのオリゴヌクレオチドプライマー
2004504038.tif 000006
Ｔｍ−アニーリング温度；ＥＴ−伸長時間；＊−ＰＫＤ１特異的プライマー
ＢＰＲ１２プライマー配列における太字は、ＰＫＤ１と相同体との区別を増強するためにＣからＡへの意図的な置換を示す。
【０２２３】
それぞれの長い範囲（ｌｏｎｇ−ｒａｎｇｅ：ＬＲ）の鋳型に関して用いたプライマー配列、アニーリング温度、および伸長時間に関する特定の詳細を表１に提供する（表１および表２の全ての配列を左から右の方向に５’から３’で示す）。エクソン１（下記参照）を除いて、ゲノムＤＮＡ ３００ ｎｇ〜４００　ｎｇを各ＬＲ産物に関する鋳型として用いた。長い範囲のＰＣＲ増幅は以下のように、パーキンエルマー９６００サーマルサイクラーにおいて実施した：９５℃で３分間の変性の後に、９５℃で２０秒間の変性、各プライマー対に関して特異的な温度および時間でのアニーリングおよび伸長を含む二段階プロトコール３５サイクル（表１）。７２℃で１０分間の最終的な伸長を各プログラムに含めた。総ＰＣＲ容積は、ｒＴｈ ＤＮＡポリメラーゼＸＬ（シータス、パーキンエルマー社）４ＵおよびＭｇＯＡｃ２の最終濃度０．９ ｍＭを用いて５０ μｌであった。製造元によって推奨されるホットスタートプロトコールを最初の増幅サイクルに用いた。エクソン１ＬＲ産物（Ｔ１）に関して、ゲノムＤＮＡ ５００ ｎｇを用いてＬＲを作製した。長い範囲のＰＣＲ増幅は以下のように改変した：９５℃で１分間の変性の後に、９５℃で３０秒間の変性、６９℃で７分間のアニーリング、および伸長の二段階サイクルを３５回行った。総ＰＣＲ容積は、アドバンテージ−ＧＣゲノムポリメラーゼ（クロンテック社）１μｌ、１．５ Ｍ ＧＣメルトおよびＭｇＯＡｃ２の最終濃度１．１ ｍＭを用いて５０ μｌであった。
【０２２４】
長い範囲の鋳型を連続希釈して（１：１０４または１：１０５）、ゲノムの汚染を除去した後、２００〜４００ ｂｐのエクソン断片のネスティドＰＣＲの鋳型として用いた。エクソン１〜１２およびエクソン２２に関して、全体で１７個の新規プライマー対を作製した。それぞれの新規の対の配列およびＰＣＲ条件を表２に要約する。エクソン１３〜２１および２３〜３４に関するプライマー配列およびＰＣＲ条件は、参照として本明細書に組み入れられる、ワトニックら（Ｗａｔｎｉｃｋ、Ａｍ． Ｊ． Ｈｕｍ． Ｇｅｎｅｔ． ６５：１５６１〜１５７１、１９９９）；およびワトニックら（Ｗａｔｎｉｃｋ、Ｈｕｍ． Ｍｏｌ． Ｇｅｎｅｔ． ６：１４７３〜１４８１、１９９７）に記載されている。イントロンに基づくプライマーは、コンセンサススプライシング部位から約３０〜５０ ｂｐ離れて位置した。約４００ ｂｐより大きいエクソンを３５０ ｂｐより小さい、またはこれに等しい重複する断片に分割した。一本鎖構造多形分析を標準的なプロトコールを用いて実施した。ＳＳＣＡ分析は、５％グリセロールを加えた８％ポリアクリルアミドゲルを用いて行った。放射標識したＰＣＲ産物をローディング緩衝液によって希釈して、９５℃で５分間加熱することによって変性した後、氷中に入れてからローディングして、室温でゲルで泳動させた。ゲルを４００ Ｖで一晩泳動させ、乾燥させて、室温でＸ−Ｏｍａｔ ＸＡＲフィルム（コダック社）上に載せた。ＳＳＣＡによって検出された異常に移動したバンドをゲルから切り出して、１００μｌの滅菌水で一晩溶出させた。溶出した産物を同じプライマーセットを用いて再増幅し、セントリコン−１００カラム（アミコン）を用いて精製した後、配列を決定した。
【０２２５】
【表２】変異を検出するために使用されるネスティドプライマー
2004504038.tif 000007
2004504038.tif 000008
2004504038.tif 000009
【０２２６】
制限酵素切断部位を変化させると予想される変種を、再増幅した産物の制限酵素消化分析によって確認した。変化が制限酵素切断部位を変化させなかった場合、疑われる点突然変異と組み合わせた場合に新しい制限酵素切断部位を作製する誤対合を有するプライマーを設計した。以下のプライマーの組み合わせを利用した：
2004504038.tif 000010
【０２２７】
可能であれば、疾患の表現型を有する変種の分離を調べた。正常なハプロタイプ上でミスセンスの変化を決定できない場合（そしてこのように、正常な変種である場合）、変異を正常な対照者５０人のパネルに関して調べた。
【０２２８】
実施例２
変異のスクリーニング
新しいＰＫＤ１特異的産物を、アジアの家族４７例のそれぞれの罹患メンバー１人から作製し、これをエクソン１〜１２および２２〜３４の変異検出のための鋳型として用いた。表２は、個々のエクソンおよびその隣接するイントロン配列のネスティド増幅のために用いるプライマー対に関する配列およびＰＣＲ条件を記載する。長さが＞４００塩基対のセグメントに関して重複する対を設計した。
【０２２９】
全体で１３個の新規変種を、上記の条件を用いてＳＳＣＡによって検出した。２個は病原性変異である可能性が非常に高く、４個は正常では認められないミスセンス置換をコードすると予想され、７個は正常変種である（表３を参照のこと）。
【０２３０】
最初の病原性変異は、エクソン２５における９２１３位でのＧからＡへの転位であり、これはナンセンスコドンが起こると予想される（Ｗ３００１Ｘ）。その存在を、酵素Ｍａｅ Ｉを用いる制限酵素切断分析によって確認したところ、疾患と共に分離することが判明した。この変種は、卵の凝膠体（ＲＥＪ）受容体ドメインのカルボキシル末端近傍でタンパク質を切断すると予想される。Ｗ３００１Ｘ変異によって、膜貫通要素、介在ループ、およびカルボキシル末端の全てを欠失する大きく切断された産物が得られた。第２の変異（Ｔ３１１０Ｃ）は、ＰＫＤリピートの一つの重要な位置で非保存的アミノ酸置換（Ｗ９６７Ｒ）が起こると予想される。変異は、それが発見された家族に独特であり、正常なタイ人の染色体１００個以上のスクリーニングにおいて認められなかった。Ｗ９６７Ｒミスセンス変異は、ＰＫＤドメイン３の二次構造を破壊すると予想される。ＣＣ’ループ領域内のＷＤＦＧＤＧＳ（配列番号：５８）モチーフは、ＰＫＤドメインの最も保存された配列である。トリプトファンが、Ｃ鎖の末端でのターンの最初の残基において置換され、１６個中１４個のＰＫＤドメインにおいて保存されている。その上、これは、マウスおよびフグのポリシスチン−１において進化的に保存されている。
【０２３１】
【表３】タイ人集団におけるＰＫＤ１遺伝子において同定された変異
2004504038.tif 000011
＊−疾患と共に分離：０−分離に関して調べることができない；ＮＣ−正常対照；ＨＧ−相同体の１コピーに存在；ＡＤＰ−対立遺伝子特異的プライマー
【０２３２】
これらの病原性変異は、１０４１位のアミノ酸以降でフレームシフトが起こる（ＦＳ１０４１）、エクソン１３におけるＧ３３３６の欠失（△Ｇ３３３６）；それぞれがナンセンス停止に至る、エクソン１５におけるＣ４１６８Ｔ（Ｑ１６５３Ｘ）、Ｃ６０８９Ｔ（Ｑ１９６０Ｘ）、およびＣ６３２６Ｔ（Ｑ２０３９Ｘ）変異；ＦＳ２３３１が起こる、エクソン１６における△Ｇ７２０５〜Ｇ７２１１；ナンセンス停止が起こるエクソン１８におけるＣ７４１５Ｔ（Ｒ２４０２Ｘ）変異；ナンセンス停止が起こる、エクソン１９におけるＣ７８８３Ｔ（Ｑ２５５８Ｘ）変異；およびＦＳ２６４９が起こる、エクソン２１における△Ｃ８１５９〜Ｔ８１６０変異を含み、これまでに同定された病原性変異に加えられる（ファクディーキッチャローエン（Ｐｈａｋｄｅｅｋｉｔｃｈａｒｏｅｎ）ら、上記、２０００）。さらに、エクソン１５におけるＧ３７０７Ａ（Ｇ１１６６Ｓ）およびＴ６０７８Ａ（Ｖ１９５６Ｅ）ミスセンス変異、およびエクソン１８におけるＣ７４３３Ｔ（Ｒ２４０８Ｃ）ミスセンス変異およびＧ７５３５とＧ７５３６のあいだのＧＣＧトリヌクレオチドの挿入（エクストラＧｌｙ２４２２）を含む、可能性がある病原性変異が同定されている（ファクディーキッチャローエン（Ｐｈａｋｄｅｅｋｉｔｃｈａｒｏｅｎ）ら、上記、２０００）。
【０２３３】
家族の一つに独自のさらに４つの変異も同様に同定された（表３を参照のこと）。変異体は疾患と共に分離し、１００個以上の正常なタイ人染色体のスクリーニングにおいて認められなかった。４つの変種中３つが非保存的アミノ酸置換となると予想される。それらの２つ（Ａ９１６４Ｇ、Ｃ９３２６Ｔ）は、単一の家族の同じ対立遺伝子に存在する（ＲＡＭＡ８７）。そのため、これらの変異は、正常な、民族的に対合した染色体には認められないこと、疾患と共に分離すること、そしてその結果非保存的置換が起こることを含めて、疾患を生じる変異を予想するいくつかの基準を満たす。
【０２３４】
一例において、ヘテロ二本鎖パターンが標準的なアガロース電気泳動によるプロバンドのエクソン２２の産物に関して発見された。ヘテロ二本鎖のパターンは、疾患と共に分離し、この新規変種が８２９８位でのＴからＧへの変換の結果であることがその後決定された。この変異は、タンパク質配列の２６９６位でロイシンの代わりにアルギニンに置換すると予想される。この非保存的置換は、ＲＥＪドメイン内に存在する。興味深いことに、Ｒ３０３９Ｃ置換は、ポリシスチン−１、Ｈｉｓ（３０４７）−Ｌｅｕ−Ｔｈｒ−Ａｌａ（３０５０）（配列番号：５９）の新しく記載された推定のタンパク質分解切断部位近傍で起こる。フグおよびマウスポリシスチン−１の対応する位置ではそれぞれ、グルタミン酸とアルギニンが存在し、この位置での非極性残基のあまり重要でない役割を示唆している。
【０２３５】
正常変種の可能性がある７個のヌクレオチド置換もまた同定された。２つは、それらが発見された家族において疾患と共に分離しないミスセンス変種である。Ｃ４７４Ｔ置換は、最初のロイシンリッチリピート（ＬＲＲ）における８８位でバリンからアラニンへの保存的置換が起こる。アミノ酸は種において保存されず、ＬＲＲ構造を破壊しないと予想される。第２のミスセンス変種、Ａ１０１４３Ｇは、ＴＭ２とＴＭ３のあいだの最初の細胞外ループ内で３３１１位でヒスチジンの代わりにアルギニンに置換する。これもまた、その同一性がこの位置で進化的に保存されていない残基を含む保存的変化である。他の５個の変種は、サイレントヌクレオチド置換であり、これはそれらが認められる家系に独自のものであり、１００個の正常な染色体より多くは認められなかった。これらの変種は、領域における遺伝子スプライシングに影響を及ぼすことによって病原性となりうる。エクソン３０の正常な変種の２個、すなわちＡ１０１４３Ｇ（Ｈ３３１１Ｒ）およびＴ１０２３４Ｃ（Ｌ３３４１Ｌ）は、単一のＰＬＤ１ハプロタイプにおいて共に集団を形成した。興味深いことに、双方の変種はまた、相同体の少なくとも一つに存在し、このことは、これらのＰＫＤ１変種の起源としてのこれまでの遺伝子変換事象を示唆している。ＰＫＤ１関連障害に関連しないように思われるさらなるＰＫＤ１変種には、エクソン１５における２つのサイレント変異、すなわちＧ４８８５Ａ（Ｔ１５５８Ｔ）およびＣ６０５８Ｔ（Ｓ１９４９Ｓ）とミスセンス変異Ｇ６１９５Ａ（Ｒ１９９５Ｈ）；エクソン１７におけるサイレントＴ７３７６Ｃ（Ｌ２３８９Ｌ）変異；エクソン１８におけるサイレントＣ７６９６Ｔ（Ｃ２４９５Ｃ）変異；ならびにエクソン２０におけるミスセンスＧ８０２１Ａ（Ｄ２６０４Ｎ）変異が含まれる（ファクディーキッチャローエン（Ｐｈａｋｄｅｅｋｉｔｃｈａｒｏｅｎ）ら、上記、２０００）。
【０２３６】
表４は、タイ人家族１７例の発端者の臨床知見を要約する。ＡＤＰＫＤ患者の遺伝子型および表現型を示す。白人集団の研究に基づいて、変異の約１５％がＰＫＤ１遺伝子の非複製部分に局在すると推定されている。同じ頻度がタイ人集団にも当てはまれば（患者を非反復部分における変異に関してスクリーニングしなかった）、本研究は、非複製領域に存在する全ての変異の約４５％〜５４％を同定した。この検出率はおそらく、ＤＨＰＬＣ（クリステンセン（Ｋｒｉｓｔｅｎｓｅｎ）ら、上記、２００１）、ＨＴＣＳＧＤ（ロイング（Ｌｅｕｎｇ）ら、上記、２００１）等のようなより感度のよい検出方法を用いて増加させることができる。
【０２３７】
【表４】タイ人ＡＤＰＫＤ１における遺伝子型と表現型
2004504038.tif 000012
ＨＴ−高血圧症；Ｒｅｎａｌ． ｉｎｓｕｆｆ．−腎不全；Ｈｅｒａｔ Ｖａｌｖｅ． Ａｂｎｏｒｍ．−心臓弁の異常；Ｂｒａｉｎ Ａｎｅｕｒ．−脳の動脈瘤；＊−ファクディーキッチャローエン（Ｐｈａｋｄｅｅｋｉｔｃｈａｒｏｅｎ）ら、上記、２０００。
【０２３８】
本発明は、上記の実施例を参照にして記述してきたが、改変および変更も本発明の精神および範囲内に含まれると理解される。したがって、本発明は特許請求の範囲によってのみ制限される。
【図面の簡単な説明】
【図１】ＰＫＤ１遺伝子（配列番号：１）のゲノム構造および遺伝子座に特異的な鋳型およびプライマーの相対的位置を示す図である。
【図２】ＢＰＦ６−ＢＰＲ６の長い範囲のＰＣＲ鋳型と、より短いＰＫＤ１特異的エクソン２８産物（２８Ｆ−ＢＰＲ６）との相対的位置を示す。エクソン２８の下の点線は、ＰＫＤ１遺伝子とその相同体に共通の配列であるＢＰＦ６が相同体特異的プライマーであるＢＰＲ６ＨＧとともに用いられた場合に得られる長い範囲のＰＣＲ増幅産物を同定したものである。
【図１】
2004504038.tif 000013
【図２】
2004504038.tif 000014
【国際公開パンフレット】
2004504038.tif 000015
2004504038.tif 000016
2004504038.tif 000017
2004504038.tif 000018
2004504038.tif 000019
2004504038.tif 000020
2004504038.tif 000021
2004504038.tif 000022
2004504038.tif 000023
2004504038.tif 000024
2004504038.tif 000025
2004504038.tif 000026
2004504038.tif 000027
2004504038.tif 000028
2004504038.tif 000029
2004504038.tif 000030
2004504038.tif 000031
2004504038.tif 000032
2004504038.tif 000033
2004504038.tif 000034
2004504038.tif 000035
2004504038.tif 000036
2004504038.tif 000037
2004504038.tif 000038
2004504038.tif 000039
2004504038.tif 000040
2004504038.tif 000041
2004504038.tif 000042
2004504038.tif 000043
2004504038.tif 000044
2004504038.tif 000045
2004504038.tif 000046
2004504038.tif 000047
2004504038.tif 000048
2004504038.tif 000049
2004504038.tif 000050
2004504038.tif 000051
2004504038.tif 000052
2004504038.tif 000053
2004504038.tif 000054
2004504038.tif 000055
2004504038.tif 000056
2004504038.tif 000057
2004504038.tif 000058
2004504038.tif 000059
2004504038.tif 000060
2004504038.tif 000061
2004504038.tif 000062
2004504038.tif 000063
2004504038.tif 000064
2004504038.tif 000065
2004504038.tif 000066
2004504038.tif 000067
2004504038.tif 000068
2004504038.tif 000069
2004504038.tif 000070
2004504038.tif 000071
2004504038.tif 000072
2004504038.tif 000073
2004504038.tif 000074
2004504038.tif 000075
2004504038.tif 000076
2004504038.tif 000077
2004504038.tif 000078
2004504038.tif 000079
2004504038.tif 000080
2004504038.tif 000081
2004504038.tif 000082
2004504038.tif 000083
2004504038.tif 000084
2004504038.tif 000085
2004504038.tif 000086
2004504038.tif 000087
2004504038.tif 000088
2004504038.tif 000089
2004504038.tif 000090
2004504038.tif 000091
2004504038.tif 000092
2004504038.tif 000093
2004504038.tif 000094
2004504038.tif 000095
2004504038.tif 000096
2004504038.tif 000097
2004504038.tif 000098
2004504038.tif 000099
2004504038.tif 000100
2004504038.tif 000101
2004504038.tif 000102
2004504038.tif 000103
2004504038.tif 000104
2004504038.tif 000105
2004504038.tif 000106
2004504038.tif 000107
2004504038.tif 000108
2004504038.tif 000109
2004504038.tif 000110
2004504038.tif 000111
2004504038.tif 000112
2004504038.tif 000113
2004504038.tif 000114
2004504038.tif 000115
2004504038.tif 000116
2004504038.tif 000117
2004504038.tif 000118
2004504038.tif 000119
2004504038.tif 000120
2004504038.tif 000121
2004504038.tif 000122
2004504038.tif 000123
2004504038.tif 000124
2004504038.tif 000125
2004504038.tif 000126
2004504038.tif 000127
2004504038.tif 000128
2004504038.tif 000129
2004504038.tif 000130
2004504038.tif 000131
2004504038.tif 000132
2004504038.tif 000133
2004504038.tif 000134
2004504038.tif 000135
2004504038.tif 000136
2004504038.tif 000137
2004504038.tif 000138
2004504038.tif 000139
2004504038.tif 000140
2004504038.tif 000141
2004504038.tif 000142
2004504038.tif 000143
2004504038.tif 000144
2004504038.tif 000145
2004504038.tif 000146
2004504038.tif 000147
2004504038.tif 000148
2004504038.tif 000149
2004504038.tif 000150
2004504038.tif 000151
2004504038.tif 000152
2004504038.tif 000153
2004504038.tif 000154
2004504038.tif 000155
2004504038.tif 000156
2004504038.tif 000157
2004504038.tif 000158
2004504038.tif 000159
2004504038.tif 000160
2004504038.tif 000161
2004504038.tif 000162
2004504038.tif 000163
2004504038.tif 000164
2004504038.tif 000165
2004504038.tif 000166
2004504038.tif 000167
2004504038.tif 000168
2004504038.tif 000169
2004504038.tif 000170
2004504038.tif 000171
2004504038.tif 000172
2004504038.tif 000173
2004504038.tif 000174
2004504038.tif 000175
2004504038.tif 000176
2004504038.tif 000177
2004504038.tif 000178
2004504038.tif 000179
2004504038.tif 000180
2004504038.tif 000181
2004504038.tif 000182
2004504038.tif 000183
2004504038.tif 000184
2004504038.tif 000185
2004504038.tif 000186
2004504038.tif 000187
2004504038.tif 000188
2004504038.tif 000189
2004504038.tif 000190
2004504038.tif 000191
2004504038.tif 000192
2004504038.tif 000193
2004504038.tif 000194
2004504038.tif 000195
2004504038.tif 000196
2004504038.tif 000197
2004504038.tif 000198
2004504038.tif 000199
2004504038.tif 000200
2004504038.tif 000201
2004504038.tif 000202
2004504038.tif 000203
2004504038.tif 000204
2004504038.tif 000205
2004504038.tif 000206
【国際公開パンフレット（コレクトバージョン）】
2004504038.tif 000207
【国際調査報告】
2004504038.tif 000208
2004504038.tif 000209
2004504038.tif 000210
2004504038.tif 000211
2004504038.tif 000212
2004504038.tif 000213
2004504038.tif 000214
2004504038.tif 000215
2004504038.tif 000216
2004504038.tif 000217
2004504038.tif 000218